(57)【要約】本発明は、とりわけ、球面又は回転対称非球面の前面を有する眼鏡レンズ半製品の少なくとも３つのシリーズ（６６−１、６６−２、６６−３）からなる眼鏡用レンズ半製品のセット（６８）を提供することに関する。眼鏡レンズ半製品の３つのシリーズ（６６−１、６６−２、６６−３）は、前記シリーズの母材においてペア単位で異なる。母材は、異なる平均屈折率を有する。各シリーズ（６６−１、６６−２、６６−３）は、標準屈折率、１．５３に関する３．２Ｄ〜６．７Ｄの間というその前面の実際の面屈折力範囲内に、眼鏡レンズ半製品の少なくとも３つの類型（Ｎｏ．７、Ｎｏ．１０、Ｎｏ．１３）を含み、この類型はペア単位で異なり、その類型の前面形状は何らかの方法で異なるように設計される。標準屈折率、１．５３に関する３．２Ｄ〜６．７Ｄの間というシリーズの前面の前記実際の面屈折力範囲内で、前記少なくとも３つの類型（Ｎｏ．７、Ｎｏ．１０、Ｎｏ．１３）の前面形状は、少なくとも３つのシリーズ（６６−１、６６−２、６６−３）全部について、類型の中央部分の表面（好ましくは、前面全体の４０％超、より好ましくは５０％超を含む）又は前面全体において同じである。
2017514180.tif 000002
【特許請求の範囲】
【請求項１】
各々が、球面又は回転対称非球面の凸型であり、関連する形状寸法を有する少なくとも１つの物理的形状特徴（Ｒ１、Ｒ２、．．．Ｒ２０）を有する前面（１６）を有する眼鏡レンズ半製品（１０、１２）のセット（６８）であって、
−第一の平均屈折率（ｎｄ１）の母材から製作された眼鏡レンズ半製品（１０、１２）の第一のシリーズ（６６−１）であって、その前記前面（１６）の形状の前記少なくとも１つの物理的形状特徴（Ｒ１、Ｒ２、．．．Ｒ２０）の前記形状寸法において異なる、眼鏡レンズ半製品（１０、２０）のペア単位で異なる類型（Ｎｏ．１、Ｎｏ．２、．．．Ｎｏ．２０）を有し、前記ペア単位で異なる類型（Ｎｏ．１、Ｎｏ．２、．．．Ｎｏ．２０）の少なくとも３種類の類型（Ｎｏ．７、Ｎｏ．１０、Ｎｏ．１３）が、標準屈折率（ｎｓ）１．５３に関する、また前記前面が回転対称非球面形状である場合にはその対称中心（１５）で測定した時の、３．２Ｄ〜６．７Ｄの間であるその前記前面（１６）の実際の面屈折力値（Ｄｎ）を有する第一のシリーズ（６６−１）と、
−前記第一の平均屈折率（ｎｄ１）とは異なる第二の平均屈折率（ｎｄ２）の母材から製作された眼鏡レンズ半製品（１０、１２）の第二のシリーズ（６６−２）であって、その前記前面（１６）の形状の前記少なくとも１つの物理的形状特徴（Ｒ１、Ｒ２、．．．Ｒ２０）の前記形状寸法において異なる、眼鏡レンズ半製品（１０、１２）のペア単位で異なる類型（Ｎｏ．１、Ｎｏ．３、Ｎｏ．５、Ｎｏ．７、Ｎｏ．９、Ｎｏ．１０、Ｎｏ．１１、Ｎｏ．１３、Ｎｏ．１４、Ｎｏ．１６、Ｎｏ．１８、Ｎｏ．２０）を有する第二のシリーズ（６６−２）と、
−前記第一の平均屈折率（ｎｄ１）及び前記第二の平均屈折率（ｎｄ２）とは異なる第三の平均屈折率（ｎｄ３）の母材から製作された眼鏡レンズ半製品（１０、１２）の第三のシリーズ（６６−３）であって、その前記前面（１６）の形状の前記少なくとも１つの物理的形状特徴（Ｒ１、Ｒ２、．．．Ｒ２０）の前記形状寸法において異なる、眼鏡レンズ半製品（１０、１２）のペア単位で異なる類型（Ｎｏ．３、Ｎｏ．７、Ｎｏ．１０、Ｎｏ．１３、Ｎｏ．１６）を有する第三のシリーズ（６６−３）と、
を含む眼鏡レンズ半製品のセット（６８）において、
−前記第二のシリーズ（６６−２）の前記ペア単位で異なる類型の少なくとも３種類の類型（Ｎｏ．７、Ｎｏ．１０、Ｎｏ．１３）が、標準屈折率（ｎｓ）１．５３に関して３．２Ｄ〜６．７Ｄの間のその前記前面（１６）の実際の面屈折力値（Ｄｎ）を有し、
−前記第三のシリーズ（６６−３）の前記ペア単位で異なる類型（Ｎｏ．３、Ｎｏ．７、Ｎｏ．１０、Ｎｏ．１３、Ｎｏ．１６）の少なくとも３種類の類型（Ｎｏ．７、Ｎｏ．１０、Ｎｏ．１３）が、標準屈折率（ｎｓ）１．５３に関して３．２Ｄ〜６．７Ｄの間のその前記前面（１６）の実際の面屈折力値（Ｄｎ）を有し、
−前記第一のシリーズ（６６−１）の前記少なくとも３種類の類型（Ｎｏ．７、Ｎｏ．１０、Ｎｏ．１３）の前記前面（１６）の形状の前記少なくとも１つの物理的形状特徴（Ｒ７、Ｒ１０、Ｒ１３）の前記形状寸法と、前記第二のシリーズ（６６−２）の前記少なくとも３種類の類型（Ｎｏ．７、Ｎｏ．１０、Ｎｏ．１３）の前記前面（１６）の形状の前記少なくとも１つの物理的形状特徴（Ｒ７、Ｒ１０、Ｒ１３）の前記形状寸法と、前記第三のシリーズ（６６−３）の前記少なくとも３種類の類型（Ｎｏ．７、Ｎｏ．１０、Ｎｏ．１３）の前記前面（１６）の形状の前記少なくとも１つの物理的形状特徴（Ｒ７、Ｒ１０、Ｒ１３）の前記形状寸法が同じである
ことを特徴とする眼鏡レンズ半製品（１０、１２）のセット（６８）。
【請求項２】
前記第一の平均屈折率（ｎｄ１）及び前記第二の平均屈折率（ｎｄ２）及び第三の平均屈折率（ｎｄ３）はペア単位で少なくとも０．０４だけ、好ましくは少なくとも０．０５だけ、より好ましくは少なくとも０．０６だけ異なることを特徴とする、請求項１に記載の眼鏡レンズ半製品（１０、１２）のセット（６８）。
【請求項３】
−その前記前面（１６）の形状の前記少なくとも１つの物理的形状特徴（Ｒ１、Ｒ２、．．．Ｒ２０）の前記形状寸法の点で異なる、前記第一のシリーズ（６６−１）の前記ペア単位で異なる類型（Ｎｏ．１、Ｎｏ．２．．．Ｎｏ．２０）のうちの少なくとも４種類、好ましくは少なくとも５種類の類型が、標準屈折率（ｎｓ）１．５３に関して３．２Ｄ〜６．７Ｄの間の、その前記前面（１６）の実際の面屈折力値（Ｄｎ）を有し、
−その前記前面（１６）の形状の前記少なくとも１つの物理的形状特徴（Ｒ１、Ｒ３、Ｒ５、Ｒ７、Ｒ９、Ｒ１０、Ｒ１１、Ｒ１３、Ｒ１４、Ｒ１６、Ｒ１８、Ｒ２０）の前記形状寸法の点で異なる、前記第二のシリーズ（６６−２）の前記ペア単位で異なる類型（Ｎｏ．１、Ｎｏ．３、Ｎｏ．５、Ｎｏ．７、Ｎｏ．９、Ｎｏ．１０、Ｎｏ．１１、Ｎｏ．１３、Ｎｏ．１４、Ｎｏ．１６、Ｎｏ．１８、Ｎｏ．２０）のうちの少なくとも４種類、好ましくは少なくとも５種類の類型が、標準屈折率（ｎｓ）１．５３に関して３．２Ｄ〜６．７Ｄの間の、その前記前面（１６）の実際の面屈折力値を有し、
−その前記前面の形状の前記少なくとも１つの物理的形状特徴の前記形状寸法の点で異なる、前記第三のシリーズの前記ペア単位で異なる類型のうちの少なくとも４種類、好ましくは少なくとも５種類の類型が、標準屈折率１．５３に関して３．２Ｄ〜６．７Ｄの間の、その前面の実際の面屈折力値を有し、
−前記第一のシリーズ（６６−１）の前記少なくとも４種類、好ましくは少なくとも５種類の類型の前記前面の形状の前記少なくとも１つの物理的形状特徴の前記形状寸法と、前記第二のシリーズ（６６−２）の前記少なくとも４種類、好ましくは少なくとも５種類の類型の前記前面（１６）の形状の前記少なくとも１つの物理的形状特徴の前記形状寸法と、前記第三のシリーズ（６６−３）の前記少なくとも４種類、好ましくは少なくとも５種類の類型の前記前面（１６）の形状の前記少なくとも１つの物理的形状特徴の前記形状寸法が同じである
ことを特徴とする、請求項１〜２の何れか１項に記載の眼鏡レンズ半製品（１０、１２）のセット（６８）。
【請求項４】
前記第一のシリーズ（６６−１）と前記第二のシリーズ（６６−２）と前記第三のシリーズ（６６−３）の各々が、眼鏡レンズ半製品（１０、１２）の類型（Ｎｏ．３、Ｎｏ．７、Ｎｏ．１０、Ｎｏ．１３、Ｎｏ．１６）を有し、その前記前面（１６）が同一の形状寸法の形状特徴（Ｒ３、Ｒ７、Ｒ１０、Ｒ１３、Ｒ１６）を有し、また、それぞれにおいて、前記同一の形状寸法のうちの１つ又はその逆数と、前記それぞれにおける次に大きい同一の形状寸法又はその逆数との差が、２０％、好ましくは１０％、最も好ましくは５％のばらつき以内で同じ大きさであることを特徴とする、請求項１〜３の何れか１項に記載の眼鏡レンズ半製品（１０、１２）のセット（６８）。
【請求項５】
前記少なくとも１つの形状特徴（Ｒ、Ｒ１、Ｒ２、．．．Ｒ２０、Ｄｎ）は、
ａ）面屈折力及び、特に実際の面屈折力（Ｄｎ）、及び／又は
ｂ）曲率（２０）及び、特に実際の曲率、及び／又は
ｃ）曲率半径（Ｒ、Ｒ１、Ｒ２、．．．Ｒ２０）及び、特に実際の曲率半径、及び／又は
ｄ）ＤＩＮ  ＩＳＯ  １０１１０において定義される円錐部分と補正多項式面との和からなる非球面部分の、次式、
【数１】
2017514180.tif 000005
（式中、ｚはサジタルデプス、ｒは入射高さ、ρは頂点曲率、ｋは円錐部分の円錐定数、Ａ４、Ａ６、．．．は補正多項式の係数である）
による補正多項式の円錐部分の頂点曲率（ρ）及び／又は円錐部分の円錐定数（ｋ）及び／又は係数（Ａ４、Ａ６、Ａ８、．．．）のうちの１つである
ことを特徴とする、請求項１〜４の何れか１項に記載の眼鏡レンズ半製品（１０、１２）のセット（６８）。
【請求項６】
前記少なくとも１つの形状特徴が実際の面屈折力（Ｄｎ）であり、前記関連する形状寸法が、標準屈折率（ｎｓ）１．５３に関する、前記関連する実際の面屈折力値であり、前記第一のシリーズ（６６−１）と前記第二のシリーズ（６６−２）と前記第三のシリーズ（６６−３）の各々が眼鏡レンズ半製品（１０、１２）の類型を有し、その前記前面（１６）が標準屈折率（ｎｓ）１．５３に関する同一の実際の面屈折力値の実際の面屈折力（Ｄｎ）を有し、また、標準屈折率（ｎｓ）１．５３に関する前記同一の実際の面屈折力値のうちの１つと、標準屈折率（ｎｓ）１．５３に関する次に大きい同一の実際の面屈折力との間の差が２．５Ｄ未満、好ましくは２．３Ｄ未満、より好ましくは１．５Ｄ未満、さらにより好ましくは１．０Ｄ未満、最も好ましくは０．８Ｄ未満であることを特徴とする、請求項１〜５の何れか１項に記載の眼鏡レンズ半製品（１０、１２）のセット（６８）。
【請求項７】
−その前記前面（１６）の形状の前記少なくとも１つの物理的形状特徴の前記形状寸法の点で異なる、前記第一のシリーズ（６６−１）の前記ペア単位で異なる類型のうちの少なくとも１０、好ましくは少なくとも１１、より好ましくは少なくとも１２、最も好ましくは少なくとも１３種類の類型が、標準屈折率（ｎｓ）１．５３に関して０．５Ｄ〜９．６０Ｄの間の、その前記前面（１６）の実際の面屈折力値を有し、
−その前記前面（１６）の形状の前記少なくとも１つの物理的形状特徴の前記形状寸法の点で異なる、前記第二のシリーズ（６６−２）の前記ペア単位で異なる類型のうちの少なくとも１０、好ましくは少なくとも１１、より好ましくは少なくとも１２、最も好ましくは少なくとも１３種類の類型が、標準屈折率（ｎｓ）１．５３に関して０．５Ｄ〜９．６０Ｄの間の、その前記前面（１６）の実際の面屈折力値を有し、
−その前記前面（１６）の形状の前記少なくとも１つの物理的形状特徴の前記形状寸法の点で異なる、前記第三のシリーズ（６６−３）の前記ペア単位で異なる類型のうちの少なくとも１０、好ましくは少なくとも１１、より好ましくは少なくとも１２、最も好ましくは少なくとも１３種類の類型が、標準屈折率（ｎｓ）１．５３に関して０．５Ｄ〜９．６０Ｄの間の、その前記前面の実際の面屈折力値を有し、
−前記第一のシリーズ（６６−１）の前記少なくとも１０、好ましくは少なくとも１１、より好ましくは少なくとも１２、最も好ましくは少なくとも１３種類の類型の前記前面（１６）の形状の前記少なくとも１つの物理的形状特徴の前記形状寸法と、前記第二のシリーズ（６６−２）の前記少なくとも１０、好ましくは少なくとも１１、より好ましくは少なくとも１２、最も好ましくは少なくとも１３種類の類型の前記前面（１６）の形状の前記少なくとも１つの物理的形状特徴の前記形状寸法と、前記第三のシリーズ（６６−３）の前記少なくとも１０、好ましくは少なくとも１１、より好ましくは少なくとも１２、最も好ましくは少なくとも１３種類の類型の前記前面（１６）の形状の前記少なくとも１つの物理的形状特徴の形状寸法が同じである
ことを特徴とする、請求項１〜６の何れか１項に記載の眼鏡レンズ半製品（１０、１２）のセット（６８）。
【請求項８】
ａ）各々が後面（１８）と、球面又は回転対称非球面の凸型で、関連する形状寸法を有する少なくとも１つの物理的形状特徴を有する前面（１６）と、を有する眼鏡レンズ半製品（１０、１２）のセット（６８）であって、
−第一の平均屈折率（ｎｄ１）の母材で製作された眼鏡レンズ半製品（１０、１２）の第一のシリーズ（６６−１）であって、その前記前面（１６）の形状の前記少なくとも１つの物理的形状特徴の前記形状寸法において異なる、眼鏡レンズ半製品（１０、１２）のペア単位で異なる類型を有し、前記ペア単位で異なる類型のうちの少なくとも３種類の類型は、標準屈折率（ｎｓ）１．５３に関する、また前記前面（１６）が回転対称非球面形状の場合にはその対称中心で測定した時の、３．２Ｄ〜６．７Ｄの間のその前記前面（１６）の実際の面屈折力値（Ｄｎ）を有する第一のシリーズ（６６−１）と、
−前記第一の平均屈折率（ｎｄ１）とは異なる第二の平均屈折率（ｎｄ２）を有する母材から製作された眼鏡レンズ半製品（１０、１２）の第二のシリーズ（６６−２）であって、その前記前面（１６）の形状の前記少なくとも１つの物理的形状特徴の前記形状寸法において異なる、眼鏡レンズ半製品（１０、１２）のペア単位で異なる類型を有する第二のシリーズ（６６−２）と、
−前記第一の平均屈折率（ｎｄ１）及び前記第二の平均屈折率（ｎｄ２）とは異なる第三の平均屈折率（ｎｄ３）を有する母材から製作された眼鏡レンズ半製品（１０、１２）の第三のシリーズ（６６−３）であって、その前記前面（１６）の形状の前記少なくとも１つの物理的形状特徴の前記形状寸法において異なる、眼鏡レンズ半製品（１０、１２）のペア単位で異なる類型を有する第三のシリーズ（６６−３）と、
を含むセット（６８）を提供するステップと、
ｂ）眼鏡レンズ半製品（１０、１２）の前記提供されたセット（６８）から前記眼鏡レンズ半製品（１０、１２）の１つを受け取るステップと、
ｃ）前記受け取られた眼鏡レンズ半製品（１０、１２）の前記後面（１８）を機械加工するステップと、
を含む眼鏡レンズの製造方法において、
−前記第二のシリーズ（６６−２）の前記ペア単位で異なる類型のうちの少なくとも３種類の類型は、標準屈折率（ｎｓ）１．５３に関して３．２Ｄ〜６．７Ｄの間のその前記前面（１６）の実際の面屈折力値を有し、
−前記第三のシリーズ（６６−３）の前記ペア単位で異なる類型のうちの少なくとも３種類の類型は、標準屈折率（ｎｓ）１．５３に関して３．２Ｄ〜６．７Ｄの間のその前記前面（１６）の実際の面屈折力値を有し、
−前記第一のシリーズ（６６−１）の前記少なくとも３種類の類型の前記前面の形状の前記少なくとも１つの物理的形状特徴の前記形状寸法と、前記第二のシリーズ（６６−２）の前記少なくとも３種類の類型の前記前面（１６）の形状の前記少なくとも１つの物理的形状特徴の前記形状寸法と、前記第三のシリーズ（６６−３）の前記少なくとも３種類の類型の前記前面（１６）の形状の前記少なくとも１つの物理的形状特徴の前記形状寸法が同じである
ことを特徴とする方法。
【請求項９】
眼鏡レンズ半製品（１０、１２）の前記提供されたセット（６８）が請求項２〜７の何れか１項に記載されているように具現化されることを特徴とする、請求項８に記載の眼鏡レンズの製造方法。
【請求項１０】
ステップｂ）において、眼鏡レンズ半製品（１０、１２）の前記提供されたセット（６８）から前記眼鏡レンズ半製品（１０、１２）を受け取る前記ステップは、前記前面（１６）の形状の少なくとも一部（１７）と形状相補的な実施形態を有する受取装置（３４）によって実行されることを特徴とする、請求項８又は９の何れかに記載の眼鏡レンズの製造方法。
【請求項１１】
前記一部（１７）は、前記受け取られた眼鏡レンズ半製品（１０、１２）の前記前面の少なくとも４０％、好ましくは少なくとも５０％、より好ましくは少なくとも６０％、最も好ましくは少なくとも７０％を含むことを特徴とする、請求項１０に記載の方法。
【請求項１２】
特に請求項８〜１１の何れか１項に記載の、眼鏡レンズの製造方法における、特に請求項１〜７の何れか１項に記載の眼鏡レンズ半製品（１０、１２）のセット（６８）の使用において、前記眼鏡レンズ半製品（１０、１２）は各々が、球面又は回転対称非球面の凸型で、関連する形状寸法を有する少なくとも１つの物理的形状特徴を有する前面（１６）を有し、
−第一の平均屈折率の母材で製作された眼鏡レンズ半製品（１０、１２）の第一のシリーズ（６６−１）であって、その前記前面（１６）の形状の前記少なくとも１つの物理的形状特徴の前記形状寸法において異なる、眼鏡レンズ半製品（１０、１２）のペア単位で異なる類型を有し、前記ペア単位で異なる類型のうちの少なくとも３種類の類型は、標準屈折率１．５３に関する、また前記前面（１６）が回転対称非球面形状の場合にはその対称中心で測定した時の、３．２Ｄ〜６．７Ｄの間のその前記前面（１６）の実際の面屈折力値（Ｄｎ）を有する第一のシリーズ（６６−１）と、
−前記第一の平均屈折率とは異なる第二の平均屈折率を有する母材から製作された眼鏡レンズ半製品（１０、１２）の第二のシリーズ（６６−２）であって、その前記前面の形状の前記少なくとも１つの物理的形状特徴の前記形状寸法において異なる、眼鏡レンズ半製品（１０、１２）のペア単位で異なる類型を有する第二のシリーズ（６６−２）と、
−前記第一の平均屈折率及び前記第二の平均屈折率とは異なる第三の平均屈折率を有する母材から製作された眼鏡レンズ半製品（１０、１２）の第三のシリーズ（６６−３）であって、その前記前面（１６）の形状の前記少なくとも１つの物理的形状特徴の前記形状寸法において異なる、眼鏡レンズ半製品（１０、１２）のペア単位で異なる類型を有する第三のシリーズ（６６−３）と、
を含み、
−前記第二のシリーズ（６６−２）の前記ペア単位で異なる類型のうちの少なくとも３種類の類型は、標準屈折率（ｎｓ）１．５３に関して３．２Ｄ〜６．７Ｄの間のその前記前面（１６）の実際の面屈折力値（Ｄｎ）を有し、
−前記第三のシリーズ（６６−３）の前記ペア単位で異なる類型のうちの少なくとも３種類の類型は、標準屈折率（ｎｓ）１．５３に関して３．２Ｄ〜６．７Ｄの間のその前記前面（１６）の実際の面屈折力値（Ｄｎ）を有し、
−前記第一のシリーズ（６６−１）の前記少なくとも３種類の類型の前記前面（１６）の形状の前記少なくとも１つの物理的形状特徴の前記形状寸法と、前記第二のシリーズ（６６−２）の前記少なくとも３種類の類型の前記前面（１６）の形状の前記少なくとも１つの物理的形状特徴の前記形状寸法と、前記第三のシリーズ（６６−３）の前記少なくとも３種類の類型の前記前面（１６）の形状の前記少なくとも１つの物理的形状特徴の前記形状寸法が同じである
ことを特徴とする使用。
【請求項１３】
特に請求項８〜１１の何れか１項に記載の方法を実行するための、眼鏡レンズの装置（８８）において、
ａ）特に請求項１〜７の何れか１項に記載の眼鏡レンズ半製品（１０、１２）のセット（６８）を提供する提供装置（９６）であって、前記眼鏡レンズ半製品（１０、１２）の各々は、後面（１８）と、球面又は回転対称非球面の凸型で、関連する形状寸法の少なくとも１つの物理的形状特徴を有する前面（１６）と、を有し、
−第一の平均屈折率の母材で製作された眼鏡レンズ半製品（１０、１２）の第一のシリーズ（６６−１）であって、その前記前面の形状の前記少なくとも１つの物理的形状特徴の前記形状寸法において異なる、前記眼鏡レンズ半製品（１０、１２）のペア単位で異なる類型を有し、前記ペア単位で異なる少なくとも３種類の類型は、標準屈折率１．５３に関する、また前記前面が回転対称非球面形状の場合にはその対称中心で測定した時の、３．２Ｄ〜６．７Ｄの間のその前記前面の実際の面屈折力値を有する第一のシリーズ（６６−１）と、
−前記第一の平均屈折率とは異なる第二の平均屈折率を有する母材から製作された眼鏡レンズ半製品（１０、１２）の第二のシリーズであって、その前記前面の形状の前記少なくとも１つの物理的形状特徴の前記形状寸法において異なる、眼鏡レンズ半製品（１０、１２）のペア単位で異なる類型を有する第二のシリーズと、
−前記第一の平均屈折率及び前記第二の平均屈折率とは異なる第三の平均屈折率を有する母材から製作された眼鏡レンズ半製品（１０、１２）の第三のシリーズであって、その前記前面（１６）の形状の前記少なくとも１つの物理的形状特徴の前記形状寸法において異なる、眼鏡レンズ半製品（１０、１２）のペア単位で異なる類型を有する第三のシリーズと、
を含む、提供装置（９６）と、
ｂ）眼鏡レンズ半製品（１０、１２）の前記提供されたセット（６８）から前記眼鏡レンズ半製品（１０、１２）の１つを受け取る受取装置（３４）と、
ｃ）前記受け取った眼鏡レンズ半製品（１０、１２）の前記後面（１８）を機械加工する機械加工装置（１００）と、
を含み、
−前記第二のシリーズ（６６−２）の前記ペア単位で異なる類型のうちの少なくとも３種類の類型は、標準屈折率（ｎｓ）１．５３に関して３．２Ｄ〜６．７Ｄの間のその前記前面の実際の面屈折力値を有し、
−前記第三のシリーズ（６６−３）の前記ペア単位で異なる類型のうちの少なくとも３種類の類型は、標準屈折率（ｎｓ）１．５３に関して３．２Ｄ〜６．７Ｄの間のその前記前面（１６）の実際の面屈折力値を有し、
−前記第一のシリーズ（６６−１）の前記少なくとも３種類の類型の前記前面（１６）の形状の前記少なくとも１つの物理的形状特徴の前記形状寸法と、前記第二のシリーズ（６６−２）の前記少なくとも３種類の類型の前記前面（１６）の形状の前記少なくとも１つの物理的形状特徴の前記形状寸法と、前記第三のシリーズ（６６−３）の前記少なくとも３種類の類型の前記前面（１６）の形状の前記少なくとも１つの物理的形状特徴の形状寸法が同じである
ことを特徴とする装置（８８）。
【請求項１４】
眼鏡レンズ半製品（１０、１２）のセット（６８）、特に請求項１〜７の何れか１項に記載の眼鏡レンズ半製品（１０、１２）のセットを設計するためのコンピュータ実装方法において、前記眼鏡レンズ半製品（１０、１２）の各々は、球面又は回転対称非球面の凸形状であり、関連する形状寸法を有する少なくとも１つの物理的形状特徴（Ｒ５、Ｒ６、．．．Ｒ１６）を有する前面（１６）を有し、眼鏡レンズ半製品（１０、１２）の前記セット（６８）は、第一の平均屈折率（ｎｄ４）の母材で製作された眼鏡レンズ半製品（１０、１２）の第一のシリーズ（６６−４）と、第一の平均屈折率（ｎｄ４）とは異なる第二の平均屈折率（ｎｄ５）の母材から製作された眼鏡レンズ半製品（１０、１２）の第二のシリーズ（６６−５）を含み、前記第一のシリーズ（６６−４）は、その前記前面（１６）の形状の前記少なくとも１つの物理的形状特徴（Ｒ５、Ｒ６、．．．Ｒ１６）の前記形状寸法の点で異なる、眼鏡レンズ半製品（１０、１２）のペア単位で異なる類型を有し、前記第二のシリーズ（６６−５）は、その前記前面（１６）の形状の前記少なくとも１つの物理的形状特徴（Ｒ５、Ｒ６、．．．Ｒ１６）の前記形状寸法において異なる、眼鏡レンズ半製品（１０、１２）のペア単位で異なる類型を有し、
ａ）前記第一のシリーズ（６６−４）の前記異なる類型の前記前面（１６）の形状の前記少なくとも１つの物理的形状特徴（Ｒ５、Ｒ６、．．．Ｒ１６）の前記形状寸法と前記第二のシリーズ（６６−５）の前記異なる類型の前記前面（１６）の形状の前記少なくとも１つの物理的形状特徴（Ｒ５、Ｒ６、．．．Ｒ１６）の前記形状寸法とを均等化するステップ
を特徴とするコンピュータ実装方法。
【請求項１５】
前記少なくとも１つの形状特徴は実際の面屈折力（Ｄｎ）であり、前記関連する形状寸法が、標準屈折率（ｎｓ）１．５３に関する、前記関連する実際の面屈折力値（Ｄｎ）であり、前記第一のシリーズ（６６−４）と前記第二のシリーズ（６６−５）の各々が眼鏡レンズ半製品（１０、１２）の類型を有し、その前記前面（１６）は、標準屈折率（ｎｓ）１．５３に関して同一の実際の面屈折力値の実際の面屈折力値（Ｄｎ）を有し、標準屈折率（ｎｓ）１．５３に関する前記第一のシリーズ（６６−４）の前記異なる類型の前記眼鏡レンズ半製品の前記前面（１６）の前記実際の面屈折力値と標準屈折率（ｎｓ）１．５３に関する前記第二のシリーズ（６６−５）の前記異なる類型の前記前面の前記実際の面屈折力値との均等化が、標準屈折率（ｎｓ）１．５３に関する前記同一の実際の面屈折力値のうちの１つと標準屈折率（ｎｓ）１．５３に関する次に大きい同一の実際の面屈折力値との差が所定の閾値より小さく、及び／又は一定に事前に定められた差の値と、２０％、好ましくは１５％、より好ましくは１０％、最も好ましくは５％のばらつき範囲内で同じとなる方法で行われること
を特徴とする、請求項１４に記載のコンピュータ実装方法。
【請求項１６】
前記コンピュータプログラムがコンピュータにロードされ、及び／又はコンピュータ上で実行されたときに、請求項１４又は１５のうちの１項に記載の方法ステップの全部を実行するためのプログラムコードによるコンピュータプログラム。
【請求項１７】
前記コンピュータプログラムがコンピュータにロードされ、及び／又はコンピュータ上で実行されたときに、請求項１４又は１５のうちの１項に記載の方法ステップの全部を実行するためのプログラムコードによるコンピュータプログラムを含むコンピュータ読取可能記憶媒体。
【発明の詳細な説明】
【技術分野】
【０００１】
本発明は、特許請求項１の前文に記載の眼鏡レンズを製造するための半製品のセットと、特許請求項８の前文に記載の眼鏡レンズの製造方法に関する。本発明はさらに、特許請求項１２の前文に記載の眼鏡レンズの製造方法における半製品のセットの使用に関する。本発明はさらに、特許請求項１３の前文に記載の眼鏡レンズの製造装置に関する。さらに、本発明は、特許請求項１４の前文に記載の眼鏡レンズを製造するための半製品のセットの設計方法に関する。最後に、本発明は、汎用型の眼鏡レンズを製造するための半製品のセットの設計方法の方法ステップのすべてを実行するためのプログラムコードによるコンピュータプログラムと、汎用型の眼鏡レンズを製造するための半製品のセットの設計方法の方法ステップのすべてを実行するためのプログラムコードによるコンピュータプログラムを含むコンピュータ読取可能記憶媒体に関する。
【背景技術】
【０００２】
眼鏡とは、通常は眼の前で装用され、眼を保護すること、又は眼の視力障害及び位置誤差を補正する役割を果たす、少なくとも１枚の眼鏡レンズを含む構造体である。したがって、視力障害を補正するための眼鏡レンズは、屈折補正用レンズ又は光学的に有効な眼鏡レンズとも呼ばれる。例えば、このような眼鏡レンズは、単焦点レンズ又は多焦点レンズ、特に２焦点レンズ、３焦点レンズ、又はその他の可変焦点レンズとすることができる。例えば、視力障害には、近眼（近視）、遠眼（遠視）、乱視及びその他、標準から逸脱した、及び／又は不十分な視力状態が含まれる。視力障害にはまた、加齢に伴う遠眼（老眼）も含まれる。
【０００３】
屈折補正用レンズは、プラスレンズとマイナスレンズとして区別される。プラスレンズは、観察対象物を拡大する収束的光学効果を有する。マイナスレンズは、観察対象物を縮小する発散的光学効果を有する。
【０００４】
眼鏡レンズは通常、個々の眼鏡装用者に合わせた特定の需要による注文に応じて製造される。一般に、眼鏡レンズは、眼鏡レンズメーカが保管する限定された類型数の半製品眼鏡レンズブランク、いわゆる半製品を使って製造される。眼鏡レンズ半製品は、眼鏡レンズ製品と同様に、各々が物体側用とされる光学面と、眼鏡装用者にとって眼と対向する側に配置される予定の光学面と、これらの部分を離間させる面と、を有する。物体側に配置される予定の光学面は前面と呼ばれ、眼側に配置される予定の光学面は後面と呼ばれる。それらの間にある面は、縁を直接形成するか、又は、一方の端で前面と、他方の端で裏面と、縁面によって間接的に隣接し、円柱縁面とよばれる。一般に、前面は凸型曲面を有し、後面は凹型である。
【０００５】
所望の光学的補正力を得るためには眼鏡レンズによってどのような形状が得られなければならないかは、その材料により決定的に決まる。ここで、最も重要なパラメータは、材料の屈折率である。過去において、眼鏡レンズは主としてミネラルガラス、特にクラウンガラス（アッベ数＞５５）とフリントガラス（アッベ数＜５０）から製造されていたが、その後、多数の有機材料からの眼鏡レンズが入手可能となっている。このような有機眼鏡レンズ用の母材は、ＣＲ  ３９、ＭＲ  ８、ＭＲ  ７、ＣＲ  ３３０、及びＭＲ  １７４の商品名で提供されている。このような母材の選択はまた、欧州特許出願公開第２６９２９４１  Ａ１号明細書の公開明細書にも記載されている。それ以外の材料も、その有機眼鏡レンズ用としての適性についての試験と開発が引き続き進められている。下の表１は、既知の母材から選択したものについて、特徴変数と参照変数を明示している。
【０００６】
【表１】
2017514180.tif 000003
【０００７】
現在、球面、回転対称非球面、又は累進前面を有する多数の有機眼鏡レンズ半製品又は製品が、プロトタイプとして、シーリングリングで相互に離間され、工程中に空洞が形成される前及び後面形状金型を用いて大量生産により成形されており、これは例えば、独国特許第３００７５７２  Ｃ２号明細書、米国特許第６，１０３，１４８  Ａ号明細書、又は特開２００８  １９１１８６号公報に記載されている。これは、ＭＲ  ７、ＭＲ  ８、ＭＲ  １０、及びＣＲ  ３９、ＣＲ  ６０７、ＣＲ  ６３０等の商品名の母材にも当てはまる。ＭＲ  ７、ＭＲ  ８、及びＭＲ  １０の商品名の母材は、三井化学株式会社が販売するポリチオウレタンである。ここで、略語「ＭＲ」は、Ｍｉｔｓｕｉ  Ｒｅｓｉｎのことである。ＣＲ  ３９、すなわちＣｏｌｕｍｂｉａ  Ｒｅｓｉｎ  ３９は、Ｐｉｔｔｓｂｕｒｇｈ  Ｐｌａｔｅ  Ｇｌａｓｓ  Ｉｎｄｕｓｔｒｉｅｓ（ＰＰＧ  Ｉｎｄｕｓｔｒｉｅｓ）により選ばれたブランド名であり、その名前で、ポリジエチレングリコールビスアリルカーボネート又はポリアリルジグリコールカーボネート（略称：ＰＡＤＣ）の材料が販売されている。これは、高屈折率デュロプラスチックポリマ材料である。ＣＲ  ６０７及びＣＲ  ６３０もまた、ＰＰＧにより製造されている。ＣＲ  ６０７及びＣＲ  ６３０の材料は、例えばフォトクロミック用として使用される。
【０００８】
ポリカーボネート製の眼鏡レンズのための製品の半製品は一般に、射出成形法によって金属型で製造される。この製造方法は、例えば欧州特許出願公開第０９５５１４７  Ａ１号明細書に記載されている。
【０００９】
ミネラル眼鏡レンズは一般に、ブランクを機械で機械的に研削加工することにより製造される。
【００１０】
上述の半製品又は製品には、１種又は複数の仕上げ工程が施されることが多い。特に、機能層が片面又は両面に堆積される。このような機能層は、眼鏡装用者にとって有利であり、眼鏡レンズが、必要に応じてその上に機能層が堆積される母材又はキャリア材の特性と成形のみに純粋に基づいた場合には有していないような所定の特性を眼鏡レンズに付与する層である。反射防止コーティング、銀めっき、偏光、色付け、自己着色、その他の光学特性に加えて、このような有利な特性には、硬化、埃の付着の軽減、曇り防止等の機械的特性及び／又は電磁放射の遮断、電流伝導等の電気的特性、及び／又はその他の物理的又は化学的特性も含まれる。
【００１１】
その光学特性が、少なくとも部分的に、事前に選択可能であるように標準化されておらず、眼鏡レンズの寸法及び／又は配置に関して使用者に適合する方法で個別に計算、製造される、注文ごとの処方箋による眼鏡レンズ、すなわち、特に個人化された単焦点及び多焦点レンズ及び、特に可変焦点又は累進焦点レンズは、機械的な、特に変形及び／又は研削による方法を用いてその最終的な形状とされる。ここで、外側形状は丸、楕円、又は楕円、又は任意の実施形態を有していてもよく、後者の場合はいわゆるフリーフォームのことである。
【００１２】
半製品眼鏡レンズブランクの一方の表面は、完成した眼鏡レンズの最終的な表面を成す。反対の表面は、完成した眼鏡レンズの光学系がその眼鏡の装用者の眼科処方箋に対応するような方法で機械加工される。一般に、前面が完成した眼鏡レンズの最終的な前面を形成するようになされる。最終的な前面に比較的小さい機械加工を行ってもよいが、その曲率が変わることはない。特に、上述の種類の１つ又は複数の機能層を堆積させることが可能である。したがって、眼鏡レンズ半製品は、一方の面だけについて光学的意味における機械加工が完了しているレンズブランクである（Ｈｅｉｎｚ  Ｄｉｅｐｅｓ、Ｒｏｌｆ  Ｂｌｅｎｄｏｗｓｋｅ“Ｏｐｔｉｋ  ｕｎｄ  Ｔｅｃｈｎｉｋ  ｄｅｒ  Ｂｒｉｌｌｅ”，Ｏｐｔｉｓｃｈｅ  Ｆａｃｈｖｅｒｏｅｆｆｅｎｔｌｉｃｈｕｎｇ  ＧｍｂＨ，Ｈｅｉｄｅｌｂｅｒｇ，２００２，ｐａｇｅ  ５６０参照）。後でもう一度明記するように、本発明は、球面又は回転対称非球面である前面と、眼鏡装用者の眼科処方箋に応じて機械加工されるべき後面を有する眼鏡レンズ半製品のみに関する。
【００１３】
本発明の範囲において、ＤＩＮ規格ＥＮ  ＩＳＯ  １３６６６：２０１２（ｏｐｈｔｈａｌｍｉｃ  ｏｐｔｉｃｓ−ｓｐｅｃｔａｃｌｅ  ｌｅｎｓｅｓ  ｖｏｃａｂｕｌａｒｙ（眼科用光学−眼鏡レンズの用語））１１．３項に基づき、眼鏡レンズの前面の呼称面屈折力値又は呼称曲率をベースカーブと呼ぶ。あるいは、ベースカーブという用語の代わりにベーシックカーブという用語も使用される。呼称面屈折力が明示されている場合は、測定中に仮定された屈折率を明示するべきである。適切な注意書きを付ければ、面屈折力値の代わりに呼称曲率又は呼称曲率半径を明示することも可能であろう。ＤＩＮ  ＥＮ  ＩＳＯ  １３６６６：２０１２は、ベースカーブとしての呼び方に関して単焦点レンズの前面にのみ言及しているものの、以下においては、ベースカーブは概して、単焦点レンズの製造のためのみでなく、多焦点レンズの製造にも適した眼鏡レンズ半製品の回転対称前面の中心における呼称面屈折力値も指す。回転対称非球面の表面の場合、呼称曲率は頂点曲率に対応する。回転対称非球面の表面の場合、呼称曲率半径は頂点半径に対応する。
【００１４】
一般に、ベースカーブは１．５３の標準屈折率に関して明示される。しかしながら、ベースカーブを明示するためにその他の屈折率を使用してもよい。
【００１５】
典型的に、眼鏡レンズ製造業者は、各々が個別のベースカーブを有する半製品の眼鏡レンズブランクのシリーズを製造する。この「ベースカーブシリーズ」は半製品のセットであり、呼称前面曲率と屈折力の値が段階的に増大する（例えば、＋０．５０Ｄ、＋２．００Ｄ、＋４．００Ｄ、等々）。
【００１６】
呼称面屈折力値又は呼称曲率は、ラベル表示の目的に使用され、呼称ベースカーブとも呼ばれる。実際の面屈折力値又は実際の曲率が計算に使用される。これは、実際のベーシックカーブとも呼ばれる。以下の説明の中では、明確に呼称値に言及していないかぎり、実値、すなわち、通常の製造及び測定誤差を考慮した、表面の実際に存在する面屈折力値、実際に存在する曲率、実際に存在する曲率半径に言及する。
【００１７】
ベースカーブシリーズの中のある半製品の前面は、後面の光学面を計算する際のスタート地点となり、それに従って、眼鏡装用者の処方箋に基づく最終的な眼鏡レンズが製造される。
【００１８】
あるベースカーブシリーズの半製品レンズブランクの前面は、原則として、例えば球面又は回転対称非球面等の回転対称面でも、例えばトーリック面又はその他の可変焦点面等の非回転対称面でもよい。後者はまた、いかなる対称特性も有さずに実施されてもよい。この場合、これらはフリーフォーム面と呼ばれる。本発明の範囲内では、回転対称、すなわち球面又は回転対称非球面の前面を有する眼鏡レンズ半製品だけが関わる。
【００１９】
例えば、異なる球面又は回転対称非球面の前面を有する半製品のセットから半製品レンズブランクを選択した後に、個々に要求される加入屈折力、処方された数値、及び、任意選択により、眼鏡装用者のその他の個別の要求事項を考慮して、後面を純粋に機械により機械加工することによって累進屈折力レンズ（ｐｒｏｇｒｅｓｓｉｖｅ  ａｄｄｉｔｉｏｎ  ｌｅｎｓ）（ＰＡＬ）を製造してもよく、これは、例えば欧州特許第０８５７９９３  Ａ２号明細書、国際公開第２００４／０１９２４３  Ａ１号パンフレット、又は欧州特許第２０２８５２７  Ｂ１号明細書に記載されている。後面は、点対称及び／又は軸対称ではないが、多焦点特性を有する。
【００２０】
あるシリーズ内の各ベースカーブは通常、半製品のセットの製造業者が推奨する複数の処方箋の作成に使用される。製造業者はいわゆるベースカーブ選択チャートを提供し、そこから、そのシリーズ内のそれぞれのベースカーブの使用が推奨される様々な処方箋が得られる。
【００２１】
典型的なベースカーブ選択チャートの一例は、特許文献の米国特許第６，９４８，８１６号明細書から得られる。同特許文献の図２３Ａ〜Ｃに示されるベースカーブシリーズは、５つのベースカーブで構成される。選択チャートは、非点収差を補正するための球面屈折力及び円柱屈折力に応じた所与の処方箋にしたがって製造業者が推奨するベースカーブを示している。示されている選択チャートは、光学的効果が遠用部分と近用部分とで異なる累進レンズ（ＰＡＬ）に関する。一般に、同じ種類の選択チャートをあらゆる種類の眼鏡レンズ、例えば（球面及び／又はトーリック）単焦点レンズ、２焦点レンズ、非球面レンズ、及びＰＡＬにも使用される。
【００２２】
ベースカーブ選択チャートの他の２つの例は、欧州特許第２０２８５２７  Ｂ１号明細書の図２及び３から得られる。図２によるベースカーブシリーズは８つのベースカーブからなり、これらには「１」から「８」の番号が付与され、図３のベースカーブシリーズは１４のベースカーブからなり、これらには「１」から「１４」の番号が付与されている。図３によるベースカーブシリーズの１４の球面ベースカーブの呼称屈折力は、以下のように段階的に増加する：０．７５Ｄ〜８．５０Ｄの間で、０．７５；１．００；１．５０；２．００；２．７５；３．２５；３．７５；４．２５；５．２５；５．７５；６．２５；６．５０；７．５０；８．５０。
【００２３】
欧州特許第２０２８５２７  Ｂ１号明細書から、一般的な傾向は、あるベースカーブシリーズの中の異なるベースカーブの数を限定して、金型の数、保管費用、及び保管に対する要求事項を削減、軽減することであることがわかる。したがって、標準的ベースカーブシリーズは最大で２０のベースカーブ（欧州特許第２０２８５２７  Ｂ１号明細書、段落［００１３］参照）、例えば１０（欧州特許第０８５７９９３  Ａ２号明細書：５ページ、３８〜５１行参照）、又は５つのベースカーブ（米国特許第６，９４８，８１６号明細書：図２３Ａ〜Ｃ）を含む。
【００２４】
上の２つの段落に記載されている文献はすべて、所定の母材で製作される眼鏡レンズのための一連のベースカーブのベースカーブを最適化するという主題を考慮している。おそらく、これらの文献の筆者は、大手の眼鏡レンズ製造業者での製造を想定している。
【００２５】
冒頭に記した国際公開第２００４／０１９２４３  Ａ１号パンフレットからわかるように、特に上述の個別の可変焦点眼鏡レンズの場合、数社の眼鏡レンズ製造業者によってだけでなく、近年、多くの市場で活発に業務展開している卸売業者、大規模な研究所、及びその他において局地的に製造できることが望ましい。
【発明の概要】
【発明が解決しようとする課題】
【００２６】
したがって、本発明の目的は、眼鏡レンズ半製品のセットと、眼鏡レンズの製造方法と、眼鏡レンズの製造方法における半製品のセットの使用と、眼鏡レンズの製造装置と、眼鏡レンズを製造するための半製品のセットの設計方法を、この方法の方法ステップのすべてを実行するためプログラムコードによる対応のコンピュータプログラム及び、特に眼鏡レンズの局地的製造の要求事項に合わせて調整された半製品のセットを設計するためのこの方法の方法ステップのすべてを実行するためのプログラムコードによるコンピュータプログラムを記憶した、対応のコンピュータ読取可能記憶媒体と共に提供することからなる。
【課題を解決するための手段】
【００２７】
この目的は、特許請求項１において請求されている眼鏡レンズを製造するための半製品のセットと、特許請求項８において請求されている眼鏡レンズの製造方法と、特許請求項１２において請求されている眼鏡レンズの製造方法における半製品のセットの使用と、特許請求項１３において請求されている眼鏡レンズの製造装置と、特許請求項１４において請求さている眼鏡レンズを製造するための半製品のセットの設計方法により達成される。本発明の有利な構成及び発展形は、従属項の主題である。
【００２８】
本発明は、近い将来、欧州特許第０  ８５７  ９９３  Ａ２号明細書と国際公開第２００４／０１９２４３  Ａ１号パンフレットからの教示の組合せに従って、各々の場合において、おそらくは異なる製造業者からの既製の球面又は回転対称非球面の前面を有する眼鏡レンズ半製品を得て、それぞれの使用者に合わせて調整された方法で後面の設計を計算し、又はこれが計算されるようにし、独国特許出願公開第１９５  ３８  ２７４  Ａ１号明細書に記載されている種類の機械によって、後面を計算に従って製造するような数多くの眼鏡レンズ製造拠点が展開されるとの仮定に基づく。
【００２９】
これらの製造拠点での製造機械には、眼鏡レンズを経済的に製造するために、ある程度の標準化が必要である。本発明は、機械加工されることになる眼鏡レンズ半製品の類型の数を全体的に削減するという考えに基づく。本発明の基本的概念は、限定された数の前面の（部分的な）幾何学形状の半製品を、正確に言えば、機械加工される眼鏡レンズの母材の屈折率に関係なく提供することにすぎない。これを使用すると、後面の機械加工が実行されている間にそれぞれの半製品を保持する受取ツールの数を減らすことができ、それは、同様の形状を有する半製品であれば同じツールで受け取ることができるからである。受取ツールの数を限定することにより、標準化を相応程度まで行うことが可能となる。
【００３０】
各々が、球面又は回転対称非球面の凸型であり、関連する形状寸法を有する少なくとも１つの物理的形状特徴を有する前面を有する眼鏡レンズ半製品のセットであって、
−第一の平均屈折率の母材から製作された眼鏡レンズ半製品の第一のシリーズであって、その前面の形状の少なくとも１つの物理的形状特徴の形状寸法において異なる、眼鏡レンズ半製品のペア単位で異なる類型を有し、ペア単位で異なる類型の少なくとも３種類の類型が、標準屈折率１．５３に関する、また前面が回転対称非球面形状である場合にはその対称中心で測定した時の、３．２Ｄ〜６．７Ｄの間であるその前面の実際の面屈折力値を有する第一のシリーズと、
−第一の平均屈折率とは異なる第二の平均屈折率の母材から製作された眼鏡レンズ半製品の第二のシリーズであって、その前面の形状の少なくとも１つの物理的形状特徴の形状寸法において異なる、眼鏡レンズ半製品のペア単位で異なる類型を有する第二のシリーズと、
−第一の平均屈折率及び第二の平均屈折率とは異なる第三の平均屈折率の母材から製作された眼鏡レンズ半製品の第三のシリーズであって、その前面の形状の少なくとも１つの物理的形状特徴の形状寸法において異なる、眼鏡レンズ半製品のペア単位で異なる類型を有する第三のシリーズと、
を含む眼鏡レンズ半製品のセットから、
本発明は、
−第二のシリーズのペア単位で異なる類型の少なくとも３種類の類型が、標準屈折率１．５３に関して３．２Ｄ〜６．７Ｄの間のその前面の実際の面屈折力値を有するようにし、
−第三のシリーズのペア単位で異なる類型の少なくとも３種類の類型が、標準屈折率１．５３に関して３．２Ｄ〜６．７Ｄの間のその前面の実際の面屈折力値を有するようにし、
−第一のシリーズの少なくとも３種類の類型の前面の形状の少なくとも１つの物理的形状特徴の形状寸法と、第二のシリーズの少なくとも３種類の類型の前面の形状の少なくとも１つの物理的形状特徴の形状寸法と、第三のシリーズの少なくとも３種類の類型の前面の形状の少なくとも１つの物理的形状特徴の形状寸法が同じになるようにする。
【００３１】
言い換えれば、本発明による眼鏡レンズ半製品のセットは、球面又は回転対称非球面の前面を有する眼鏡レンズ半製品の少なくとも３つのシリーズからなる。眼鏡レンズ半製品のシリーズは、そのそれぞれの母材に関してペア単位で異なる。母材は異なる平均屈折率を有する。標準屈折率１．５３に関して３．２Ｄ〜６．７Ｄのその前面の実際の面屈折力値の範囲内で、各シリーズは、眼鏡レンズ半製品のペア単位で異なる類型を含み、その前面形状は幾分異なる実施形態を有する。標準屈折率１．５３に関して３．２Ｄ〜６．７Ｄのその前面のこの実際の面屈折力値の範囲内で、これらの類型の少なくとも３つの前面形状は、少なくとも３類型のすべてについて、部分領域（好ましくは前面の対称中心を含む）（この部分領域は好ましくは、前面全体の４０％超、より好ましくは５０％超を含む）において同じである。
【００３２】
原則として、シリーズは、回転対称非球面の前面を有する眼鏡レンズ半製品と、球面の前面を有する眼鏡レンズ半製品の両方を含むことが可能であることは事実である。しかしながら、現実には、製造上の理由から、純粋に球面の前面を有する半製品のみを含むシリーズが利用されることが好ましい。あるいは、純粋に回転対称非球面の前面を有する半製品のみを含むシリーズを利用することも同様に可能である。
【００３３】
冒頭において提起した課題は、そのような眼鏡レンズ半製品のセットにより完全に解決される。
【００３４】
本発明の１つの構成において、第一の平均屈折率と第二の平均屈折率と第三の平均屈折率がペア単位で少なくとも０．０４だけ異なるようになされる。これによって、本発明によれば、低屈折率の母材から製作される眼鏡レンズ半製品のシリーズと高屈折率の母材から製作される眼鏡レンズ半製品のシリーズの両方が確実に構成され、その結果、提供可能範囲が決まり、おそらくは拡張される。
【００３５】
少なくとも３つの母材の平均屈折率が、少なくとも０．０５だけ、さらには少なくとも０．０６だけ異なるようになされる。少なくとも３つの母材の平均屈折率の差が大きいほど、機械加工中に眼鏡レンズ半製品の前面を受けるのに必要な受取ツールを標準化する可能性が大きくなる。
【００３６】
特に有利な変化形は、ＣＲ  ３９である眼鏡レンズ半製品の第一のシリーズの母材、ＭＲ  ８である眼鏡レンズ半製品の第二のシリーズの母材、及びＭＲ  ７である眼鏡レンズ半製品の第三のシリーズの母材からなる。代替的な変化形は、ＣＲ  ３９である眼鏡レンズ半製品の第一のシリーズの母材、ＭＲ  ８である眼鏡レンズ半製品の第二のシリーズの母材、及びＭＲ  １７４である眼鏡レンズ半製品の第三のシリーズの母材からなる。また別の有利な変化形は、ＣＲ  ３９である眼鏡レンズ半製品の第一のシリーズの母材、ポリカーボネートである眼鏡レンズ半製品の第二のシリーズの母材、及びＭＲ  ８である眼鏡レンズ半製品の第三のシリーズの母材からなる。最後に、別の好ましい変化形において、眼鏡レンズ半製品の第一のシリーズの母材はＣＲ  ３９であり、眼鏡レンズ半製品の第二のシリーズの母材はポリカーボネートであり、眼鏡レンズ半製品の第三のシリーズの母材はＭＲ  １７４である。
【００３７】
製造の観点から、すべての眼鏡レンズ半製品のシリーズについての異なる前面幾何学形状の全体的な数をできるだけ少なくすることが有利である。標準屈折率１．５３に関する、例えば０．５Ｄ〜９．６Ｄの間のその前面の実際の面屈折力値でのベースカーブ提供範囲に対して５種類の半製品の類型が望ましく、上記の３類型という最小数は、上記の３．２Ｄ〜６．７Ｄの間の範囲に含まれる。光学的な観点からは、異なる前面幾何学形状の全体数は多い方が好都合である。標準屈折率１．５３に関して、例えば０．５Ｄ〜９．６Ｄの間のその前面の実際の面屈折力値でのベースカーブ提供範囲に対して、約２０種類の半製品の類型が望ましく、約１０〜１３種類が３．２Ｄ〜６．７Ｄの間の上記の範囲に含まれる。
【００３８】
妥協案として、眼鏡レンズ半製品のセットが提供され、その中では、
−その前面の形状の少なくとも１つの物理的形状特徴の形状寸法の点で異なる、第一のシリーズのペア単位で異なる類型のうちの少なくとも４種類、好ましくは少なくとも５種類の類型が、標準屈折率１．５３に関して３．２Ｄ〜６．７Ｄの間の、その前面の実際の面屈折力値を有し、
−その前面の形状の少なくとも１つの物理的形状特徴の形状寸法の点で異なる、第二のシリーズのペア単位で異なる類型のうちの少なくとも４種類、好ましくは少なくとも５種類の類型が、標準屈折率１．５３に関して３．２Ｄ〜６．７Ｄの間の、その前面の実際の面屈折力値を有し、
−その前面の形状の少なくとも１つの物理的形状特徴の形状寸法の点で異なる、第三のシリーズのペア単位で異なる類型のうちの少なくとも４種類、好ましくは少なくとも５種類の類型が、標準屈折率１．５３に関して３．２Ｄ〜６．７Ｄの間の、その前面の実際の面屈折力値を有し、
−第一のシリーズの少なくとも４種類、好ましくは少なくとも５種類の類型の前面の形状の少なくとも１つの物理的形状特徴の形状寸法と、第二のシリーズの少なくとも４種類、好ましくは少なくとも５種類の類型の前面の形状の少なくとも１つの物理的形状特徴の形状寸法と、第三のシリーズの少なくとも４種類、好ましくは少なくとも５種類の類型の前面の形状の少なくとも１つの物理的形状特徴の形状寸法が同じである。
【００３９】
標準屈折率１．５３に関して、例えば０．５Ｄ〜９．６Ｄの間のその前面の実際の面屈折力値を有する半製品の提供範囲をカバーするためには、その結果、約１３種類の半製品の類型ができる。
【００４０】
できるだけ広い提供範囲にわたり、完成した眼鏡レンズの光学品質が確実に均一となるようにするためには、シリーズ内の半製品の階級付けをできるだけ均一に設計することが有利である。一般に、これは特定の境界内でのみ可能である。したがって、特に有利な実施形態において、本発明は、第一のシリーズと第二のシリーズと第三のシリーズの各々が、眼鏡レンズ半製品の類型を有し、その前面が同一の形状寸法の形状特徴を有するようにし、また、それぞれにおいて、同一の形状寸法のうちの１つ又はその逆数と、そのそれぞれにおける次に大きい同一の形状寸法又はその逆数との差を、２０％、好ましくは１０％、最も好ましくは５％のばらつき以内で同じ大きさにする。
【００４１】
形状特徴を選択するためには多くの可能性がある。例えば、少なくとも１つの形状特徴は、
ａ）面屈折力及び、特に実際の面屈折力、及び／又は
ｂ）曲率及び、特に実際の曲率、及び／又は
ｃ）曲率半径及び、特に実際の曲率半径、及び／又は
ｄ）ＤＩＮ  ＩＳＯ  １０１１０において定義される円錐部分と補正多項式面との和からなる非球面部分の、次式、
【数１】
2017514180.tif 000004
（ここで、式（１）中、ｚはサジタルデプス、ｒは入射高さ、ρは頂点曲率、ｋは円錐部分の円錐定数、Ａ４、Ａ６、．．．は補正多項式の係数である）
による補正多項式の円錐部分の頂点曲率（ρ）及び／又は円錐部分の円錐定数（ｋ）及び／又は係数（Ａ４、Ａ６、Ａ８、．．．）のうちの１つとすることができる。
【００４２】
上述のような、シリーズ内での半製品の階級付けを均等にするアイディアから引き続き、本発明の１つの変化形は、少なくとも１つの形状特徴を実際の面屈折力にし、関連する形状寸法を、標準屈折率１．５３に関する、関連する実際の面屈折力にして、第一のシリーズと第二のシリーズと第三のシリーズの各々が眼鏡レンズ半製品の類型を有し、その前面が標準屈折率１．５３に関する同一の実際の面屈折力値の実際の面屈折力を有するようにし、また、標準屈折率１．５３に関する同一の実際の面屈折力値のうちの１つと、標準屈折率１．５３に関する次に大きい同一の実際の面屈折力との間の差が２．５Ｄ未満となるようにする。２．５Ｄの限度は、上述の納品範囲に対する最終製品の十分な光学品質に対する要求を説明しており、これは、本発明による類型分類に関して、それ以外の眼鏡レンズ半製品が使用されないとの前提に基づく。
【００４３】
一般に、最終製品の品質は、上述の差の数値が２．３Ｄ未満、より好ましくは１．５Ｄ未満、さらに好ましくは１．０Ｄ未満であれば、向上させることができる。約０．８Ｄの最大値は、標準屈折率１．５３に関して例えば０．５Ｄ〜９．６Ｄの間の、その前面の実際の面屈折力値を有する半製品の提供範囲をカバーするために１３種類の半製品の類型を使用した場合に有利であることがわかった。
【００４４】
すでに上で説明したように、あるシリーズ内の所望の数の種類の眼鏡レンズ半製品の類型は、製造上の要求事項と光学的な要求事項との間の妥協案を構成する。更に、提供範囲は、眼鏡レンズ半製品の類型の種類の総数について決定される。
【００４５】
上記の境界条件を等しく考慮して、本発明者によって理想的であると考えられる眼鏡レンズ半製品のセットは、
−その前面の形状の少なくとも１つの物理的形状特徴の形状寸法の点で異なる、第一のシリーズのペア単位で異なる類型のうちの少なくとも１０、好ましくは少なくとも１１、より好ましくは少なくとも１２、最も好ましくは少なくとも１３種類の類型が、標準屈折率１．５３に関して０．５Ｄ〜９．６０Ｄの間の、その前面の実際の面屈折力値を有し、
−その前面の形状の少なくとも１つの物理的形状特徴の形状寸法の点で異なる、第二のシリーズのペア単位で異なる類型のうちの少なくとも１０、好ましくは少なくとも１１、より好ましくは少なくとも１２、最も好ましくは少なくとも１３種類の類型が、標準屈折率１．５３に関して０．５Ｄ〜９．６０Ｄの間の、その前面の実際の面屈折力値を有し、
−その前面の形状の少なくとも１つの物理的形状特徴の形状寸法の点で異なる、第三のシリーズのペア単位で異なる類型のうちの少なくとも１０、好ましくは少なくとも１１、より好ましくは少なくとも１２、最も好ましくは少なくとも１３種類の類型が、標準屈折率１．５３に関して０．５Ｄ〜９．６０Ｄの間の、その前面の実際の面屈折力値を有し、
−第一のシリーズの少なくとも１０、好ましくは少なくとも１１、より好ましくは少なくとも１２、最も好ましくは少なくとも１３種類の類型の前面の形状の少なくとも１つの物理的形状特徴の形状寸法と、第二のシリーズの少なくとも１０、好ましくは少なくとも１１、より好ましくは少なくとも１２、最も好ましくは少なくとも１３種類の類型の前面の形状の少なくとも１つの物理的形状特徴の形状寸法と、第三のシリーズの少なくとも１０、好ましくは少なくとも１１、より好ましくは少なくとも１２、最も好ましくは少なくとも１３種類の類型の前面の形状の少なくとも１つの物理的形状特徴の形状寸法が同じである
ように構成される。
【００４６】
本発明による、眼鏡レンズの製造方法は、
ａ）各々が後面と、球面又は回転対称非球面の凸型で、関連する形状寸法を有する少なくとも１つの物理的形状特徴を有する前面と、を有する眼鏡レンズ半製品のセットであって、
−平均屈折率の母材で製作された眼鏡レンズ半製品の第一のシリーズであって、その前面の形状の少なくとも１つの物理的形状特徴の形状寸法において異なる、眼鏡レンズ半製品のペア単位で異なる類型を有し、ペア単位で異なる少なくとも３種類の類型は、標準屈折率１．５３に関する、また前面が回転対称非球面形状の場合にはその対称中心で測定した時の、３．２Ｄ〜６．７Ｄの間のその前面の実際の面屈折力値を有する第一のシリーズと、
−第一の平均屈折率とは異なる第二の平均屈折率を有する母材から製作された眼鏡レンズ半製品の第二のシリーズであって、その前面の形状の少なくとも１つの物理的形状特徴の形状寸法において異なる、眼鏡レンズ半製品のペア単位で異なる類型を有する第二のシリーズと、
−第一の平均屈折率及び第二の平均屈折率とは異なる第三の平均屈折率を有する母材から製作された眼鏡レンズ半製品の第三のシリーズであって、その前面の形状の少なくとも１つの物理的形状特徴の形状寸法において異なる、眼鏡レンズ半製品のペア単位で異なる類型を有する第三のシリーズと、
を含み、
−第二のシリーズのペア単位で異なる類型のうちの少なくとも３種類の類型は、標準屈折率１．５３に関して３．２Ｄ〜６．７Ｄの間のその前面の実際の面屈折力値を有し、
−第三のシリーズのペア単位で異なる類型のうちの少なくとも３種類の類型は、標準屈折率１．５３に関して３．２Ｄ〜６．７Ｄの間のその前面の実際の面屈折力値を有し、
−第一のシリーズの少なくとも３種類の類型の前面の形状の少なくとも１つの物理的形状特徴の形状寸法と、第二のシリーズの少なくとも３種類の類型の前面の形状の少なくとも１つの物理的形状特徴の形状寸法と、第三のシリーズの少なくとも３種類の類型の前面の形状の少なくとも１つの物理的形状特徴の形状寸法が同じである
ような眼鏡レンズ半製品のセットを提供するステップと
ｂ）提供された眼鏡レンズ半製品のセットから眼鏡レンズ半製品の１つを受け取るステップと、
ｃ）受け取った眼鏡レンズ半製品の裏面を機械加工するステップと、
を含む。
【００４７】
言い換えれば、提供された眼鏡及び半製品のセットは、球面又は回転対称非球面の前面を有する眼鏡レンズ半製品の少なくとも３つのシリーズからなる。眼鏡レンズ半製品のシリーズは、そのそれぞれの母材に関してペア単位で異なる。母材は、異なる平均屈折率を有する。その前面の実際の面屈折力値の範囲が標準的屈折率１．５３に関して３．２Ｄ〜６．７Ｄの間であることにより、シリーズの各々は、少なくとも３種類のペア単位で異なる眼鏡レンズ半製品の類型を含み、その前面形状は幾分異なる実施形態を有する。その前面の、標準屈折率１．５３に関する３．２Ｄ〜６．７Ｄの間というこの実際の面屈折力値範囲内で、これらの少なくとも３つの類型の前面形状は、少なくとも３つのシリーズのすべてについて、部分領域（この部分領域は好ましくは前面全体の４０％超、より好ましくは５０％超を含む）で、又はその前面全体で同じである。
【００４８】
本発明による眼鏡レンズの製造方法において、方法ステップａ）で、眼鏡レンズ半製品のセットの上述の実施形態の変化形のすべてを提供することが当然可能である。ここで明確に、その特性に関する上記の説明を参照する。
【００４９】
提供された半製品にさらに機械加工又は仕上げ加工を行うには通常、方法ステップステップｂ）にしたがって、眼鏡レンズ半製品を受容手段又はホルダ上に再現可能に固定又は締結する必要がある。本発明の範囲内で、この工程を、受け取るステップと呼ぶ。受け取るステップは、保護膜を接触対象の前面に堆積させることを含んでいてもよい。
【００５０】
半製品を受け取るステップにより、眼鏡レンズ半製品とそのホルダ（その上でそれが受け取られる）との間で所定の位置割当が行われる。すると、キャリアと受け取られた眼鏡レンズ半製品との「複合体」が得られ、これを例えば、機械加工用機構、例えばフライス盤、旋盤、及び／又は研磨機の上に所定の高精度、高精密な方法で受け取られるようにすることができる。したがって、製造工程の進行又は機械加工の進行をモニタするためのモニタリングステーションにおいても、高い精度で受け取ることが可能となる。通常、眼鏡レンズ半製品は、多くの製造ステップ又は機械加工ステップ中にその受け取られた時の状態のままとされる。
【００５１】
例えば、眼鏡レンズ半製品は、接着式及び／又は圧力嵌めによって受け取られるようにすることができる。これに関連して、眼鏡レンズ半製品又は半製品を受け取るための様々な方法が、例えば国際公開第２００５／０６５８８６  Ａ１号パンフレットからわかる。眼鏡レンズ半製品を適当な受容手段の中に、融点の低い金属合金によって接着式に受け取ることも依然として慣例的に行われている。この工程はまた、当業者から、ブロックピースの塗布とも呼ばれる。換言すれば、低融点の金属合金は、眼鏡レンズ半製品、特にその前面と、ホルダとの間の「接着剤」としての役割を果たす。さらに、眼鏡レンズを製造するための眼鏡レンズ半製品を有機接着剤によって適切な受容手段の中に固定し、又は受けられるようにすることも知られている。
【００５２】
さらに、眼鏡レンズを製造するための眼鏡レンズ半製品を圧力嵌めによって適切な受容手段の中に固定することが知られている。圧力嵌めによる受取は特に、眼鏡レンズ半製品と受容手段としての役割を果たすキャリア又はホルダとの間に空洞を少なくとも部分的に空にすることを含んでいてもよい。このようにして、負圧、特に真空を発生させることができ、その結果、加えられる圧力差により、眼鏡レンズ半製品はしっかりと確実に受容手段に保持される。対応する固定された眼鏡レンズ半製品の対応する座部が受容手段に十分に密着するかぎり、このような受取状態は、少なくとも特定の長さの時間にわたって確実に維持できる。
【００５３】
負圧をかけることによって眼鏡レンズ半製品を受け取るステップには、欧州特許第０  ８５７  ９９３  Ａ２号明細書に記載されているように、追加の媒体（金属合金、接着剤、又はその他）が不要となるという実質的な利点がある。したがって、費用が削減される可能性があり、有毒でありうる物質の処分も不要である。
【００５４】
しかしながら、空気圧式の受容手段（真空ブロッキングと呼ばれることもある）は一般に、それ以外の箇所での費用の増大の原因となる。これは、例えば眼鏡レンズ半製品をキャリア上に確実にしっかりと固定することは、可能であれば、眼鏡レンズ半製品の接触面（通常、前面）とキャリア上のその対応する座部との間にわずかな所定のギャップだけが形成された場合のみ実現できるからである。言い換えれば、これは、キャリアの座部が、可能であれば、眼鏡レンズ半製品の接触面形状、特に接触面の曲率と整合するべきであることを意味する。それゆえ、例えば、キャリアの座部の球面又は回転対称非球面の表面眼鏡レンズ半製品の球面又は回転対称の接触面と一致することが好ましい。これは、球面又は回転対称非球面が相互に一致する曲率半径を含む場合を含んでいてもよく、これは例えば、欧州特許第０  ８５７  ９９３  Ａ２号明細書、米国特許第３，１３４，２０８号明細書、米国特許第４，０８９，１０２号明細書、独国特許出願公開第３９  ２４  ０７８  Ａ１号明細書、又は独国特許出願公開第２５  ３１  １３４  Ａ１号明細書に記載されている。
【００５５】
一般に、受容手段を、受け取られる半製品の前面全体にわたって形状相補的に当接させる必要はない。これは、接着による受取、特に受容手段と半製品の前面との下に塗布された低融点の金属合金又は受容手段と半製品の前面との間に塗布された有機接着剤によるブロッキングの場合と、圧力嵌めによる受取、特に受容手段と半製品の前面との間にかかる負圧による真空ブロッキングの場合のどちらにも当てはまる。
【００５６】
したがって、本発明の特定の構成において、ステップｂ）で、提供された眼鏡レンズ半製品のセットから眼鏡レンズ半製品を受け取るステップが、前面の形状の１部分のみと形状の点で相補的な実施形態を有する受取装置によって実行されるようになされる。この部分は、受け取られた眼鏡レンズ半製品の前面の少なくとも４０％、好ましくは少なくとも５０％、より好ましくは少なくとも６０％、最も好ましくは少なくとも７０％を含んでいてもよい。これまでにわかっている点として、この部分が受け取られた眼鏡レンズ半製品の前面の４０％〜８０％、好ましくは５０％〜８０％、より好ましくは６０〜８０％、最も好ましくは７０％〜８０％の間を含む場合に十分である。
【００５７】
原則として、接着ブロッキングという従来の接着の種類と比較して、形状相補的に事前に成形された真空ブロッキンクのための受取装置は、費用の増大を導くかもしれない。換言すれば、眼鏡レンズ半製品の各接触面の形状について、座部又はキャリアの形態での、特別に調整された受取装置を提供することが、すなわち受取時の機能的信頼性の点から、望ましい。より端的に言えば、受け取る必要のある上記の種類の各眼鏡レンズ半製品の類型のための座部、又は接触面のある曲率半径に従って適切に調整されたキャリアを常に利用可能にしておく必要があり、前記座部又はキャリアは、それに合わせて調整された受取半径を有する。接着ブロッキングに関して、形状相補的実施形態を有する受取装置は特に、必須ではないが、少なくとも部分的には極めて好ましい。
【００５８】
受け取られる半製品の前面と形状相補的に事前に調整された輪郭を有する、眼鏡レンズ半製品を圧力嵌めによる受け取るための受取装置の代わりに、本発明を実現することを目的として、受け取られる半製品の前面に形状相補的に事前調整可能な輪郭を有する受取装置を使用することも可能である。例えば、これは軸方向に移動可能なリング状の当接要素によって実行でき、これは例えば欧州特許第０  ８５７  ９９３  Ａ２号明細書又は特開３１２１７６３  Ａ号公報に記載されている。
【００５９】
眼鏡レンズ半製品の前面を広範囲で形状嵌合式方法で受け取ることは、空気圧による受取装置の場合は必須ではない。しかしながら、これまでにわかった点として、受容手段と眼鏡レンズ半製品との間の保持力は、欧州特許第０  ８５７  ９９３  Ａ２号明細書、米国特許第３，１３４，２０８号明細書、米国特許第４，０８９，１０２号明細書、独国特許第３９  ２４  ０７８  Ａ１号明細書、独国特許第２５  ３１  １３４  Ａ１号明細書、及び特開３１２１７６３  Ａ号公報の文献に記載されている、保持されるべき半製品の前面の広い部分と形状相補的な方法で実現されている当接面を有する受取装置のほうが、眼鏡レンズ半製品のための、周囲に密着する外側の概してリング状の当接面のみを有する単純な吸引キャリアの場合よりはるかに大きい。
【００６０】
吸引キャリアがそのために実現されている場合、負圧を生成した後に、電力を使用することなく、眼鏡レンズ半製品を安定に保持することが特に好ましい。言い換えれば、これは、眼鏡レンズ半製品を吸引キャリア上に、いったんそれが受け取られた後にしっかりと保持するために、別のエネルギーをかける必要がないことを意味する。このために、適当な構造的手段、特に、受取座部の上及び吸引キャリア自体の上に密着させるのに特に適した手段が提供されてもよい。眼鏡レンズ半製品が受取座部、例えば、周囲の密着面に十分にしっかりと当接するかぎり、及び、負圧を生成するために接触可能な、吸引キャリア上の負圧ラインが外部から十分に密閉されているかぎり、眼鏡レンズ半製品はまた、吸引キャリア上に比較的長い時間にわたり、しっかりとした確実な所定の方法で保持できる。換言すれば、独立し、安定した、吸引キャリアと眼鏡レンズ半製品からなる複合体を形成することができる。例えば、吸引キャリアと眼鏡レンズ半製品の複合体を製造設備の中で移動させ、利用でき、負圧ライン又はその他の設置が不要である。
【００６１】
例えば、受容座部と眼鏡レンズ半製品との間の負圧は、眼鏡レンズ半製品の接触面と受取座部との間の流体（特に空気）でもともと満たされていた空間を空にすることによって生成できる。これに関して本開示が真空に言及するかぎり、これは必ずしも絶対真空が生成されることを意味するとはかぎらない。むしろ、通常、周囲圧力と、眼鏡レンズ半製品の接触面と受取座部との間の「真空空間」の中の圧力との間で所定の負圧又は所定の圧力差を生成すれば十分である。
【００６２】
例えば、機械加工ステップｃ）は、研削工程及び／又はフライス加工及び／又は変形工程を含んでいてもよい。さらに、受け取られたられた眼鏡レンズ半製品の機械加工は、研磨工程を含んでいてもよい。機械加工は、標準化された裏面の賦形製造又は、後の使用者のために個別に計算された裏面の表面設計の賦形製造で構成できる。特に、上記の何れの場合にも、処方箋の数値と、例えば眼鏡検査士又は眼科医が設定した、欧州特許第０  ８５７  ９９３  Ａ２号明細書に記載されているような種類の個別の使用者情報が含められてもよい。
【００６３】
上述の賦形工程に加えて、又はその代わりに、機械加工ステップはまた、本明細書の導入部分に記載したような種類の機能層の堆積を含んでいてもよい。
【００６４】
眼鏡レンズ半製品の機械加工中に、少なくともある期間にわたり、好ましくはほとんど永久的にこれをその受取状態のままにすることができる。特に、眼鏡レンズ半製品は、受け取られた状態で各種の機械加工ステーション間で移動できる。さらに、眼鏡レンズ半製品を受け取られた状態のまま、少なくとも１つのモニタステーション又は試験ステーションへと送給して、例えば、機械加工の進行をモニタしてもよい。さらに、このようにすれば品質管理も容易化できる。
【００６５】
本発明はさらに、特に上述の種類の眼鏡レンズの製造方法における、特に上述の種類の眼鏡レンズ半製品のセットの使用の提案からなり、眼鏡レンズ半製品の各々は、球面又は回転対称非球面の凸型で、関連する形状寸法の少なくとも１つの物理的形状特徴を有する前面を有し、
−第一の平均屈折率の母材で製作された眼鏡レンズ半製品の第一のシリーズであって、その前面の形状の少なくとも１つの物理的形状特徴の形状寸法において異なる、ペア単位で異なる眼鏡レンズ半製品の類型を有し、ペア単位で異なる少なくとも３種類の類型は、標準屈折率１．５３に関する、また前面が回転対称非球面形状の場合にはその対称中心で測定した時の、３．２Ｄ〜６．７Ｄの間のその前面の実際の面屈折力値を有する第一のシリーズと、
−第一の平均屈折率とは異なる第二の平均屈折率を有する母材から製作された眼鏡レンズ半製品の第二のシリーズであって、その前面の形状の少なくとも１つの物理的形状特徴の形状寸法において異なる、眼鏡レンズ半製品のペア単位で異なる類型を有する第二のシリーズと、
−第一の平均屈折率及び第二の平均屈折率とは異なる第三の平均屈折率を有する母材から製作された眼鏡レンズ半製品の第三のシリーズであって、その前面の形状の少なくとも１つの物理的形状特徴の形状寸法において異なる、眼鏡レンズ半製品のペア単位で異なる類型を有する第三のシリーズと、
を含み、
−第二のシリーズのペア単位で異なる類型のうちの少なくとも３種類の類型は、標準屈折率１．５３に関して３．２Ｄ〜６．７Ｄの間のその前面の実際の面屈折力値を有し、
−第三のシリーズのペア単位で異なる類型のうちの少なくとも３種類の類型は、標準屈折率１．５３に関して３．２Ｄ〜６．７Ｄの間のその前面の実際の面屈折力値を有し、
−第一のシリーズの少なくとも３種類の類型の前面の形状の少なくとも１つの物理的形状特徴の形状寸法と、第二のシリーズの少なくとも３種類の類型の前面の形状の少なくとも１つの物理的形状特徴の形状寸法と、第三のシリーズの少なくとも３種類の類型の前面の形状の少なくとも１つの物理的形状特徴の形状寸法が同じである。
【００６６】
冒頭で提起した本発明の課題は、眼鏡レンズの製造方法における眼鏡レンズ半製品のセットの上述の使用により完全に解決される。
【００６７】
さらに、本発明は、特に上述の種類の方法を実行するための、眼鏡レンズの製造装置の提供からなり、
ａ）特に上述の種類の眼鏡レンズ半製品のセットを提供する提供装置であって、眼鏡レンズ半製品の各々は、後面と、球面又は回転対称非球面の凸型で、関連する形状寸法の少なくとも１つの物理的形状特徴を有する前面と、を有し、
−第一の平均屈折率の母材で製作された眼鏡レンズ半製品の第一のシリーズであって、その前面の形状の少なくとも１つの物理的形状特徴の形状寸法において異なる、眼鏡レンズ半製品のペア単位で異なる類型を有し、ペア単位で異なる少なくとも３種類の類型は、標準屈折率１．５３に関する、また前面が回転対称非球面形状の場合にはその対称中心で測定した時の、３．２Ｄ〜６．７Ｄの間のその前面の実際の面屈折力値を有する第一のシリーズと、
−第一の平均屈折率とは異なる第二の平均屈折率を有する母材から製作された眼鏡レンズ半製品の第二のシリーズであって、その前面の形状の少なくとも１つの物理的形状特徴の形状寸法において異なる、眼鏡レンズ半製品のペア単位で異なる類型を有する第二のシリーズと、
−第一の平均屈折率及び第二の平均屈折率とは異なる第三の平均屈折率を有する母材から製作された眼鏡レンズ半製品の第三のシリーズであって、その前面の形状の少なくとも１つの物理的形状特徴の形状寸法において異なる、眼鏡レンズ半製品のペア単位で異なる類型を有する第三のシリーズと、
を含み、
−第二のシリーズのペア単位で異なる類型のうちの少なくとも３種類の類型は、標準屈折率１．５３に関して３．２Ｄ〜６．７Ｄの間のその前面の実際の面屈折力値を有し、
−第三のシリーズのペア単位で異なる類型のうちの少なくとも３種類の類型は、標準屈折率１．５３に関して３．２Ｄ〜６．７Ｄの間のその前面の実際の面屈折力値を有し、
−第一のシリーズの少なくとも３種類の類型の前面の形状の少なくとも１つの物理的形状特徴の形状寸法と、第二のシリーズの少なくとも３種類の類型の前面の形状の少なくとも１つの物理的形状特徴の形状寸法と、第三のシリーズの少なくとも３種類の類型の前面の形状の少なくとも１つの物理的形状特徴の形状寸法が同じである
ような提供装置と、
ｂ）提供された眼鏡レンズ半製品のセットから眼鏡レンズ半製品の１つを受け取る受取装置と、
ｃ）受け取った眼鏡レンズ半製品の後面を機械加工する機械加工装置と、
を含む。
【００６８】
冒頭において提起された本発明の課題は、眼鏡レンズを製造するための本発明による上述の装置により完全に解決される。
【００６９】
例えば、提供装置はストアとすることができ、これはセットの中の異なる半製品を保管し、そこに対して、そのセットの眼鏡レンズ半製品の１つが、その前面で受け取られ、後面が機械加工されるようにそこに要求できる。例えば、提供装置はまた、テータベースとすることもでき、これが個別の半製品の類型に関する情報を供給し、また、そこからこれを得ることができ、そのセットの眼鏡レンズ半製品の１つが、その前面において受け取られ、後面が機械加工されるように要求できる。
【００７０】
上ですでに説明したように、受取装置は、眼鏡レンズ半製品との接着及び／又は圧力嵌め及び／又は嵌合接続を成立させてもよい。受取装置は、受取装置と、眼鏡レンズ半製品の前面との間の、受取装置と半製品前面との間に導入された低融点金属合金によって、又は受取装置と半製品前面との間に塗布された有機接着剤によって粘着接続を確立できるブロッキング装置として構成されてもよい。受取装置はまた、負圧吸引装置又は真空吸引装置として実施されてもよく、これは、受取装置と半製品前面との間の空洞内の負圧によって圧力嵌め接続を成立させることができる。
【００７１】
機械加工装置は、１つ又は複数のフライス加工ツール、及び／又は１つ又は複数の旋盤ツール、及び／又は１つ又は複数の研削ツール、及び／又は１つ又は複数の研磨ツールを含んでいてもよい。これに加えて、又はその代わりに、機械加工装置は、機能層を堆積させるための１つ又は複数の成膜装置を含んでいてもよい。１つ又は複数の機能層の湿式化学堆積のために、例えば浸漬コーティング装置又はスピンオン又はスピンコーティング装置等の１つ又は複数の成膜装置があってもよい。さらに、１つ又は複数の真空コーティング装置、例えば真空蒸着装置、特に蒸発装置、スパッタリング装置又は化学真空反応装置が利用されてもよい。
【００７２】
最後に、本発明は、眼鏡レンズ半製品のセット、特に上述の種類のうちの１つによる半製品のセットを設計するためのコンピュータ実装方法からなり、眼鏡レンズ半製品の各々は、球面又は回転対称非球面の凸形状であり、関連する形状寸法を有する少なくとも１つの物理的形状特徴を有する前面を有し、眼鏡レンズ半製品のセットは、第一の平均屈折率の母材で製作された眼鏡レンズ半製品の第一のシリーズと、第一の平均屈折率とは異なる第二の平均屈折率の母材から製作された眼鏡レンズ半製品の第二のシリーズを含み、第一のシリーズは、その前面の形状の少なくとも１つの物理的形状特徴の形状寸法の点で異なる、眼鏡レンズ半製品のペア単位で異なる類型を有し、第二のシリーズは、その前面の形状の少なくとも１つの物理的形状特徴の形状寸法において異なる、眼鏡レンズ半製品のペア単位で異なる類型を有する。
【００７３】
本発明によるコンピュータ実装方法は以下のステップを特徴とする：
ａ）第一のシリーズの異なる類型の前面の形状の少なくとも１つの物理的形状特徴の形状寸法と第二のシリーズの異なる類型の前面の形状の少なくとも１つの物理的形状特徴の形状寸法とを均等化するステップ。
【００７４】
言い換えれば、形状寸法を均等化するステップは、眼鏡レンズ半製品のセットが、球面又は回転対称非球面の前面を有する眼鏡レンズ半製品の少なくとも２つのシリーズからなり、眼鏡レンズ半製品のシリーズはそれぞれの母材の点で異なり、母材は異なる平均屈折率を有し、シリーズの各々が、眼鏡レンズ半製品の少なくとも２種類のペア単位で異なる類型を含み、その前面の形状は幾分異なる実施形態を有し、これらの少なくとも２つの類型の前面形状が、少なくとも２つのシリーズのすべてについて、部分領域（これは前面全体の好ましくは４０％超、より好ましくは５０％超を含む）又は前面全体で同じであるように、形状寸法を対応させることを意味すると理解される。
【００７５】
冒頭において提起した本発明の課題は、眼鏡レンズ半製品のセットを設計するための本発明による上述のコンピュータ実装方法によって完全に解決される。
【００７６】
本発明によるコンピュータ実装方法の特に有利な実施形態は、少なくとも１つの形態特徴が実際の面屈折力であることと、関連する形状寸法が、標準屈折率１．５３に関する、関連する実際の面屈折力値であり、眼鏡レンズ半製品の第一のシリーズと第二のシリーズの各々が眼鏡レンズ半製品の類型を有し、その前面は、標準屈折率１．５３に関する同一の実際の面屈折力値の実際の面屈折力を有し、第一のシリーズの異なる類型の前面の実際の面屈折力値と第二のシリーズの異なる類型の前面の実際の面屈折力値との均等化が、標準屈折率１．５３に関する同一の実際の面屈折力値のうちの１つと標準屈折率１．５３に関する次に大きい同一の実際の面屈折力値との差が所定の閾値より小さく、及び／又は一定に事前に定められた差の値と、２０％、好ましくは１５％、より好ましくは１０％、最も好ましくは５％のばらつき範囲内で同じとなるような方法で実行されることからなる。
【００７７】
上の説明によれば、この設計ルールの利点は、ほとんど均一な階級付けが、あるシリーズの半製品の間で生成され、それによって提供範囲全体にわたり、完成した眼鏡レンズの光学特性に関して略均一な品質分布が可能になるという事実にある。
【００７８】
本発明によれば、眼鏡レンズを製造するための半製品セットを設計する上述の方法と、その方法ステップを実行するためのその変化形は、コンピュータプログラムがコンピュータに読み込まれた、及び／又はコンピュータ上で実行された場合に、プログラムコードによるコンピュータブログラムの形態で存在してもよい。
【００７９】
特に、本発明は、眼鏡レンズを製造するための半製品のセットを設計する上述の方法と、その方法ステップを実行するためのその変化形は、コンピュータプログラムがコンピュータを読み込む、及び／又はコンピュータ上で実行するためにプログラムコードによるコンピュータブログラムを記憶したコンピュータ読取可能記憶媒体の形態で存在するようにする。
【００８０】
本発明の他の特徴と利点は、図面を参照しながらの複数の好ましい例示的実施形態に関する以下の説明から明らかとなるであろう。
【図面の簡単な説明】
【００８１】
【図１】眼鏡レンズを製造するための２つの眼鏡レンズ半製品の簡略化した側面略図を示す。
【図２】眼鏡レンズを製造するための別の眼鏡レンズ半製品と眼鏡レンズ半製品に合わせて調整される受取座部を有する受容手段の簡略化した側面略図を示す。
【図３−５】眼鏡レンズ半製品と、その眼鏡レンズ半製品の対応する接触面に合わせて調整された受取座部を有する接触部との組合せの簡略化した側面略図を示す。
【図６】眼鏡レンズ半製品のセットとキャリア又は接触部セットの考えうる構成とペアを示すための、ごく簡略化した概略図表を示す。
【図７】平均屈折率１．６のそれぞれの眼鏡レンズ半製品の類型の母材からなる眼鏡レンズ半製品の前面の曲率半径の形態での標準化された物理的形状を各々が有する眼鏡レンズ半製品の類型を、眼鏡レンズ半製品の類型に基づいて生成可能な光学的補正の所定の領域に割り当てることを説明する例示的略図を示す。
【図８】平均屈折率１．６７のそれぞれの眼鏡レンズ半製品の類型の母材からなる眼鏡レンズ半製品の前面の曲率半径の形態での標準化された物理的形状を各々が有する眼鏡レンズ半製品の類型を、眼鏡レンズ半製品の類型に基づいて生成可能な光学的補正の所定の領域に割り当てることを説明する例示的略図を示す。
【図９】曲率半径が標準屈折率１．５３に関する実際の面屈折力に変換されている、図７による割り当てを示す。
【図１０】曲率半径が標準屈折率１．５３に関する実際の面屈折力に変換されている、図８による割り当てを示す。
【図１１】眼鏡レンズを製造するための設備又はシステムの、ごく簡略化した概略ブロック図を示す。
【図１２】眼鏡レンズの製造方法の構成の、ごく簡略化した概略ブロック図を示す。
【図１３】図１０に基づいて示される方法に基づく、眼鏡レンズの製造方法の代替的構成の、ごく簡略化した概略ブロック図を示す。
【図１４】図１０に基づいて示される眼鏡レンズの製造方法の方法ステップの考えうる部分的ステップを説明するための、ごく簡略化した概略ブロック図を示す。
【発明を実施するための形態】
【００８２】
図１は、本発明の範囲内で使用される、眼鏡レンズを製造するための眼鏡レンズ半製品の考えうる設計を、２つの側面図に基づいて、ごく簡略的に示す。１０で示される眼鏡レンズ半製品は、いわゆるプラスレンズを製造するための例示的な方法で使用されてもよい。１２で示される眼鏡レンズ半製品は、いわゆるマイナスレンズを製造するための例示的な方法において使用されてもよい。
【００８３】
この例示的な実施形態において、眼鏡レンズ半製品１０、１２は、回転軸１４の周囲での回転対称の実施形態を有する。さらに、眼鏡レンズ半製品１０、１２は、前面１６を有する。前面１６はすでに完成している。後の眼鏡装用者の要求事項に合わせて光学的効果又は光学特性を変化させるための曲率の変更は、眼鏡レンズ半製品１０、１２の前面１６の反対にある後面１８においてのみ行われる。通常、前面１６は球面である。回転対称非球面の前面もまた、本発明の範囲内で認められる。それぞれの前面１６は、特定の曲率を有し、この例示的実施形態において、曲率半径２０によって特定されている。
【００８４】
眼鏡レンズ半製品１０から製造可能なプラスレンズは一般に、凸型の前面１６を有し、その曲率は、後面１８の凹型曲率より大きい。眼鏡レンズ半製品１２から製造可能なマイナスレンズは一般に、その凸型の前面１６上で、凹型後面１８の曲率より小さい。眼鏡レンズ半製品１０、１２は、この例示的実施形態において、有機材料（プラスチック）から製作される。ミネラルガラス又はその他の無機材料で製作された眼鏡レンズ半製品もまた使用可能である。例えば有機眼鏡レンズの既知の材料には、商品名ＣＲ  ３９、ＭＲ  ８、ＭＲ  ７、ＣＲ  ３３０、及びＭＲ  １７４のものが含まれる。その他の有機及びミネラルレンズのためのその他の材料は、本明細書の導入部分に記載されている。しかしながら、本明細書の導入部分に示されている表１は、多数の材料の中の一部のみを含んでいる。
【００８５】
前面１６と後面１８に加えて、眼鏡レンズ半製品１０、１２は、縁面２２を有し、これは通常、円柱面として具現化される。したがって、これはしばしば、円柱縁面とも呼ばれる。当然のことながら、図１に基づいて示されている眼鏡レンズ半製品１０、１２の構成は、単に例示的な性格のものである。一般に、縁面２２はあらゆる形態の円柱面として設計できる。
【００８６】
上で詳細に説明したように、いわゆる半製品、すなわちブランク１０、１２は、前面１６、１８が機械加工に関して完成しており、後面１６、１８にはその後、後の眼鏡装用者の光学的要求事項にさらに合わせて調整するために賦形のための機械加工が行われ、適当な方法で機械加工装置の中に受け取られることができるように受容手段の中にブロックされ、又は固定される。
【００８７】
概略的な、ごく簡略化した側面図において、図２は、眼鏡レンズ半製品１０を受けるように具現化された受取装置３４を示している。この例において、受取装置３４は、吸引キャリア又は真空キャリアとして具現化される。受取装置３４は、眼鏡レンズ半製品１０を所定の接触面で受けるように具現化される。例えば、接触面は前面１６全体とすることができる。図２に示されるケースでは、接触面は前面の中央部分１７だけを含み、これは眼鏡レンズ半製品１０の回転軸又は対称軸１４が前面１６を通る貫通点１５に関して点対称である。
【００８８】
眼鏡レンズ半製品１０を受取装置３４の上に受け取る前に、多くの場合、保護膜が接触面に堆積される。これは、受け取られている時、及び後の機械加工中に固定されている時に、前面１６の損傷を回避できる。図２において、保護膜は参照符号１９で特定される。
【００８９】
眼鏡レンズ半製品１０を受取装置３４の上に受ける、又は固定する工程は、特に低融点の金属合金を接続媒体として使用する時、又は吸引又は真空キャリアを使用する時にブロッキングと呼ばれる。受取装置３４とその上に受け取られた眼鏡レンズ半製品１０の複合体が、眼鏡レンズ半製品１０のブロック状態としてできる。この複合体により、確実な取扱いと、特に、その後の機械加工ステップのための眼鏡レンズ半製品１０の正確な受取が可能となる。
【００９０】
この例示的実施形態において、受取装置３４はシャフト３６を含み、これは機械加工用機械、試験機械、又は、眼鏡レンズを製造するための設備の同様の装置の中に受取装置３４を受けるように具現化される。さらに、図の構成において、受取装置３４は接触部３８を含み、これは、眼鏡レンズ半製品１０の接触面１７又は前面１６を受けるように具現化される。
【００９１】
この例において、接触部３８は受取凹部を有し、これを以下、受取座部４０と呼ぶ。座部４２は、特に眼鏡レンズ半製品１０と対面する端において、接触部３８上で受けられる。受け取られた状態において、眼鏡レンズ半製品１０の前面１６が接触部３８の受取座部４０と当接することは絶対的に必須といすわけではない。しかしながら、前面１６上のシーリングリング４２の密着当接が望ましい。このようにすると、受取座部４０と前面１６との間に空洞４４が発生するかもれず、前記空洞内に負圧又は真空が生成される。
【００９２】
空洞４４がシーリングリング４２上の眼鏡レンズ半製品１０の当接によって十分に密閉されるかぎり、眼鏡レンズ半製品１０は、純粋に空洞４４内の負圧のみによって接触部３８に確実に保持できる。このようにして、接触部３８で眼鏡レンズ半製品１０が圧力嵌めにより確実に受け取られる。眼鏡レンズ半製品１０を接着によって接触部３８に接続するための既知の方法と比較して、これには様々な利点がある。特に、接触部３８と眼鏡レンズ半製品１０の間の接着手段の提供、取扱い、及び処分を回避できる。
【００９３】
チャンバとも呼ばれてもよい空洞４４は、空洞４４内に負圧又は真空を発生させることを目的とした、ライン４８によってポンプ５２に接続可能である。このポンプ５２は、真空ポンプと呼ぶことができる。眼鏡レンズ半製品１０がシーリングリング４２に十分に密接に当接したときに、空洞４４から空気をポンプ５２によって吸引できる。好ましくは、ライン４８は密閉式にブロックできる。このために、例えばバルブ５０を設けることができ、これは図２においては記号でのみ示されている。好ましくは、ライン４８は、キャリア３４をポンプ５２から取り外せるような方法でブロックできる。空洞４４が十分に密閉されるかぎり、眼鏡レンズ半製品１０は、接触部３８に独立して、永久的に保持できる。特に、締り嵌めを確実にするための永久的又は散発的なエネルギー供給が不要となる。反対に、眼鏡レンズ半製品１０は、例えばライン４８によってもたらされる圧力平衡化により、接触部３８から容易に取り外すことができる。
【００９４】
接触部３８の上に眼鏡レンズ半製品１０を再現可能かつ動作可能に確実に受け取るようにするために、前面１６と受取座部４０との間でできるだけ画然としたギャップを生成することが有利であり、前記ギャップは、ブロックされた状態で空洞４４を画定する。この理由より、少なくとも接触面１７の領域において、受取座部４０が前面１６の形状に合わせて調整された形状を有していれば有利である。特に、受取座部４０と前面１６が実質的に曲率又は曲率半径を有していれば有利であろう。ギャップ、すなわち空洞４４は、適当なオフセットにより得られる。特に、適当な受取座部４０又は適当な接触部３８が前面１６の考えうるすべての形状又は設計のためにいつでも利用可能であれば好ましい。
【００９５】
これに関連して、図３、４、及び５は、半製品１０−１、１０−２、１０−３と、その前面１６−１、１６−２、１６−３と適合するようにされた、図２に示される種類の受取装置３４−１、３４−２、３４−３の接触部３８−１、３８−２、３８−３との各種のペアを示している。接触部３８−１、３８−２、３８−３は、くぼみ又は受取座部４０−１、４０−２、４０−３を有し、これらは適当な方法で前面１６−１、１６−２、１６−３の設計に合わせて調整される。特に、受取座部４０−１、４０−２、４０−３と前面１６−１、１６−２、１６−３は、実施質的に対応する曲率半径を有していてもよい。これは、眼鏡レンズ半製品１０−１、１０−２、１０−３の確実な固定をもたらすことができる。
【００９６】
しかしながら、設計の異なる前面１６−１、１６−２、１６−３の数が増えるにつれ、適切に調整された接触部３８−１、３８−２、３８−３の必要性も相応に高まるであろう。それゆえ、眼鏡レンズ半製品１０、１２の不均一性又は多様性が、その前面設計に関して増大すると、適切な接触部３８又はそれと共に提供される受取装置３４を提供するための費用も増す。
【００９７】
図のケースのように、図３、４、及び５の接触部３８−１、３８−２、３８−３の各々はまた、独立したキャリア３４−１、３４−２、３４−３の構成要素であってもよく、図２も参照されたい。しかしながら、反対に、接触部３８−１、３８−２、３８−３をアダプタとして具現化し、したがって、必要に応じてこれらを対応するキャリア３４に固定することも考えられる。
【００９８】
眼鏡レンズ半製品を、その裏面が機械加工される時に確実に固定するために、受取装置を眼鏡レンズ半製品の前面に合わせる必要があるという事実は、眼鏡レンズ半製品１０を受けるための受取装置として真空ブロッカ３４を利用する、上で詳しく述べたケースにのみ当てはまるのでなく、一般に当てはまる。しかしながら、特定のレンズ、特に可変焦点レンズ及び同様に複雑なレンズを製造するための半製品の供給が非常に不均一であることを考えると、これらの眼鏡レンズ半製品を保持できる受取装置を保管できる眼鏡レンズ製造業者は僅かにすぎない。
【００９９】
したがって、本発明は、前面設計、特に眼鏡レンズ半製品１０、１２の前面の接触面の曲率半径を汎用的に規定し、その結果、異なる接触面の幾何学形状の数を管理可能な程度にすることを提案する。このような概念は、図６において、チャート状の表示に基づいて示されている。図６は、眼鏡レンズ半製品の類型、したがって、対応する受取装置の類型を、物理的形状特徴の汎用的定義又は汎用的標準化、特に眼鏡レンズ半製品１０、１２の球面の前面の接触面についての曲率半径の汎用的定義に割り当てたものを示している。これは再び、前面全体又は前面の一部のみが接触面としての役割を果たしてよいことを再び明確に明示する。球面形状の代わりに、前面はまた、回転対称非球面の実施形態を有することもできる。さらに、これはある眼鏡レンズ半製品の類型がその形状特徴の形状寸法によって決定されることを明らかにしている。これは、この例示的実施形態において、ある眼鏡レンズ半製品の類型が、その球面の前面の半径の寸法により定義されることを意味する。
【０１００】
例示的な割当表は全体が６０で示されている。６２で示されるコラムは、単に概略的に、曲率半径又はこれと同様の物理的形状特徴の規定値を示し、これらは行の番号に従ってＲ１〜Ｒ２０で示される。いわば、コラム６２で定義される半径Ｒ１〜Ｒ２０は、あるセットの眼鏡レンズ半製品の類型を定義する時に適当な代表例を選択できる最大数を表す。簡略化のために、それぞれの半径Ｒ１〜Ｒ２０の対応する値が、表６２において上から下に、すなわち行の番号と共に増えると仮定している。
【０１０１】
コラム６２に従って各半径Ｒ１〜Ｒ２０について、対応する接触部３８又は接触部３８と共に提供される受取装置３４が提供されることが好ましく、その接触部の受取座部４０は曲率半径Ｒ１〜Ｒ２０の接触面を受け取るように設計されており、図２〜図５も参照されたい。割当表６０において、６４で示されるコラムは、それに対応する受取装置３４を示す。
【０１０２】
半径Ｒ１〜Ｒ２０の汎用的定義６２が、眼鏡レンズ半製品の前面幾何学形状を設計する際に「入力可変値」として使用できるようになるかぎり、自動的に、得られる半製品１０、１２は確実にブロックされ、所望の通りに機械加工される。
【０１０３】
図６において、６６−１、６６−２、６６−３で示されるコラムは、半径Ｒ１〜Ｒ２０の汎用的規約又は定義に従って選択された眼鏡レンズ半製品１０、１２の異なるシリーズを示す。したがって、各シリーズは、個別の眼鏡レンズ半製品の前面の曲率半径によって設定される多数の眼鏡レンズ半製品の類型を含む。
【０１０４】
汎用的定義６２に従って事前に規定された異なる半径Ｒ１〜Ｒ２０の数は、単に説明のために例示的に選択されているにすぎない。一般に、汎用的定義６２は、例えば５〜２５種類の半径を含むと考えられる。特に汎用的定義６２は、１０〜２０種類の半径を含んでいてもよい。
【０１０５】
異なるシリーズ６６−１、６６−２、６６−３は、その材料に関して、したがってその平均屈折率に関して相互に異なる。各種のシリーズ６６−１、６６−２、６６−３はまた、他の光学特性に関して相互に異なっていてもよい。特に、シリーズ、又はあるシリーズ内の個々の半製品は、１つ又は複数のコーティングを有していてもよい。しかしながら、今回のケースで決定的であるのは、キャリアの、又は基板の材料であり、これを本明細書の範囲においては母材と呼ぶ。
【０１０６】
シリーズ６６−１、６６−２、６６−３の間には、患者又は顧客側の需要を鑑みた違いがあってもよい。例えば、第一のコラム＃１によるシリーズ６６−１は、非常に需要の多い半製品１０、１２のシリーズであってもよい。第二のコラム＃２によるシリーズ６６−２の半製品は、第一のコラムによる半製品６６−１より需要が少ない。第三のコラム＃３によるシリーズ６６−３の半製品は、第二のコラム＃２による半製品６６−２より更に需要が少ない。さらに、平均サイズの、すなわち番号Ｒ７〜Ｒ１４に対応する半径は、小さい、又は大きい半径Ｒ１〜Ｒ６及びＲ１５〜Ｒ２０より需要が多い。
【０１０７】
したがって、シリーズ６６−１内の半径Ｒ１〜Ｒ２０の間の最小の広がり又は階級付けを利用することが望ましいかもしれない。換言すれば、シリーズ６６−１は、例えば半径Ｒ１〜Ｒ２０により特徴付けられる半製品の類型セットを含んでいてもよく、これは、コラム６２による最も利用可能な汎用セットに対応する。これによって、確実に細かい階級付けを行うことができる。通常、後面の、それに匹敵する少ない数の賦形のための機械加工ステップだけで、所望の光学特性を生成できる。
【０１０８】
これと対照的に、図６の６６−３で示されるシリーズに含まれる眼鏡レンズ半製品の類型の数はずっと少なく（コラム６６−３の行３、７、１０、１３、１８のマーキングされたフィールド）、これはコラム６２の中の半径Ｒ１〜Ｒ２０又は眼鏡レンズ半製品の類型の最大利用可能数の一部として選択されている。このようにして、半製品１０、１２を生産するための費用を限定できる。これに対して、限定的な数のみの眼鏡レンズ半製品から進む場合には、所望の光学特性を生成するための機械加工費用の増大は受け入れられるかもしれない。
【０１０９】
図６の６６−２で示されるコラムは、例えば平均的な需要のある眼鏡レンズ半製品１０、１２に関する。したがって、特定の領域、特に曲率半径の特定の領域では、他の領域より、特にコラム６２の端領域より細かい階級付けがあることが有利かもしれない。通常、需要は眼鏡レンズ半製品の類型のシリーズ６６の中でも、その眼鏡レンズ半製品の類型に基づいて得られる光学補正に応じて異なる。したがって、シリーズ６６の、（そのシリーズに関して）より高い需要のある眼鏡レンズ半製品の類型を、より小さい増分で定義することが有利であるかもしれず、例えば、シリーズ６６−２の中央部分を参照されたい。
【０１１０】
セット６８は、複数のシリーズ６６−１、６６−２、６６−３で形成できる。したがって、眼鏡レンズ半製品のセット６８は、複数のシリーズ６６−１、６６−２、６６−３を含み、その各々が今度は複数の眼鏡レンズ半製品の類型Ｎｏ．１〜２０を含み、これらが今度は複数の個々の眼鏡レンズ半製品を含む。個々のシリーズは、眼鏡レンズ半製品の母材において異なる。この場合、個々の眼鏡レンズ半製品の類型Ｎｏ．１〜２０は、その曲率半径Ｒ１〜Ｒ２０の点で異なる。すなわち、１つの眼鏡レンズ半製品の類型Ｎｏ．１、Ｎｏ．２、．．．Ｎｏ．２０の中のすべての眼鏡レンズ半製品は、同じ曲率半径Ｒ１、Ｒ２、．．．Ｒ２０を有する。ある類型及び／又はあるシリーズ、又はその複数のうちの眼鏡レンズ半製品の個々の１つがコーティングされているか否かは関係ない。
【０１１１】
同様に、セット６８のシリーズ６６−１、６６−２、６６−３の中の各眼鏡レンズ半製品が確実に汎用的定義６２に当てはまり、したがって、受取装置３４のセット６４に従って、受取装置３４、特に接触部３８によって受け取られ、特にブロックされるようにすることができる。
【０１１２】
さらに、半製品１０、１２のシリーズ６６−１、６６−２、６６−３と受取装置３４又はこれに対応して関連する接触部３８のセット６４との少なくとも１つのペア７２を形成することが有利でありうる。ペア７２に組み合わせることによって、シリーズ６６−１、６６−２、６６−３の各眼鏡レンズ半製品の類型について、セット６４のうちの適当な受取装置３４又は適当な接触部３８が確実に利用できる。
【０１１３】
さらに、眼鏡レンズ半製品の類型Ｎｏ．１、Ｎｏ．２、．．．Ｎｏ．２０のシリーズ６６−１、６６−２、６６−３のセット６８とそれに割り当てられた受取装置３４のセット６４を含むペア７４を形成することが推奨されうる。ペア７４を作ることにより、各眼鏡レンズ半製品の類型Ｎｏ．１、Ｎｏ．２、．．．Ｎｏ．２０が確実に、適切な方法でブロックされ、取り扱われ、機械加工される。
【０１１４】
図７及び図８は、特定の曲率半径により特徴付けられる眼鏡レンズ半製品の類型を、対応する眼鏡レンズ半製品の類型に基づいて、（機能的及び／又は経済的に有利な方法で）生成可能な光学補正に割り当てたものを示している。
【０１１５】
図７及び８において、軸８０は、生成される光学レンズの球面屈折力をディオプトリＤで示している。さらに、軸７８は、乱視作用をディオプトリＤ（マイナスシリンダコンベンション）を示す。図７及び８の基本となる別のパラメータは、各種のレンズについて得られる加入屈折力である。図７及び８による図表は、２．２５〜２．５Ｄの範囲の加入屈折力に当てはまる。
【０１１６】
図７及び８の各々は、半製品の前面の曲率半径Ｒ４、Ｒ５、Ｒ６、．．．Ｒ１６により特徴付けられる半製品の類型のシリーズ６６−４、６６−５を示している。図７及び８によるシリーズ６６−４、６６−５は、その母材の平均屈折率ｎｄに関して相互に異なる。屈折率ｎｄ＝１．６の材料が図７の図の基礎となっている。屈折率ｎｄ＝１．６７の材料が図８の図の基礎となっている。
【０１１７】
各眼鏡レンズ半製品の類型、すなわち特定の曲率半径Ｒｉを有し、ｉ＝１．．．２０である半製品は、それに基づいて生成可能な面屈折力の特定の範囲及び乱視補正の具体的範囲に割り当てることができる。同じ曲率半径を有する眼鏡レンズ半製品の類型に基づいて図７及び８に示されている図による母材の、相互に異なる屈折率ｎｄを考えると、当然のことながら、異なる材料の場合に同じ範囲をカバーすることは不可能である。
【０１１８】
図７の図によれば、シリーズ６６−４は１２種類の曲率半径Ｒ５〜Ｒ１６を有する１２種類の眼鏡レンズ半製品の類型を含む。図８の図から、シリーズ６６−５が１３種類の曲率半径Ｒ４〜Ｒ１６を有する１３種類の眼鏡レンズ半製品の類型を含むことがわかる。図７及び図８において、曲率半径Ｒ４〜Ｒ１６は、それぞれにおいてミリメートルで示されている。
【０１１９】
図７及び８の眼鏡レンズ半製品の類型の曲率半径は、同じ曲率半径の汎用的定義６２に割り当てられる。原則として、より強い光学補正力を有する眼鏡レンズは、より高い屈折率の材料に基づいて生成されてもよく（図８参照）、それによって例えば、広い範囲の球面屈折力がカバーされる。
【０１２０】
内容に関して、図９及び１０によるグラフは、図７及び図８の図に完全に対応する。特に、図９は、半製品の類型のシリーズ６６−４について、特定の曲率半径によって特徴付けられる眼鏡レンズ半製品の類型を、（機能的及び／又は経済的に有利な方法で）生成可能な光学補正に、対応する眼鏡レンズ半製品の類型に基づいて割り当てたものを示しており、前記半製品の類型は、半製品の前面の曲率半径Ｒ５、Ｒ６、．．．Ｒ１６により特徴付けられ、屈折率ｎｄ＝１．６の母材から製作される半製品に基づく。特に、図１０は、半製品の類型のシリーズ６６−５について、特定の曲率半径によって特徴付けられる眼鏡レンズ半製品の類型を、（機能的及び／又は経済的に有利な方法で）生成可能な光学補正に、対応する眼鏡レンズ半製品の類型に基づいて割り当てたものを示しており、前記半製品の類型は、半製品の前面の曲率半径Ｒ４、Ｒ５、Ｒ６、．．．Ｒ１６により特徴付けられ、屈折率ｎｄ＝１．６７の母材から製作される半製品に基づく。
【０１２１】
曲率半径Ｒ４、Ｒ５、Ｒ６、．．．Ｒ１６のミリメートル単位の数値の代わりに、図９及び１０は、１．５３の標準屈折率ｎｓに関する、対応の実際の面屈折力値Ｄｎを示しており、前記実際の面屈折力値は、上記の半径Ｒから、次式、
Ｄｎ＝（１−ｎｓ）／Ｒ  （２）
によって変換することにより得られる。眼鏡レンズ半製品のシリーズ６６−４及び６６−５を含む半製品のセットに関する以下のような単純な設計ルールが、図９及び１０からわかる。
【０１２２】
第一のシリーズ６６−４及び第二のシーズ６６−５の各々は、その前面の標準屈折率１．５３に関する実際の面屈力値が同じ、すなわち、数値Ｄｎ＝０．５；１．４；２．３；３．２；４．０；４．７；５．４；６．０；６．７；７．４；８．０及び８．８である眼鏡レンズ半製品の類型を有する。
【０１２３】
標準屈折率１．５３に関する第一のシリーズ６６−４の異なる類型の前面の実際の面屈折力値と標準屈折率１．５３に関する第二のシリーズ６６−５の異なる類型の前面の実際の面屈折力値を同じにすることは、標準屈折率１．５３に関する同じ実際の面屈折力値のうちの１つと、標準屈折率１．５３に関する次に大きい同じ実際の面屈折力値との差、すなわち、Ｒ１６で示される類型とＲ１５で示される類型との間、又はＲ１５で示される類型とＲ１４で示される類型との間、等々の実際の面屈折力値が所定の閾値より小さくなるような方法で行われる。差の値はすべて、０．６Ｄ〜０．８Ｄの範囲に含まれ、したがって、すべて０．８５Ｄより小さい。
【０１２４】
標準屈折率１．５３に関する第一のシリーズ６６−４の異なる類型の前面の実際の面屈折力値と標準屈折率１．５３に関する第二のシリーズ６６−５の異なる類型の前面の実際の面屈折力値を同じにすることは、標準屈折率１．５３に関する同じ実際の面屈折力値のうちの１つと、標準屈折率１．５３に関する次に大きい同じ実際の面屈折力値との差、すなわち、Ｒ１６で示される類型とＲ１５で示される類型との間、又はＲ１５で示される類型とＲ１４で示される類型との間、等々の実際の面屈折力値が、固定値として予め決められた差の値にばらつき範囲１５％以内で同じとなるような方法で行われる。この例示的実施形態において、予め決められた差の値は０．７Ｄ、ばらつきは０．１Ｄである。
【０１２５】
図７〜１０は、半製品が異なる母材から製作される２つのシリーズ６６−４、６６−５を単に例示的に示しているが、当業者であれば、原則的に図６の基本となる半製品の３つのシリーズ６６−１、６６−２、６６−３のセット６８の例示的実施形態について、対応する図がどのようになるかは明白であろう。このセット６８が図７及び８からかわかるように半径Ｒ４〜Ｒ１３について同じ数値に基づく場合、図６において、半製品のシリーズ６６−１、６６−２、６６−３が３つの、ペア単位で異なる類型Ｎｏ．７、１０、及び１３を有することがわかり、これらは、標準屈折率１．５３に関して３．２Ｄ〜６．７Ｄのその前面の実際の面屈折力値の範囲内で、シリーズ６６−１、６６−２、６６−３にすべてに共通であるか、３つのシリーズ６６−１、６６−２、６６−３のすべてにおいて同じ半径Ｒ７、Ｒ１０、及びＲ１３に対応する。
【０１２６】
第一のシリーズ６６−１が１．５の平均屈折率ｎｄ１の母材で製作された半製品のみを含み、第二のシリーズ６６−２が１．６の平均屈折率ｎｄ２の母材で製作された半製品のみを含み、第三のシリーズ６６−３が１．７４の平均屈折率ｎｄ３の母材で製作された半製品のみを含むと仮定すると、３つのシリーズ６６−１、６６−２、６６−３の平均屈折率ｎｄ１、ｎｄ２、ｎｄ３の差は少なくとも０．０６であるという条件も満たされる。
【０１２７】
それぞれの場合の同じ面屈折力値の１つと、それぞれの場合の次に大きい同じ面屈折力値との間の差は、１．５Ｄ（Ｎｏ．１３〜Ｎｏ．１１）と１．３Ｄ（Ｎｏ．１１〜Ｎｏ．９）である。そのため、１．４Ｄの平均値と０．１Ｄのばらつきが得られる。したがって、ばらつきは７．５％未満となる。
【０１２８】
さらに、図６から、半製品のシリーズ６６−１、６６−２、６６−３の中で、その前面の、標準屈折率１．５３に関する０．５Ｄ（Ｎｏ．５に対応）〜９．６Ｄ（Ｎｏ．３に対応）の実際の面屈折力値の範囲内で、半径Ｒ３及びＲ５に対応する類型Ｎｏ．５及びＮｏ．３もまた、異なる類型Ｎｏ．７、１０及び１３が半径Ｒ７、Ｒ１０、及びＲ１３に対応する３つのシリーズのすべての中に存在することに加え、半製品の３つのシリーズ６６−１、６６−２、６６−３のすべての中に同様に存在することがわかる。
【０１２９】
図１１は、有機材料から眼鏡レンズを製造するための製造システム８８を、ブロック図に基づく、ごく簡略化した概略的方法で示す。この例示的実施形態において、製造システム８８は制御装置９０を含み、これは例えば、マスタコンピュータ又はプロセスコンピュータと呼ぶことができる。制御装置は、システム８８の各種の構成部品又は装置と通信できる。製造システム８８はさらに、ハンドリング装置９２を含み、これは眼鏡レンズを製造するもとになる半製品１０、１２を取り扱うための手段を提供する。特に、ハンドリング装置９２は、眼鏡レンズ半製品１０、１２のための受取装置３４（図２参照）を把持し、変位させ、及び／又は利用するように構成できる。ハンドリング装置９２は製造システム８８の別の構成要素に連結されてもよく、それによって、その中に眼鏡レンズ半製品１０、１２が受けられているこの受取装置３４を供給し、又はその中に眼鏡レンズ半製品１０、１２が受けられている受取装置３４を前記別の構成部品から遠ざけてもよい。
【０１３０】
好ましい例示的実施形態において、製造システム８８はストア９４を含み、その中に、前述のように、本発明による種類の眼鏡レンズ半製品１０、１２のシリーズ６６のセット６８が提供される。あるいは、製造システム８８は、ストア９４及び／又は１つ又は複数の別のストア（図示せず）に連結することもできる。ストア９４の中にあるすべてのシリーズ６６が、接触面の、特に曲率半径の汎用的規約又は設定に対応するかぎり、ストア９４からの各眼鏡レンズ半製品１０を確実にブロックし、機械加工できる。
【０１３１】
製造システム８８はさらに、受取装置３４又は、受取装置３４の接触部３８のためのストア９６に連結可能であり、受取装置３４は上述の種類の受取装置３４のセット６４に割り当てられる。ストア９６内のすべての接触部３８又は受取装置３４が、汎用的定義又は規約に従って設計されることが好ましい。このようにすれば、シリーズ６６−１、６６−２、６６−３の各眼鏡用レンズ半製品の類型について利用可能な、フィットする接触部３８が得られる。
【０１３２】
製造注文を受けた後、例えばハンドリング装置９２によってセット６８のシリーズ６６−１、６６−２、６６−３から眼鏡レンズ半製品１０、１２を選択し、これをブロッキングステーション９８に送給することができる。さらに、例えば選択された眼鏡レンズ半製品１０、１２の前面の曲率半径にフィットする接触部３８を有する受取装置３４を、ストア９６から取り、前記接触部をブロッキングステーション９８に送給できる。
【０１３３】
ブロッキングステーション９８において、選択されたブランク１０、１２は、受取装置３４にブロックすることができる。特に、ブロッキングは、負圧又は真空ブロッキングによってブロッキングするステップを含んでいてもよい。このようにして、受取装置３４と眼鏡レンズ半製品１０、１２からなる複合体を生成できる。複合体は、機械加工ステーション１００に搬送することができ、これは例えば、研削ステーション、フライス加工ステーション、旋盤ステーションとして、又は同様の方法で構成される。ブロックされた眼鏡レンズ半製品１０、１２の後面を、機械加工ステーション１００で機械加工できる。受取装置３８のおかげで、眼鏡レンズ半製品１０、１２を機械加工ステーション１００の中に非常に正確に受けることが可能であり、したがって、前記眼鏡レンズ半製品を非常に精密に機械加工することができる。
【０１３４】
例として、その後、研磨ステーション１０２に搬送される。研磨ステーション１０２は、眼鏡レンズ半製品１０、１２の機械加工された後面を研磨するように提供され、構成される。
【０１３５】
その後、さらにブロック除去ステーション１０４に搬送でき、ここでは、ブロックされた眼鏡レンズ半製品１０、１２が取り外されるか、ブロックが受取装置３４から上昇される。例えばこれは、真空ブロッキングの場合、圧力平衡化によって行われてもよい。ブロックを上昇させた後、眼鏡レンズ半製品１０、１２（その間にさらに機械加工されている）を受取装置３４から取り外し、それとは独立して引き続き取り扱い、機械加工することができる。
【０１３６】
したがって、眼鏡レンズ半製品１０、１２は、例えば表面機械加工ステーション１０６に搬送できる。例えば、表面機械加工ステーション１０６は、コーティングステーションとして、又は同様の方法で構成できる。例えば、表面機械加工ステーション１０６において、ハードコーティングをブランク１０、１２の前面及び／又は後面に堆積できる。このようにして、所望の眼鏡レンズを完成させることができる。
【０１３７】
その後、最終管理ステーション１０８を設けることができ、そこに眼鏡レンズが搬送される。最終管理ステーション１０８は、眼鏡レンズの最終制御、特にその光学的、及び／又は機械的特性に関する最終管理を実行するように提供され、構成される。
【０１３８】
眼鏡レンズ半製品１０、１２、又は眼鏡レンズ半製品を受けることのできる受取装置３４の取扱いは、ハンドリング装置９２によって実行できる。さらに、当然のことながら、適当な管理ステーション又は試験ステーションを上流に、又はステーション８９、１００、１０２、１０４、１０６のうちの少なくともいくつかの間に配置してもよい。特に、製造システム８８は、管理可能な数の受取装置３４又は受取装置３４のための接触部３８によって、眼鏡レンズ半製品１０、１２の多数の変化形を取り扱い、機械加工できるように構成される。
【０１３９】
ブロック図に基づき、図１２は、ごく簡略化した方法で、本発明の各種の態様を利用する眼鏡レンズの製造方法の例示的構成を示す。図１２に示される方法は、ステップＳ１０である、半製品のセットの提供を含む。このセットは、限定的な数の眼鏡レンズ半製品の類型を有し、各眼鏡レンズ半製品の類型は、少なくとも１つの標準化された物理的形状特徴を有する所定の接触面を有する。例えば、少なくとも１つの物理的形状特徴は、眼鏡レンズ半製品の前面の接触面設計、特に前面全体の設計とすることができる。好ましくは、物理的形状特徴は、前面曲率又は、一般に、接触表面曲率である。
【０１４０】
次のステップＳ１２は、製造するべき眼鏡レンズの少なくとも１つの所望の光学特性を設定するステップを含む。例えば、ステップＳ１２は、患者又は顧客の視覚障害を表すデータに基づいて実行できる。例えばこれは、眼鏡検査士、眼科医、又は好ましくは相応の方法で教育を受けたその他の人物によって作られた処方箋を含む。必要であれは、推定される使用条件を説明できるデータも同様に考慮されてよい。
【０１４１】
この例示的実施形態において、その後、ステップＳ１４が続き、これは、提供された眼鏡レンズ半製品のセットからある眼鏡レンズ半製品を選択するステップを含む。特に、これは、所望の光学特性が設定されるステップ１２を考慮して実行できる。選択するべき眼鏡レンズ半製品に対応する眼鏡レンズ半製品の類型の選択は、所望の光学特性が実際に、その眼鏡レンズ半製品の類型に基づいて生成可能であるとの想定の下で実行されるべきである。
【０１４２】
この例示的実施形態において、その後にステップＳ１６が続き、これは受取装置の選択又は受取装置のための接触部の選択を含み、これは選択された眼鏡レンズ半製品を確実に、しっかりと保持できるように具現化される。このようにして、受取装置の上への眼鏡レンズ半製品のいわゆるブロッキングを、ごく簡単に行うことができる。特に、ステップＳ１６は、眼鏡レンズ半製品の標準かされた物理的形状特徴に幾何学的な意味で合わせられた接触部の選択を含む。例えば、接触部は、眼鏡レンズ半製品の接触面又は前面の曲率半径に実質的に対応する曲率半径を有する受取座部を含んでいてもよい。
【０１４３】
この例において、その後に別のステップＳ１８が続き、これは眼鏡レンズ半製品を受取装置上、又はその接触部上にブロックするステップを含む。特に、ステップＳ１８は真空ブロッキングを含んでいてもよい。このようにして、眼鏡レンズ半製品を受取装置上に圧力嵌めで保持でき、接着剤により接続が不要となる。
【０１４４】
その後に別のステップＳ２０が続き、これは、ブロックされた眼鏡レンズ半製品を機器加工するステップを含む。受取装置の上にブロックされた眼鏡レンズ半製品は、機械加工のために正確かつ確実に受け取られることが可能で、それによって高精度の機械加工が可能となる。眼鏡レンズ半製品の後面の機械加工は特に、例えば上述の方法で実行され、後面がその形状の点で変更される。例えば、本明細書の導入部で示したように、１つ又は複数の機能層を堆積させるなどの別の機械加工ステップ。
【０１４５】
ごく簡略化した概略ブロック図に基づいて、図１３は眼鏡レンズの製造方法の代替的な構成を示す。図１３に基づいて示される方法は、図１２に基づいて示される方法と、少なくともその実質的な面に関して同様の設計を有していてもよい。図１３による方法は、ステップＳ４０を含み、これは、眼鏡レンズ半製品のシリーズのセットの提供を含む。このセットの中のシリーズの各々は、同じ材料から製作された眼鏡レンズ半製品を含む。複数の眼鏡レンズ半製品の類型がセットの中のシリーズの各々の中に提供され、セットの中の各シリーズの各部分は標準化された物理的形状特徴の汎用的定義に属する。
【０１４６】
その後、ステップＳ４２が続き、これは少なくとも１つの光学特性の設定を含む。適当なシリーズに関する予備的な選択は、ステップＳ４２に基づいて行うことができる。これは、ステップＳ４４で行われる。その後、ステップＳ４６が続き、これは、ステップＳ４４で選択されたシリーズからの１つの眼鏡レンズ半製品の選択を含む。この眼鏡レンズ半製品は特に、所望の光学特性又は所望の光学補正に基づいて選択できる。
【０１４７】
ステップＳ４４は、あるシリーズの事前選択に関し、所望の屈折率の材料又は母材の選択に加えて、その半製品の中ですでに生成されていた、特定のコーティングの選択及び／又は特定の色の選択を含む。
【０１４８】
ステップＳ４０〜Ｓ４６の後、別のハンドリングステップ及び機械加工ステップが続いてもよく、これは原則として、ステップＳ１６、Ｓ１８、及びＳ２０に対応してもよく、これらは図１２において示され、上で説明されている。
【０１４９】
ブロック図に基づいて、図１４は図１２によるステップＳ２０に略対応する機械加工ステップの例示的な構成を示す。ステップＳ２０の前に、眼鏡レンズ半製品がその球面又は回転対称非球面の前面で受取装置にブロックされると仮定される。
【０１５０】
機械加工ステップＳ２０は、部分ステップＳ５０を有し、そこで、眼鏡レンズ半製品の後面がフライス加工によって所望の可変焦点形状を得る。当然ことながら、部分ステップＳ５０では、眼鏡レンズ半製品の後面の光学的補正も可能である。
【０１５１】
部分ステップＳ５０の後に部分ステップＳ５２が続き、これはフライス加工によって賦形された眼鏡レンズ半製品をチェックするステップを含む。特に、部分ステップＳ５２は、生成された表面形状の輪郭のチェック、生成された表面形状の表面粗さのチェック及び／又は生成された後面の前面に関すアラインメントのチェックを含んでいてもよい。
【０１５２】
部分ステップＳ５４の中で、フライス加工されたブランクの後面の研磨が行われる。眼鏡レンズは、研磨工程の結果として、その所望の光学的透過性を得る。
【０１５３】
部分ステップＳ５４の後に部分ステップＳ５６が続き、これは、研磨結果の品質管理又はチェックを含む。
【０１５４】
別のその後の部分ステップＳ５８は、眼鏡レンズ半製品のブロッキングの除去を含む。眼鏡レンズ半製品は受取装置から分離される。真空ブロッカが使用される場合、部分ステップＳ５８は、真空ブロッカと受け取られた眼鏡レンズ半製品との間の空洞の圧力平衡化を含む。
【０１５５】
その後の部分ステップＳ６０において、ブロックされていない状態となった（ほとんど完成した）ブランクのチェック又は品質管理が行われる。
【０１５６】
さらにそれに続く部分ステップ６２において、ブランクの表面処理又は表面コーティングが行われる。例えば、ハードコーティング、反射防止コーティング、及び静電防止コーティングを堆積させてもよい。特に、ブランクの後面だけでなく、前面にコーティングを行うことも可能である。
【０１５７】
この例示的実施形態において、機械加工ステップＳ２０は、最終部分ステップＳ６４を含み、これは、機械加工の結果、特に表面処理の結果の（新たな）チェックを含む。
【０１５８】
当然のことながら、（部分）ステップの少なくともいくつか、特に部分ステップＳ５２、Ｓ５６、Ｓ６０、及びＳ６４は迂回してもよい。しかしながら、最高の品質を確保するために、眼鏡レンズの製造中、各部分ステップの中で適切な品質管理が行われる場合が多い。
【図１】
2017514180.tif 000006
【図２】
2017514180.tif 000007
【図３】
2017514180.tif 000008
【図４】
2017514180.tif 000009
【図５】
2017514180.tif 000010
【図６】
2017514180.tif 000011
【図７】
2017514180.tif 000012
【図８】
2017514180.tif 000013
【図９】
2017514180.tif 000014
【図１０】
2017514180.tif 000015
【図１１】
2017514180.tif 000016
【図１２】
2017514180.tif 000017
【図１３】
2017514180.tif 000018
【図１４】
2017514180.tif 000019
【手続補正書】
【提出日】平成28年6月9日(2016.6.9)
【手続補正１】
【補正対象書類名】明細書
【補正対象項目名】全文
【補正方法】変更
【補正の内容】
【発明の詳細な説明】
【技術分野】
【０００１】
本発明は、特許請求項１の前文に記載の眼鏡レンズを製造するための半製品のセットと、特許請求項７の前文に記載の眼鏡レンズの製造方法に関する。本発明はさらに、特許請求項１１の前文に記載の眼鏡レンズの製造方法における半製品のセットの使用に関する。本発明はさらに、特許請求項１２の前文に記載の眼鏡レンズの製造装置に関する。さらに、本発明は、特許請求項１３の前文に記載の眼鏡レンズを製造するための半製品のセットの設計方法に関する。最後に、本発明は、汎用型の眼鏡レンズを製造するための半製品のセットの設計方法の方法ステップのすべてを実行するためのプログラムコードによるコンピュータプログラムと、汎用型の眼鏡レンズを製造するための半製品のセットの設計方法の方法ステップのすべてを実行するためのプログラムコードによるコンピュータプログラムを含むコンピュータ読取可能記憶媒体に関する。
【背景技術】
【０００２】
眼鏡とは、通常は眼の前で装用され、眼を保護すること、又は眼の視力障害及び位置誤差を補正する役割を果たす、少なくとも１枚の眼鏡レンズを含む構造体である。したがって、視力障害を補正するための眼鏡レンズは、屈折補正用レンズ又は光学的に有効な眼鏡レンズとも呼ばれる。例えば、このような眼鏡レンズは、単焦点レンズ又は多焦点レンズ、特に２焦点レンズ、３焦点レンズ、又はその他の可変焦点レンズとすることができる。例えば、視力障害には、近眼（近視）、遠眼（遠視）、乱視及びその他、標準から逸脱した、及び／又は不十分な視力状態が含まれる。視力障害にはまた、加齢に伴う遠眼（老眼）も含まれる。
【０００３】
屈折補正用レンズは、プラスレンズとマイナスレンズとして区別される。プラスレンズは、観察対象物を拡大する収束的光学効果を有する。マイナスレンズは、観察対象物を縮小する発散的光学効果を有する。
【０００４】
眼鏡レンズは通常、個々の眼鏡装用者に合わせた特定の需要による注文に応じて製造される。一般に、眼鏡レンズは、眼鏡レンズメーカが保管する限定された類型数の半製品眼鏡レンズブランク、いわゆる半製品を使って製造される。眼鏡レンズ半製品は、眼鏡レンズ製品と同様に、各々が物体側用とされる光学面と、眼鏡装用者にとって眼と対向する側に配置される予定の光学面と、これらの部分を離間させる面と、を有する。物体側に配置される予定の光学面は前面と呼ばれ、眼側に配置される予定の光学面は後面と呼ばれる。それらの間にある面は、縁を直接形成するか、又は、一方の端で前面と、他方の端で裏面と、縁面によって間接的に隣接し、円柱縁面とよばれる。一般に、前面は凸型曲面を有し、後面は凹型である。
【０００５】
所望の光学的補正力を得るためには眼鏡レンズによってどのような形状が得られなければならないかは、その材料により決定的に決まる。ここで、最も重要なパラメータは、材料の屈折率である。過去において、眼鏡レンズは主としてミネラルガラス、特にクラウンガラス（アッベ数＞５５）とフリントガラス（アッベ数＜５０）から製造されていたが、その後、多数の有機材料からの眼鏡レンズが入手可能となっている。このような有機眼鏡レンズ用の母材は、ＣＲ  ３９、ＭＲ  ８、ＭＲ  ７、ＣＲ  ３３０、及びＭＲ  １７４の商品名で提供されている。このような母材の選択はまた、欧州特許出願公開第２６９２９４１  Ａ１号明細書の公開明細書にも記載されている。それ以外の材料も、その有機眼鏡レンズ用としての適性についての試験と開発が引き続き進められている。下の表１は、既知の母材から選択したものについて、特徴変数と参照変数を明示している。
【０００６】
【表１】
2017514180.tif 000020
【０００７】
現在、球面、回転対称非球面、又は累進前面を有する多数の有機眼鏡レンズ半製品又は製品が、プロトタイプとして、シーリングリングで相互に離間され、工程中に空洞が形成される前及び後面形状金型を用いて大量生産により成形されており、これは例えば、独国特許第３００７５７２  Ｃ２号明細書、米国特許第６，１０３，１４８  Ａ号明細書、又は特開２００８  １９１１８６号公報に記載されている。これは、ＭＲ  ７、ＭＲ  ８、ＭＲ  １０、及びＣＲ  ３９、ＣＲ  ６０７、ＣＲ  ６３０等の商品名の母材にも当てはまる。ＭＲ  ７、ＭＲ  ８、及びＭＲ  １０の商品名の母材は、三井化学株式会社が販売するポリチオウレタンである。ここで、略語「ＭＲ」は、Ｍｉｔｓｕｉ  Ｒｅｓｉｎのことである。ＣＲ  ３９、すなわちＣｏｌｕｍｂｉａ  Ｒｅｓｉｎ  ３９は、Ｐｉｔｔｓｂｕｒｇｈ  Ｐｌａｔｅ  Ｇｌａｓｓ  Ｉｎｄｕｓｔｒｉｅｓ（ＰＰＧ  Ｉｎｄｕｓｔｒｉｅｓ）により選ばれたブランド名であり、その名前で、ポリジエチレングリコールビスアリルカーボネート又はポリアリルジグリコールカーボネート（略称：ＰＡＤＣ）の材料が販売されている。これは、高屈折率デュロプラスチックポリマ材料である。ＣＲ  ６０７及びＣＲ  ６３０もまた、ＰＰＧにより製造されている。ＣＲ  ６０７及びＣＲ  ６３０の材料は、例えばフォトクロミック用として使用される。
【０００８】
ポリカーボネート製の眼鏡レンズのための製品の半製品は一般に、射出成形法によって金属型で製造される。この製造方法は、例えば欧州特許出願公開第０９５５１４７  Ａ１号明細書に記載されている。
【０００９】
ミネラル眼鏡レンズは一般に、ブランクを機械で機械的に研削加工することにより製造される。
【００１０】
上述の半製品又は製品には、１種又は複数の仕上げ工程が施されることが多い。特に、機能層が片面又は両面に堆積される。このような機能層は、眼鏡装用者にとって有利であり、眼鏡レンズが、必要に応じてその上に機能層が堆積される母材又はキャリア材の特性と成形のみに純粋に基づいた場合には有していないような所定の特性を眼鏡レンズに付与する層である。反射防止コーティング、銀めっき、偏光、色付け、自己着色、その他の光学特性に加えて、このような有利な特性には、硬化、埃の付着の軽減、曇り防止等の機械的特性及び／又は電磁放射の遮断、電流伝導等の電気的特性、及び／又はその他の物理的又は化学的特性も含まれる。
【００１１】
その光学特性が、少なくとも部分的に、事前に選択可能であるように標準化されておらず、眼鏡レンズの寸法及び／又は配置に関して使用者に適合する方法で個別に計算、製造される、注文ごとの処方箋による眼鏡レンズ、すなわち、特に個人化された単焦点及び多焦点レンズ及び、特に可変焦点又は累進焦点レンズは、機械的な、特に変形及び／又は研削による方法を用いてその最終的な形状とされる。ここで、外側形状は丸、楕円、又は楕円、又は任意の実施形態を有していてもよく、後者の場合はいわゆるフリーフォームのことである。
【００１２】
半製品眼鏡レンズブランクの一方の表面は、完成した眼鏡レンズの最終的な表面を成す。反対の表面は、完成した眼鏡レンズの光学系がその眼鏡の装用者の眼科処方箋に対応するような方法で機械加工される。一般に、前面が完成した眼鏡レンズの最終的な前面を形成するようになされる。最終的な前面に比較的小さい機械加工を行ってもよいが、その曲率が変わることはない。特に、上述の種類の１つ又は複数の機能層を堆積させることが可能である。したがって、眼鏡レンズ半製品は、一方の面だけについて光学的意味における機械加工が完了しているレンズブランクである（Ｈｅｉｎｚ  Ｄｉｅｐｅｓ、Ｒｏｌｆ  Ｂｌｅｎｄｏｗｓｋｅ“Ｏｐｔｉｋ  ｕｎｄ  Ｔｅｃｈｎｉｋ  ｄｅｒ  Ｂｒｉｌｌｅ”，Ｏｐｔｉｓｃｈｅ  Ｆａｃｈｖｅｒｏｅｆｆｅｎｔｌｉｃｈｕｎｇ  ＧｍｂＨ，Ｈｅｉｄｅｌｂｅｒｇ，２００２，ｐａｇｅ  ５６０参照）。後でもう一度明記するように、本発明は、球面又は回転対称非球面である前面と、眼鏡装用者の眼科処方箋に応じて機械加工されるべき後面を有する眼鏡レンズ半製品のみに関する。
【００１３】
本発明の範囲において、ＤＩＮ規格ＥＮ  ＩＳＯ  １３６６６：２０１２（ｏｐｈｔｈａｌｍｉｃ  ｏｐｔｉｃｓ−ｓｐｅｃｔａｃｌｅ  ｌｅｎｓｅｓ  ｖｏｃａｂｕｌａｒｙ（眼科用光学−眼鏡レンズの用語））１１．３項に基づき、眼鏡レンズの前面の呼称面屈折力値又は呼称曲率をベースカーブと呼ぶ。あるいは、ベースカーブという用語の代わりにベーシックカーブという用語も使用される。呼称面屈折力が明示されている場合は、測定中に仮定された屈折率を明示するべきである。適切な注意書きを付ければ、面屈折力値の代わりに呼称曲率又は呼称曲率半径を明示することも可能であろう。ＤＩＮ  ＥＮ  ＩＳＯ  １３６６６：２０１２は、ベースカーブとしての呼び方に関して単焦点レンズの前面にのみ言及しているものの、以下においては、ベースカーブは概して、単焦点レンズの製造のためのみでなく、多焦点レンズの製造にも適した眼鏡レンズ半製品の回転対称前面の中心における呼称面屈折力値も指す。回転対称非球面の表面の場合、呼称曲率は頂点曲率に対応する。回転対称非球面の表面の場合、呼称曲率半径は頂点半径に対応する。
【００１４】
一般に、ベースカーブは１．５３の標準屈折率に関して明示される。しかしながら、ベースカーブを明示するためにその他の屈折率を使用してもよい。
【００１５】
典型的に、眼鏡レンズ製造業者は、各々が個別のベースカーブを有する半製品の眼鏡レンズブランクのシリーズを製造する。この「ベースカーブシリーズ」は半製品のセットであり、呼称前面曲率と屈折力の値が段階的に増大するもので（例えば、＋０．５０Ｄ、＋２．００Ｄ、＋４．００Ｄ、等々）、これは例えば、２０１５年９月１６日にインターネットＵＲＬ：
ｈｔｔｐ：／／ｗｗｗ．ｓｈａｍｉｒｏｐｔｉｃ．ｄｅ／ｉｍａｇｅｓ／ｓｈａｍｉｒ．ｐｄｆ．
から読み出したＳｈａｍｉｒ：“Ｓｈａｍｉｒ  Ｑｕｉｃｋ  Ｒｅｆｅｒｅｎｃｅ  Ｇｕｉｄｅ”，Ｄｅｃｅｍｅｎｂｅｒ  ６，２０１３，ｐａｇｅ  １−５に記載されている。
【００１６】
呼称面屈折力値又は呼称曲率は、ラベル表示の目的に使用され、呼称ベースカーブとも呼ばれる。実際の面屈折力値又は実際の曲率が計算に使用される。これは、実際のベーシックカーブとも呼ばれる。以下の説明の中では、明確に呼称値に言及していないかぎり、実値、すなわち、通常の製造及び測定誤差を考慮した、表面の実際に存在する面屈折力値、実際に存在する曲率、実際に存在する曲率半径に言及する。
【００１７】
ベースカーブシリーズの中のある半製品の前面は、後面の光学面を計算する際のスタート地点となり、それに従って、眼鏡装用者の処方箋に基づく最終的な眼鏡レンズが製造される。
【００１８】
あるベースカーブシリーズの半製品レンズブランクの前面は、原則として、例えば球面又は回転対称非球面等の回転対称面でも、例えばトーリック面又はその他の可変焦点面等の非回転対称面でもよい。後者はまた、いかなる対称特性も有さずに実施されてもよい。この場合、これらはフリーフォーム面と呼ばれる。本発明の範囲内では、回転対称、すなわち球面又は回転対称非球面の前面を有する眼鏡レンズ半製品だけが関わる。
【００１９】
例えば、異なる球面又は回転対称非球面の前面を有する半製品のセットから半製品レンズブランクを選択した後に、個々に要求される加入屈折力、処方された数値、及び、任意選択により、眼鏡装用者のその他の個別の要求事項を考慮して、後面を純粋に機械により機械加工することによって累進屈折力レンズ（ｐｒｏｇｒｅｓｓｉｖｅ  ａｄｄｉｔｉｏｎ  ｌｅｎｓ）（ＰＡＬ）を製造してもよく、これは、例えば欧州特許第０８５７９９３  Ａ２号明細書、国際公開第２００４／０１９２４３  Ａ１号パンフレット、又は欧州特許第２０２８５２７  Ｂ１号明細書に記載されている。後面は、点対称及び／又は軸対称ではないが、多焦点特性を有する。
【００２０】
あるシリーズ内の各ベースカーブは通常、半製品のセットの製造業者が推奨する複数の処方箋の作成に使用される。製造業者はいわゆるベースカーブ選択チャートを提供し、そこから、そのシリーズ内のそれぞれのベースカーブの使用が推奨される様々な処方箋が得られる。
【００２１】
典型的なベースカーブ選択チャートの一例は、特許文献の米国特許第６，９４８，８１６号明細書から得られる。同特許文献の図２３Ａ〜Ｃに示されるベースカーブシリーズは、５つのベースカーブで構成される。選択チャートは、非点収差を補正するための球面屈折力及び円柱屈折力に応じた所与の処方箋にしたがって製造業者が推奨するベースカーブを示している。示されている選択チャートは、光学的効果が遠用部分と近用部分とで異なる累進レンズ（ＰＡＬ）に関する。一般に、同じ種類の選択チャートをあらゆる種類の眼鏡レンズ、例えば（球面及び／又はトーリック）単焦点レンズ、２焦点レンズ、非球面レンズ、及びＰＡＬにも使用される。
【００２２】
ベースカーブ選択チャートの他の２つの例は、欧州特許第２０２８５２７  Ｂ１号明細書の図２及び３から得られる。図２によるベースカーブシリーズは８つのベースカーブからなり、これらには「１」から「８」の番号が付与され、図３のベースカーブシリーズは１４のベースカーブからなり、これらには「１」から「１４」の番号が付与されている。図３によるベースカーブシリーズの１４の球面ベースカーブの呼称屈折力は、以下のように段階的に増加する：０．７５Ｄ〜８．５０Ｄの間で、０．７５；１．００；１．５０；２．００；２．７５；３．２５；３．７５；４．２５；５．２５；５．７５；６．２５；６．５０；７．５０；８．５０。
【００２３】
欧州特許第２０２８５２７  Ｂ１号明細書から、一般的な傾向は、あるベースカーブシリーズの中の異なるベースカーブの数を限定して、金型の数、保管費用、及び保管に対する要求事項を削減、軽減することであることがわかる。したがって、標準的ベースカーブシリーズは最大で２０のベースカーブ（欧州特許第２０２８５２７  Ｂ１号明細書、段落［００１３］参照）、例えば１０（欧州特許第０８５７９９３  Ａ２号明細書：５ページ、３８〜５１行参照）、又は５つのベースカーブ（米国特許第６，９４８，８１６号明細書：図２３Ａ〜Ｃ）を含む。
【００２４】
上の２つの段落に記載されている文献はすべて、所定の母材で製作される眼鏡レンズのための一連のベースカーブのベースカーブを最適化するという主題を考慮している。おそらく、これらの文献の筆者は、大手の眼鏡レンズ製造業者での製造を想定している。
【００２５】
冒頭に記した国際公開第２００４／０１９２４３  Ａ１号パンフレットからわかるように、特に上述の個別の可変焦点眼鏡レンズの場合、数社の眼鏡レンズ製造業者によってだけでなく、近年、多くの市場で活発に業務展開している卸売業者、大規模な研究所、及びその他において局地的に製造できることが望ましい。
【発明の概要】
【発明が解決しようとする課題】
【００２６】
したがって、本発明の目的は、眼鏡レンズ半製品のセットと、眼鏡レンズの製造方法と、眼鏡レンズの製造方法における半製品のセットの使用と、眼鏡レンズの製造装置と、眼鏡レンズを製造するための半製品のセットの設計方法を、この方法の方法ステップのすべてを実行するためプログラムコードによる対応のコンピュータプログラム及び、特に眼鏡レンズの局地的製造の要求事項に合わせて調整された半製品のセットを設計するためのこの方法の方法ステップのすべてを実行するためのプログラムコードによるコンピュータプログラムを記憶した、対応のコンピュータ読取可能記憶媒体と共に提供することからなる。
【課題を解決するための手段】
【００２７】
この目的は、特許請求項１において請求されている眼鏡レンズを製造するための半製品のセットと、特許請求項７において請求されている眼鏡レンズの製造方法と、特許請求項１１において請求されている眼鏡レンズの製造方法における半製品のセットの使用と、特許請求項１２において請求されている眼鏡レンズの製造装置と、特許請求項１３において請求さている眼鏡レンズを製造するための半製品のセットの設計方法により達成される。本発明の有利な構成及び発展形は、従属項の主題である。
【００２８】
本発明は、近い将来、欧州特許第０  ８５７  ９９３  Ａ２号明細書と国際公開第２００４／０１９２４３  Ａ１号パンフレットからの教示の組合せに従って、各々の場合において、おそらくは異なる製造業者からの既製の球面又は回転対称非球面の前面を有する眼鏡レンズ半製品を得て、それぞれの使用者に合わせて調整された方法で後面の設計を計算し、又はこれが計算されるようにし、独国特許出願公開第１９５  ３８  ２７４  Ａ１号明細書に記載されている種類の機械によって、後面を計算に従って製造するような数多くの眼鏡レンズ製造拠点が展開されるとの仮定に基づく。
【００２９】
これらの製造拠点での製造機械には、眼鏡レンズを経済的に製造するために、ある程度の標準化が必要である。本発明は、機械加工されることになる眼鏡レンズ半製品の類型の数を全体的に削減するという考えに基づく。本発明の基本的概念は、限定された数の前面の（部分的な）幾何学形状の半製品を、正確に言えば、機械加工される眼鏡レンズの母材の屈折率に関係なく提供することにすぎない。これを使用すると、後面の機械加工が実行されている間にそれぞれの半製品を保持する受取ツールの数を減らすことができ、それは、同様の形状を有する半製品であれば同じツールで受け取ることができるからである。受取ツールの数を限定することにより、標準化を相応程度まで行うことが可能となる。
【００３０】
各々が、球面又は回転対称非球面の凸型であり、関連する形状寸法を有する少なくとも１つの物理的形状特徴を有する前面を有する眼鏡レンズ半製品のセットであって、
−第一の平均屈折率の母材から製作された眼鏡レンズ半製品の第一のシリーズであって、その前面の形状の少なくとも１つの物理的形状特徴の形状寸法において異なる、眼鏡レンズ半製品のペア単位で異なる類型を有し、ペア単位で異なる類型の少なくとも３種類の類型が、標準屈折率１．５３に関する、また前面が回転対称非球面形状である場合にはその対称中心で測定して、３．２Ｄ〜６．７Ｄの間であるその前面の実際の面屈折力値を有する第一のシリーズと、
−第一の平均屈折率とは異なる第二の平均屈折率の母材から製作された眼鏡レンズ半製品の第二のシリーズであって、その前面の形状の少なくとも１つの物理的形状特徴の形状寸法において異なる、眼鏡レンズ半製品のペア単位で異なる類型を有する第二のシリーズと、
−第一の平均屈折率及び第二の平均屈折率とは異なる第三の平均屈折率の母材から製作された眼鏡レンズ半製品の第三のシリーズであって、その前面の形状の少なくとも１つの物理的形状特徴の形状寸法において異なる、眼鏡レンズ半製品のペア単位で異なる類型を有する第三のシリーズと、
を含む眼鏡レンズ半製品のセットから、
本発明は、
−第二のシリーズのペア単位で異なる類型の少なくとも３種類の類型が、標準屈折率１．５３に関して３．２Ｄ〜６．７Ｄの間のその前面の実際の面屈折力値を有するようにし、
−第三のシリーズのペア単位で異なる類型の少なくとも３種類の類型が、標準屈折率１．５３に関して３．２Ｄ〜６．７Ｄの間のその前面の実際の面屈折力値を有するようにし、
−第一のシリーズの少なくとも３種類の類型の前面の形状の少なくとも１つの物理的形状特徴の形状寸法と、第二のシリーズの少なくとも３種類の類型の前面の形状の少なくとも１つの物理的形状特徴の形状寸法と、第三のシリーズの少なくとも３種類の類型の前面の形状の少なくとも１つの物理的形状特徴の形状寸法が同じになるようにする。
【００３１】
言い換えれば、本発明による眼鏡レンズ半製品のセットは、球面又は回転対称非球面の前面を有する眼鏡レンズ半製品の少なくとも３つのシリーズからなる。眼鏡レンズ半製品のシリーズは、そのそれぞれの母材に関してペア単位で異なる。母材は異なる平均屈折率を有する。標準屈折率１．５３に関して３．２Ｄ〜６．７Ｄのその前面の実際の面屈折力値の範囲内で、各シリーズは、眼鏡レンズ半製品のペア単位で異なる類型を含み、その前面形状は幾分異なる実施形態を有する。標準屈折率１．５３に関して３．２Ｄ〜６．７Ｄのその前面のこの実際の面屈折力値の範囲内で、これらの類型の少なくとも３つの前面形状は、少なくとも３類型のすべてについて、部分領域（好ましくは前面の対称中心を含む）（この部分領域は好ましくは、前面全体の４０％超、より好ましくは５０％超を含む）において同じである。
【００３２】
本発明によれば、少なくとも１つの形状特徴（Ｒ、Ｒ１、Ｒ２、．．．Ｒ２０、Ｄｎ）は、
ａ）実際の曲率、及び／又は
ｂ）実際の曲率半径、及び／又は
ｃ）円錐部分と補正多項式面との和からなるＤＩＮ  ＩＳＯ  １０１１０において定義される非球面部分の、次式、
【数１】
2017514180.tif 000021
（式中、ｚはサジタルデプス、ｒは入射高さ、ρは頂点曲率、及びｋは円錐部分の円錐定数、及びＡ４、Ａ６、．．．は補正多項式の係数である）
による補正多項式面の円錐部分の頂点曲率（ρ）である。
【００３３】
原則として、シリーズは、回転対称非球面の前面を有する眼鏡レンズ半製品と、球面の前面を有する眼鏡レンズ半製品の両方を含むことが可能であることは事実である。しかしながら、現実には、製造上の理由から、純粋に球面の前面を有する半製品のみを含むシリーズが利用されることが好ましい。あるいは、純粋に回転対称非球面の前面を有する半製品のみを含むシリーズを利用することも同様に可能である。
【００３４】
冒頭において提起した課題は、そのような眼鏡レンズ半製品のセットにより完全に解決される。
【００３５】
本発明の１つの構成において、第一の平均屈折率と第二の平均屈折率と第三の平均屈折率がペア単位で少なくとも０．０４だけ異なるようになされる。これによって、本発明によれば、低屈折率の母材から製作される眼鏡レンズ半製品のシリーズと高屈折率の母材から製作される眼鏡レンズ半製品のシリーズの両方が確実に構成され、その結果、提供可能範囲が決まり、おそらくは拡張される。
【００３６】
少なくとも３つの母材の平均屈折率が、少なくとも０．０５だけ、さらには少なくとも０．０６だけ異なるようになされる。少なくとも３つの母材の平均屈折率の差が大きいほど、機械加工中に眼鏡レンズ半製品の前面を受けるのに必要な受取ツールを標準化する可能性が大きくなる。
【００３７】
特に有利な変化形は、ＣＲ  ３９である眼鏡レンズ半製品の第一のシリーズの母材、ＭＲ  ８である眼鏡レンズ半製品の第二のシリーズの母材、及びＭＲ  ７である眼鏡レンズ半製品の第三のシリーズの母材からなる。代替的な変化形は、ＣＲ  ３９である眼鏡レンズ半製品の第一のシリーズの母材、ＭＲ  ８である眼鏡レンズ半製品の第二のシリーズの母材、及びＭＲ  １７４である眼鏡レンズ半製品の第三のシリーズの母材からなる。また別の有利な変化形は、ＣＲ  ３９である眼鏡レンズ半製品の第一のシリーズの母材、ポリカーボネートである眼鏡レンズ半製品の第二のシリーズの母材、及びＭＲ  ８である眼鏡レンズ半製品の第三のシリーズの母材からなる。最後に、別の好ましい変化形において、眼鏡レンズ半製品の第一のシリーズの母材はＣＲ  ３９であり、眼鏡レンズ半製品の第二のシリーズの母材はポリカーボネートであり、眼鏡レンズ半製品の第三のシリーズの母材はＭＲ  １７４である。
【００３８】
製造の観点から、すべての眼鏡レンズ半製品のシリーズについての異なる前面幾何学形状の全体的な数をできるだけ少なくすることが有利である。標準屈折率１．５３に関する、例えば０．５Ｄ〜９．６Ｄの間のその前面の実際の面屈折力値でのベースカーブ提供範囲に対して５種類の半製品の類型が望ましく、上記の３類型という最小数は、上記の３．２Ｄ〜６．７Ｄの間の範囲に含まれる。光学的な観点からは、異なる前面幾何学形状の全体数は多い方が好都合である。標準屈折率１．５３に関して、例えば０．５Ｄ〜９．６Ｄの間のその前面の実際の面屈折力値でのベースカーブ提供範囲に対して、約２０種類の半製品の類型が望ましく、約１０〜１３種類が３．２Ｄ〜６．７Ｄの間の上記の範囲に含まれる。
【００３９】
妥協案として、眼鏡レンズ半製品のセットが提供され、その中では、
−その前面の形状の少なくとも１つの物理的形状特徴の形状寸法の点で異なる、第一のシリーズのペア単位で異なる類型のうちの少なくとも４種類、好ましくは少なくとも５種類の類型が、標準屈折率１．５３に関して３．２Ｄ〜６．７Ｄの間の、その前面の実際の面屈折力値を有し、
−その前面の形状の少なくとも１つの物理的形状特徴の形状寸法の点で異なる、第二のシリーズのペア単位で異なる類型のうちの少なくとも４種類、好ましくは少なくとも５種類の類型が、標準屈折率１．５３に関して３．２Ｄ〜６．７Ｄの間の、その前面の実際の面屈折力値を有し、
−その前面の形状の少なくとも１つの物理的形状特徴の形状寸法の点で異なる、第三のシリーズのペア単位で異なる類型のうちの少なくとも４種類、好ましくは少なくとも５種類の類型が、標準屈折率１．５３に関して３．２Ｄ〜６．７Ｄの間の、その前面の実際の面屈折力値を有し、
−第一のシリーズの少なくとも４種類、好ましくは少なくとも５種類の類型の前面の形状の少なくとも１つの物理的形状特徴の形状寸法と、第二のシリーズの少なくとも４種類、好ましくは少なくとも５種類の類型の前面の形状の少なくとも１つの物理的形状特徴の形状寸法と、第三のシリーズの少なくとも４種類、好ましくは少なくとも５種類の類型の前面の形状の少なくとも１つの物理的形状特徴の形状寸法が同じである。
【００４０】
標準屈折率１．５３に関して、例えば０．５Ｄ〜９．６Ｄの間のその前面の実際の面屈折力値を有する半製品の提供範囲をカバーするためには、その結果、約１３種類の半製品の類型ができる。
【００４１】
できるだけ広い提供範囲にわたり、完成した眼鏡レンズの光学品質が確実に均一となるようにするためには、シリーズ内の半製品の階級付けをできるだけ均一に設計することが有利である。一般に、これは特定の境界内でのみ可能である。したがって、特に有利な実施形態において、本発明は、第一のシリーズと第二のシリーズと第三のシリーズの各々が、眼鏡レンズ半製品の類型を有し、その前面が同一の形状寸法の形状特徴を有するようにし、また、それぞれにおいて、同一の形状寸法のうちの１つ又はその逆数と、そのそれぞれにおける次に大きい同一の形状寸法又はその逆数との差を、２０％、好ましくは１０％、最も好ましくは５％のばらつき以内で同じ大きさにする。
【００４２】
上述のような、シリーズ内での半製品の階級付けを均等にするアイディアから引き続き、本発明の１つの変化形は、少なくとも１つの形状特徴を実際の面屈折力にし、関連する形状寸法を、標準屈折率１．５３に関する、関連する実際の面屈折力にして、第一のシリーズと第二のシリーズと第三のシリーズの各々が眼鏡レンズ半製品の類型を有し、その前面が標準屈折率１．５３に関する同一の実際の面屈折力値の実際の面屈折力を有するようにし、また、標準屈折率１．５３に関する同一の実際の面屈折力値のうちの１つと、標準屈折率１．５３に関する次に大きい同一の実際の面屈折力との間の差が２．５Ｄ未満となるようにする。２．５Ｄの限度は、上述の納品範囲に対する最終製品の十分な光学品質に対する要求を説明しており、これは、本発明による類型分類に関して、それ以外の眼鏡レンズ半製品が使用されないとの前提に基づく。
【００４３】
一般に、最終製品の品質は、上述の差の数値が２．３Ｄ未満、より好ましくは１．５Ｄ未満、さらに好ましくは１．０Ｄ未満であれば、向上させることができる。約０．８Ｄの最大値は、標準屈折率１．５３に関して例えば０．５Ｄ〜９．６Ｄの間の、その前面の実際の面屈折力値を有する半製品の提供範囲をカバーするために１３種類の半製品の類型を使用した場合に有利であることがわかった。
【００４４】
すでに上で説明したように、あるシリーズ内の所望の数の種類の眼鏡レンズ半製品の類型は、製造上の要求事項と光学的な要求事項との間の妥協案を構成する。更に、提供範囲は、眼鏡レンズ半製品の類型の種類の総数について決定される。
【００４５】
上記の境界条件を等しく考慮して、本発明者によって理想的であると考えられる眼鏡レンズ半製品のセットは、
−その前面の形状の少なくとも１つの物理的形状特徴の形状寸法の点で異なる、第一のシリーズのペア単位で異なる類型のうちの少なくとも１０、好ましくは少なくとも１１、より好ましくは少なくとも１２、最も好ましくは少なくとも１３種類の類型が、標準屈折率１．５３に関して０．５Ｄ〜９．６０Ｄの間の、その前面の実際の面屈折力値を有し、
−その前面の形状の少なくとも１つの物理的形状特徴の形状寸法の点で異なる、第二のシリーズのペア単位で異なる類型のうちの少なくとも１０、好ましくは少なくとも１１、より好ましくは少なくとも１２、最も好ましくは少なくとも１３種類の類型が、標準屈折率１．５３に関して０．５Ｄ〜９．６０Ｄの間の、その前面の実際の面屈折力値を有し、
−その前面の形状の少なくとも１つの物理的形状特徴の形状寸法の点で異なる、第三のシリーズのペア単位で異なる類型のうちの少なくとも１０、好ましくは少なくとも１１、より好ましくは少なくとも１２、最も好ましくは少なくとも１３種類の類型が、標準屈折率１．５３に関して０．５Ｄ〜９．６０Ｄの間の、その前面の実際の面屈折力値を有し、
−第一のシリーズの少なくとも１０、好ましくは少なくとも１１、より好ましくは少なくとも１２、最も好ましくは少なくとも１３種類の類型の前面の形状の少なくとも１つの物理的形状特徴の形状寸法と、第二のシリーズの少なくとも１０、好ましくは少なくとも１１、より好ましくは少なくとも１２、最も好ましくは少なくとも１３種類の類型の前面の形状の少なくとも１つの物理的形状特徴の形状寸法と、第三のシリーズの少なくとも１０、好ましくは少なくとも１１、より好ましくは少なくとも１２、最も好ましくは少なくとも１３種類の類型の前面の形状の少なくとも１つの物理的形状特徴の形状寸法が同じである
ように構成される。
【００４６】
本発明による、眼鏡レンズの製造方法は、
ａ）各々が後面と、球面又は回転対称非球面の凸型で、関連する形状寸法を有する少なくとも１つの物理的形状特徴を有する前面と、を有する眼鏡レンズ半製品のセットであって、
−平均屈折率の母材で製作された眼鏡レンズ半製品の第一のシリーズであって、その前面の形状の少なくとも１つの物理的形状特徴の形状寸法において異なる、眼鏡レンズ半製品のペア単位で異なる類型を有し、ペア単位で異なる少なくとも３種類の類型は、標準屈折率１．５３に関する、また前面が回転対称非球面形状の場合にはその対称中心で測定して、３．２Ｄ〜６．７Ｄの間のその前面の実際の面屈折力値を有する第一のシリーズと、
−第一の平均屈折率とは異なる第二の平均屈折率を有する母材から製作された眼鏡レンズ半製品の第二のシリーズであって、その前面の形状の少なくとも１つの物理的形状特徴の形状寸法において異なる、眼鏡レンズ半製品のペア単位で異なる類型を有する第二のシリーズと、
−第一の平均屈折率及び第二の平均屈折率とは異なる第三の平均屈折率を有する母材から製作された眼鏡レンズ半製品の第三のシリーズであって、その前面の形状の少なくとも１つの物理的形状特徴の形状寸法において異なる、眼鏡レンズ半製品のペア単位で異なる類型を有する第三のシリーズと、
を含み、
−第二のシリーズのペア単位で異なる類型のうちの少なくとも３種類の類型は、標準屈折率１．５３に関して３．２Ｄ〜６．７Ｄの間のその前面の実際の面屈折力値を有し、
−第三のシリーズのペア単位で異なる類型のうちの少なくとも３種類の類型は、標準屈折率１．５３に関して３．２Ｄ〜６．７Ｄの間のその前面の実際の面屈折力値を有し、
−第一のシリーズの少なくとも３種類の類型の前面の形状の少なくとも１つの物理的形状特徴の形状寸法と、第二のシリーズの少なくとも３種類の類型の前面の形状の少なくとも１つの物理的形状特徴の形状寸法と、第三のシリーズの少なくとも３種類の類型の前面の形状の少なくとも１つの物理的形状特徴の形状寸法が同じである
ような眼鏡レンズ半製品のセットを提供するステップと
ｂ）提供された眼鏡レンズ半製品のセットから眼鏡レンズ半製品の１つを受け取るステップと、
ｃ）受け取った眼鏡レンズ半製品の裏面を機械加工するステップと、
を含む。
【００４７】
言い換えれば、提供された眼鏡及び半製品のセットは、球面又は回転対称非球面の前面を有する眼鏡レンズ半製品の少なくとも３つのシリーズからなる。眼鏡レンズ半製品のシリーズは、そのそれぞれの母材に関してペア単位で異なる。母材は、異なる平均屈折率を有する。その前面の実際の面屈折力値の範囲が標準的屈折率１．５３に関して３．２Ｄ〜６．７Ｄの間であることにより、シリーズの各々は、少なくとも３種類のペア単位で異なる眼鏡レンズ半製品の類型を含み、その前面形状は幾分異なる実施形態を有する。その前面の、標準屈折率１．５３に関する３．２Ｄ〜６．７Ｄの間というこの実際の面屈折力値範囲内で、これらの少なくとも３つの類型の前面形状は、少なくとも３つのシリーズのすべてについて、部分領域（この部分領域は好ましくは前面全体の４０％超、より好ましくは５０％超を含む）で、又はその前面全体で同じである。
【００４８】
本発明によれば、少なくとも１つの形状特徴（Ｒ、Ｒ１、Ｒ２、．．．Ｒ２０、Ｄｎ）は、
ｉ）実際の曲率、及び／又は
ｉｉ）実際の曲率半径、及び／又は
ｉｉｉ）円錐部分と補正多項式面との和からなるＤＩＮ  ＩＳＯ  １０１１０において定義される非球面部分の、次式、
【数２】
2017514180.tif 000022
（式中、ｚはサジタルデプス、ｒは入射高さ、ρは頂点曲率、及びｋは円錐部分の円錐定数、及びＡ４、Ａ６、．．．は補正多項式の係数である）
による補正多項式面の円錐部分の頂点曲率（ρ）である。
【００４９】
本発明による眼鏡レンズの製造方法において、方法ステップａ）で、眼鏡レンズ半製品のセットの上述の実施形態の変化形のすべてを提供することが当然可能である。ここで明確に、その特性に関する上記の説明を参照する。
【００５０】
提供された半製品にさらに機械加工又は仕上げ加工を行うには通常、方法ステップステップｂ）にしたがって、眼鏡レンズ半製品を受容手段又はホルダ上に再現可能に固定又は締結する必要がある。本発明の範囲内で、この工程を、受け取るステップと呼ぶ。受け取るステップは、保護膜を接触対象の前面に堆積させることを含んでいてもよい。
【００５１】
半製品を受け取るステップにより、眼鏡レンズ半製品とそのホルダ（その上でそれが受け取られる）との間で所定の位置割当が行われる。すると、キャリアと受け取られた眼鏡レンズ半製品との「複合体」が得られ、これを例えば、機械加工用機構、例えばフライス盤、旋盤、及び／又は研磨機の上に所定の高精度、高精密な方法で受け取られるようにすることができる。したがって、製造工程の進行又は機械加工の進行をモニタするためのモニタリングステーションにおいても、高い精度で受け取ることが可能となる。通常、眼鏡レンズ半製品は、多くの製造ステップ又は機械加工ステップ中にその受け取られた時の状態のままとされる。
【００５２】
例えば、眼鏡レンズ半製品は、接着式及び／又は圧力嵌めによって受け取られるようにすることができる。これに関連して、眼鏡レンズ半製品又は半製品を受け取るための様々な方法が、例えば国際公開第２００５／０６５８８６  Ａ１号パンフレットからわかる。眼鏡レンズ半製品を適当な受容手段の中に、融点の低い金属合金によって接着式に受け取ることも依然として慣例的に行われている。この工程はまた、当業者から、ブロックピースの塗布とも呼ばれる。換言すれば、低融点の金属合金は、眼鏡レンズ半製品、特にその前面と、ホルダとの間の「接着剤」としての役割を果たす。さらに、眼鏡レンズを製造するための眼鏡レンズ半製品を有機接着剤によって適切な受容手段の中に固定し、又は受けられるようにすることも知られている。
【００５３】
さらに、眼鏡レンズを製造するための眼鏡レンズ半製品を圧力嵌めによって適切な受容手段の中に固定することが知られている。圧力嵌めによる受取は特に、眼鏡レンズ半製品と受容手段としての役割を果たすキャリア又はホルダとの間に空洞を少なくとも部分的に空にすることを含んでいてもよい。このようにして、負圧、特に真空を発生させることができ、その結果、加えられる圧力差により、眼鏡レンズ半製品はしっかりと確実に受容手段に保持される。対応する固定された眼鏡レンズ半製品の対応する座部が受容手段に十分に密着するかぎり、このような受取状態は、少なくとも特定の長さの時間にわたって確実に維持できる。
【００５４】
負圧をかけることによって眼鏡レンズ半製品を受け取るステップには、欧州特許第０  ８５７  ９９３  Ａ２号明細書に記載されているように、追加の媒体（金属合金、接着剤、又はその他）が不要となるという実質的な利点がある。したがって、費用が削減される可能性があり、有毒でありうる物質の処分も不要である。
【００５５】
しかしながら、空気圧式の受容手段（真空ブロッキングと呼ばれることもある）は一般に、それ以外の箇所での費用の増大の原因となる。これは、例えば眼鏡レンズ半製品をキャリア上に確実にしっかりと固定することは、可能であれば、眼鏡レンズ半製品の接触面（通常、前面）とキャリア上のその対応する座部との間にわずかな所定のギャップだけが形成された場合のみ実現できるからである。言い換えれば、これは、キャリアの座部が、可能であれば、眼鏡レンズ半製品の接触面形状、特に接触面の曲率と整合するべきであることを意味する。それゆえ、例えば、キャリアの座部の球面又は回転対称非球面の表面眼鏡レンズ半製品の球面又は回転対称の接触面と一致することが好ましい。これは、球面又は回転対称非球面が相互に一致する曲率半径を含む場合を含んでいてもよく、これは例えば、欧州特許第０  ８５７  ９９３  Ａ２号明細書、米国特許第３，１３４，２０８号明細書、米国特許第４，０８９，１０２号明細書、独国特許出願公開第３９  ２４  ０７８  Ａ１号明細書、又は独国特許出願公開第２５  ３１  １３４  Ａ１号明細書に記載されている。
【００５６】
一般に、受容手段を、受け取られる半製品の前面全体にわたって形状相補的に当接させる必要はない。これは、接着による受取、特に受容手段と半製品の前面との下に塗布された低融点の金属合金又は受容手段と半製品の前面との間に塗布された有機接着剤によるブロッキングの場合と、圧力嵌めによる受取、特に受容手段と半製品の前面との間にかかる負圧による真空ブロッキングの場合のどちらにも当てはまる。
【００５７】
したがって、本発明の特定の構成において、ステップｂ）で、提供された眼鏡レンズ半製品のセットから眼鏡レンズ半製品を受け取るステップが、前面の形状の１部分のみと形状の点で相補的な実施形態を有する受取装置によって実行されるようになされる。この部分は、受け取られた眼鏡レンズ半製品の前面の少なくとも４０％、好ましくは少なくとも５０％、より好ましくは少なくとも６０％、最も好ましくは少なくとも７０％を含んでいてもよい。これまでにわかっている点として、この部分が受け取られた眼鏡レンズ半製品の前面の４０％〜８０％、好ましくは５０％〜８０％、より好ましくは６０〜８０％、最も好ましくは７０％〜８０％の間を含む場合に十分である。
【００５８】
原則として、接着ブロッキングという従来の接着の種類と比較して、形状相補的に事前に成形された真空ブロッキンクのための受取装置は、費用の増大を導くかもしれない。換言すれば、眼鏡レンズ半製品の各接触面の形状について、座部又はキャリアの形態での、特別に調整された受取装置を提供することが、すなわち受取時の機能的信頼性の点から、望ましい。より端的に言えば、受け取る必要のある上記の種類の各眼鏡レンズ半製品の類型のための座部、又は接触面のある曲率半径に従って適切に調整されたキャリアを常に利用可能にしておく必要があり、前記座部又はキャリアは、それに合わせて調整された受取半径を有する。接着ブロッキングに関して、形状相補的実施形態を有する受取装置は特に、必須ではないが、少なくとも部分的には極めて好ましい。
【００５９】
受け取られる半製品の前面と形状相補的に事前に調整された輪郭を有する、眼鏡レンズ半製品を圧力嵌めによる受け取るための受取装置の代わりに、本発明を実現することを目的として、受け取られる半製品の前面に形状相補的に事前調整可能な輪郭を有する受取装置を使用することも可能である。例えば、これは軸方向に移動可能なリング状の当接要素によって実行でき、これは例えば欧州特許第０  ８５７  ９９３  Ａ２号明細書又は特開３１２１７６３  Ａ号公報に記載されている。
【００６０】
眼鏡レンズ半製品の前面を広範囲で形状嵌合式方法で受け取ることは、空気圧による受取装置の場合は必須ではない。しかしながら、これまでにわかった点として、受容手段と眼鏡レンズ半製品との間の保持力は、欧州特許第０  ８５７  ９９３  Ａ２号明細書、米国特許第３，１３４，２０８号明細書、米国特許第４，０８９，１０２号明細書、独国特許第３９  ２４  ０７８  Ａ１号明細書、独国特許第２５  ３１  １３４  Ａ１号明細書、及び特開３１２１７６３  Ａ号公報の文献に記載されている、保持されるべき半製品の前面の広い部分と形状相補的な方法で実現されている当接面を有する受取装置のほうが、眼鏡レンズ半製品のための、周囲に密着する外側の概してリング状の当接面のみを有する単純な吸引キャリアの場合よりはるかに大きい。
【００６１】
吸引キャリアがそのために実現されている場合、負圧を生成した後に、電力を使用することなく、眼鏡レンズ半製品を安定に保持することが特に好ましい。言い換えれば、これは、眼鏡レンズ半製品を吸引キャリア上に、いったんそれが受け取られた後にしっかりと保持するために、別のエネルギーをかける必要がないことを意味する。このために、適当な構造的手段、特に、受取座部の上及び吸引キャリア自体の上に密着させるのに特に適した手段が提供されてもよい。眼鏡レンズ半製品が受取座部、例えば、周囲の密着面に十分にしっかりと当接するかぎり、及び、負圧を生成するために接触可能な、吸引キャリア上の負圧ラインが外部から十分に密閉されているかぎり、眼鏡レンズ半製品はまた、吸引キャリア上に比較的長い時間にわたり、しっかりとした確実な所定の方法で保持できる。換言すれば、独立し、安定した、吸引キャリアと眼鏡レンズ半製品からなる複合体を形成することができる。例えば、吸引キャリアと眼鏡レンズ半製品の複合体を製造設備の中で移動させ、利用でき、負圧ライン又はその他の設置が不要である。
【００６２】
例えば、受容座部と眼鏡レンズ半製品との間の負圧は、眼鏡レンズ半製品の接触面と受取座部との間の流体（特に空気）でもともと満たされていた空間を空にすることによって生成できる。これに関して本開示が真空に言及するかぎり、これは必ずしも絶対真空が生成されることを意味するとはかぎらない。むしろ、通常、周囲圧力と、眼鏡レンズ半製品の接触面と受取座部との間の「真空空間」の中の圧力との間で所定の負圧又は所定の圧力差を生成すれば十分である。
【００６３】
例えば、機械加工ステップｃ）は、研削工程及び／又はフライス加工及び／又は変形工程を含んでいてもよい。さらに、受け取られたられた眼鏡レンズ半製品の機械加工は、研磨工程を含んでいてもよい。機械加工は、標準化された裏面の賦形製造又は、後の使用者のために個別に計算された裏面の表面設計の賦形製造で構成できる。特に、上記の何れの場合にも、処方箋の数値と、例えば眼鏡検査士又は眼科医が設定した、欧州特許第０  ８５７  ９９３  Ａ２号明細書に記載されているような種類の個別の使用者情報が含められてもよい。
【００６４】
上述の賦形工程に加えて、又はその代わりに、機械加工ステップはまた、本明細書の導入部分に記載したような種類の機能層の堆積を含んでいてもよい。
【００６５】
眼鏡レンズ半製品の機械加工中に、少なくともある期間にわたり、好ましくはほとんど永久的にこれをその受取状態のままにすることができる。特に、眼鏡レンズ半製品は、受け取られた状態で各種の機械加工ステーション間で移動できる。さらに、眼鏡レンズ半製品を受け取られた状態のまま、少なくとも１つのモニタステーション又は試験ステーションへと送給して、例えば、機械加工の進行をモニタしてもよい。さらに、このようにすれば品質管理も容易化できる。
【００６６】
本発明はさらに、特に上述の種類の眼鏡レンズの製造方法における、特に上述の種類の眼鏡レンズ半製品のセットの使用の提案からなり、眼鏡レンズ半製品の各々は、球面又は回転対称非球面の凸型で、関連する形状寸法の少なくとも１つの物理的形状特徴を有する前面を有し、
−第一の平均屈折率の母材で製作された眼鏡レンズ半製品の第一のシリーズであって、その前面の形状の少なくとも１つの物理的形状特徴の形状寸法において異なる、ペア単位で異なる眼鏡レンズ半製品の類型を有し、ペア単位で異なる少なくとも３種類の類型は、標準屈折率１．５３に関する、また前面が回転対称非球面形状の場合にはその対称中心で測定して、３．２Ｄ〜６．７Ｄの間のその前面の実際の面屈折力値を有する第一のシリーズと、
−第一の平均屈折率とは異なる第二の平均屈折率を有する母材から製作された眼鏡レンズ半製品の第二のシリーズであって、その前面の形状の少なくとも１つの物理的形状特徴の形状寸法において異なる、眼鏡レンズ半製品のペア単位で異なる類型を有する第二のシリーズと、
−第一の平均屈折率及び第二の平均屈折率とは異なる第三の平均屈折率を有する母材から製作された眼鏡レンズ半製品の第三のシリーズであって、その前面の形状の少なくとも１つの物理的形状特徴の形状寸法において異なる、眼鏡レンズ半製品のペア単位で異なる類型を有する第三のシリーズと、
を含み、
−第二のシリーズのペア単位で異なる類型のうちの少なくとも３種類の類型は、標準屈折率１．５３に関して３．２Ｄ〜６．７Ｄの間のその前面の実際の面屈折力値を有し、
−第三のシリーズのペア単位で異なる類型のうちの少なくとも３種類の類型は、標準屈折率１．５３に関して３．２Ｄ〜６．７Ｄの間のその前面の実際の面屈折力値を有し、
−第一のシリーズの少なくとも３種類の類型の前面の形状の少なくとも１つの物理的形状特徴の形状寸法と、第二のシリーズの少なくとも３種類の類型の前面の形状の少なくとも１つの物理的形状特徴の形状寸法と、第三のシリーズの少なくとも３種類の類型の前面の形状の少なくとも１つの物理的形状特徴の形状寸法が同じである。
【００６７】
本発明によれば、少なくとも１つの形状特徴（Ｒ、Ｒ１、Ｒ２、．．．Ｒ２０、Ｄｎ）は、
ｉ）実際の曲率、及び／又は
ｉｉ）実際の曲率半径、及び／又は
ｉｉｉ）円錐部分と補正多項式面との和からなるＤＩＮ  ＩＳＯ  １０１１０において定義される非球面部分の、次式、
【数３】
2017514180.tif 000023
（式中、ｚはサジタルデプス、ｒは入射高さ、ρは頂点曲率、及びｋは円錐部分の円錐定数、及びＡ４、Ａ６、．．．は補正多項式の係数である）
による補正多項式面の円錐部分の頂点曲率（ρ）である。
【００６８】
冒頭で提起した本発明の課題は、眼鏡レンズの製造方法における眼鏡レンズ半製品のセットの上述の使用により完全に解決される。
【００６９】
さらに、本発明は、特に上述の種類の方法を実行するための、眼鏡レンズの製造装置の提供からなり、
ａ）特に上述の種類の眼鏡レンズ半製品のセットを提供する提供装置であって、眼鏡レンズ半製品の各々は、後面と、球面又は回転対称非球面の凸型で、関連する形状寸法の少なくとも１つの物理的形状特徴を有する前面と、を有し、
−第一の平均屈折率の母材で製作された眼鏡レンズ半製品の第一のシリーズであって、その前面の形状の少なくとも１つの物理的形状特徴の形状寸法において異なる、眼鏡レンズ半製品のペア単位で異なる類型を有し、ペア単位で異なる少なくとも３種類の類型は、標準屈折率１．５３に関する、また前面が回転対称非球面形状の場合にはその対称中心で測定して、３．２Ｄ〜６．７Ｄの間のその前面の実際の面屈折力値を有する第一のシリーズと、
−第一の平均屈折率とは異なる第二の平均屈折率を有する母材から製作された眼鏡レンズ半製品の第二のシリーズであって、その前面の形状の少なくとも１つの物理的形状特徴の形状寸法において異なる、眼鏡レンズ半製品のペア単位で異なる類型を有する第二のシリーズと、
−第一の平均屈折率及び第二の平均屈折率とは異なる第三の平均屈折率を有する母材から製作された眼鏡レンズ半製品の第三のシリーズであって、その前面の形状の少なくとも１つの物理的形状特徴の形状寸法において異なる、眼鏡レンズ半製品のペア単位で異なる類型を有する第三のシリーズと、
を含み、
−第二のシリーズのペア単位で異なる類型のうちの少なくとも３種類の類型は、標準屈折率１．５３に関して３．２Ｄ〜６．７Ｄの間のその前面の実際の面屈折力値を有し、
−第三のシリーズのペア単位で異なる類型のうちの少なくとも３種類の類型は、標準屈折率１．５３に関して３．２Ｄ〜６．７Ｄの間のその前面の実際の面屈折力値を有し、
−第一のシリーズの少なくとも３種類の類型の前面の形状の少なくとも１つの物理的形状特徴の形状寸法と、第二のシリーズの少なくとも３種類の類型の前面の形状の少なくとも１つの物理的形状特徴の形状寸法と、第三のシリーズの少なくとも３種類の類型の前面の形状の少なくとも１つの物理的形状特徴の形状寸法が同じである
ような提供装置と、
ｂ）提供された眼鏡レンズ半製品のセットから眼鏡レンズ半製品の１つを受け取る受取装置と、
ｃ）受け取った眼鏡レンズ半製品の後面を機械加工する機械加工装置と、
を含む。
【００７０】
本発明によれば、少なくとも１つの形状特徴（Ｒ、Ｒ１、Ｒ２、．．．Ｒ２０、Ｄｎ）は、
ｉ）実際の曲率、及び／又は
ｉｉ）実際の曲率半径、及び／又は
ｉｉｉ）円錐部分と補正多項式面との和からなるＤＩＮ  ＩＳＯ  １０１１０において定義される非球面部分の、次式、
【数４】
2017514180.tif 000024
（式中、ｚはサジタルデプス、ｒは入射高さ、ρは頂点曲率、及びｋは円錐部分の円錐定数、及びＡ４、Ａ６、．．．は補正多項式の係数である）
による補正多項式面の円錐部分の頂点曲率（ρ）である。
【００７１】
冒頭において提起された本発明の課題は、眼鏡レンズを製造するための本発明による上述の装置により完全に解決される。
【００７２】
例えば、提供装置はストアとすることができ、これはセットの中の異なる半製品を保管し、そこに対して、そのセットの眼鏡レンズ半製品の１つが、その前面で受け取られ、後面が機械加工されるようにそこに要求できる。例えば、提供装置はまた、テータベースとすることもでき、これが個別の半製品の類型に関する情報を供給し、また、そこからこれを得ることができ、そのセットの眼鏡レンズ半製品の１つが、その前面において受け取られ、後面が機械加工されるように要求できる。
【００７３】
上ですでに説明したように、受取装置は、眼鏡レンズ半製品との接着及び／又は圧力嵌め及び／又は嵌合接続を成立させてもよい。受取装置は、受取装置と、眼鏡レンズ半製品の前面との間の、受取装置と半製品前面との間に導入された低融点金属合金によって、又は受取装置と半製品前面との間に塗布された有機接着剤によって粘着接続を確立できるブロッキング装置として構成されてもよい。受取装置はまた、負圧吸引装置又は真空吸引装置として実施されてもよく、これは、受取装置と半製品前面との間の空洞内の負圧によって圧力嵌め接続を成立させることができる。
【００７４】
機械加工装置は、１つ又は複数のフライス加工ツール、及び／又は１つ又は複数の旋盤ツール、及び／又は１つ又は複数の研削ツール、及び／又は１つ又は複数の研磨ツールを含んでいてもよい。これに加えて、又はその代わりに、機械加工装置は、機能層を堆積させるための１つ又は複数の成膜装置を含んでいてもよい。１つ又は複数の機能層の湿式化学堆積のために、例えば浸漬コーティング装置又はスピンオン又はスピンコーティング装置等の１つ又は複数の成膜装置があってもよい。さらに、１つ又は複数の真空コーティング装置、例えば真空蒸着装置、特に蒸発装置、スパッタリング装置又は化学真空反応装置が利用されてもよい。
【００７５】
最後に、本発明は、眼鏡レンズ半製品のセット、特に上述の種類のうちの１つによる半製品のセットを設計するためのコンピュータ実装方法からなり、眼鏡レンズ半製品の各々は、球面又は回転対称非球面の凸形状であり、関連する形状寸法を有する少なくとも１つの物理的形状特徴を有する前面を有し、眼鏡レンズ半製品のセットは、第一の平均屈折率の母材で製作された眼鏡レンズ半製品の第一のシリーズと、第一の平均屈折率とは異なる第二の平均屈折率の母材から製作された眼鏡レンズ半製品の第二のシリーズと、第一の平均屈折率（ｎｄ４）及び第二の平均屈折率とは異なる第三の平均屈折率の母材から製作された眼鏡レンズ半製品の第三のシリーズを含み、第一のシリーズは、その前面の形状の少なくとも１つの物理的形状特徴の形状寸法の点で異なる、眼鏡レンズ半製品のペア単位で異なる類型を有し、第二のシリーズは、その前面の形状の少なくとも１つの物理的形状特徴の形状寸法において異なる、眼鏡レンズ半製品のペア単位で異なる類型を有し、第三のシリーズは、その前面の形状の少なくとも１つの物理的形状特徴の形状寸法において異なる、眼鏡レンズ半製品のペア単位で異なる類型を有する。
【００７６】
本発明によるコンピュータ実装方法は以下のステップを特徴とする：
ａ）第一のシリーズの異なる類型の前面の形状の少なくとも１つの物理的形状特徴の形状寸法と第二のシリーズの異なる類型の前面の形状の少なくとも１つの物理的形状特徴の形状寸法と第三のシリーズの異なる類型の前面の形状の少なくとも１つの物理的形状特徴の形状寸法とを均等化するステップ。
【００７７】
言い換えれば、形状寸法を均等化するステップは、眼鏡レンズ半製品のセットが、球面又は回転対称非球面の前面を有する眼鏡レンズ半製品の少なくとも２つのシリーズからなり、眼鏡レンズ半製品のシリーズはそれぞれの母材の点で異なり、母材は異なる平均屈折率を有し、シリーズの各々が、眼鏡レンズ半製品の少なくとも２種類のペア単位で異なる類型を含み、その前面の形状は幾分異なる実施形態を有し、これらの少なくとも２つの類型の前面形状が、少なくとも２つのシリーズのすべてについて、部分領域（これは前面全体の好ましくは４０％超、より好ましくは５０％超を含む）又は前面全体で同じであるように、形状寸法を対応させることを意味すると理解される。
【００７８】
本発明によれば、少なくとも１つの形状特徴（Ｒ、Ｒ１、Ｒ２、．．．Ｒ２０、Ｄｎ）は、
ａ）実際の曲率、及び／又は
ｂ）実際の曲率半径、及び／又は
ｃ）円錐部分と補正多項式面との和からなるＤＩＮ  ＩＳＯ  １０１１０において定義される非球面部分の、次式、
【数５】
2017514180.tif 000025
（式中、ｚはサジタルデプス、ｒは入射高さ、ρは頂点曲率、及びｋは円錐部分の円錐定数、及びＡ４、Ａ６、．．．は補正多項式の係数である）
による補正多項式面の円錐部分の頂点曲率（ρ）である。
【００７９】
冒頭において提起した本発明の課題は、眼鏡レンズ半製品のセットを設計するための本発明による上述のコンピュータ実装方法によって完全に解決される。
【００８０】
本発明によるコンピュータ実装方法の特に有利な実施形態は、少なくとも１つの形態特徴が実際の面屈折力であることと、関連する形状寸法が、標準屈折率１．５３に関する、関連する実際の面屈折力値であり、眼鏡レンズ半製品の第一のシリーズと第二のシリーズの各々が眼鏡レンズ半製品の類型を有し、その前面は、標準屈折率１．５３に関する同一の実際の面屈折力値の実際の面屈折力を有し、第一のシリーズの異なる類型の前面の実際の面屈折力値と第二のシリーズの異なる類型の前面の実際の面屈折力値との均等化が、標準屈折率１．５３に関する同一の実際の面屈折力値のうちの１つと標準屈折率１．５３に関する次に大きい同一の実際の面屈折力値との差が所定の閾値より小さく、及び／又は一定に事前に定められた差の値と、２０％、好ましくは１５％、より好ましくは１０％、最も好ましくは５％のばらつき範囲内で同じとなるような方法で実行されることからなる。
【００８１】
上の説明によれば、この設計ルールの利点は、ほとんど均一な階級付けが、あるシリーズの半製品の間で生成され、それによって提供範囲全体にわたり、完成した眼鏡レンズの光学特性に関して略均一な品質分布が可能になるという事実にある。
【００８２】
本発明によれば、眼鏡レンズを製造するための半製品セットを設計する上述の方法と、その方法ステップを実行するためのその変化形は、コンピュータプログラムがコンピュータに読み込まれた、及び／又はコンピュータ上で実行された場合に、プログラムコードによるコンピュータブログラムの形態で存在してもよい。
【００８３】
特に、本発明は、眼鏡レンズを製造するための半製品のセットを設計する上述の方法と、その方法ステップを実行するためのその変化形は、コンピュータプログラムがコンピュータを読み込む、及び／又はコンピュータ上で実行するためにプログラムコードによるコンピュータブログラムを記憶したコンピュータ読取可能記憶媒体の形態で存在するようにする。
【００８４】
本発明の他の特徴と利点は、図面を参照しながらの複数の好ましい例示的実施形態に関する以下の説明から明らかとなるであろう。
【図面の簡単な説明】
【００８５】
【図１】眼鏡レンズを製造するための２つの眼鏡レンズ半製品の簡略化した側面略図を示す。
【図２】眼鏡レンズを製造するための別の眼鏡レンズ半製品と眼鏡レンズ半製品に合わせて調整される受取座部を有する受容手段の簡略化した側面略図を示す。
【図３−５】眼鏡レンズ半製品と、その眼鏡レンズ半製品の対応する接触面に合わせて調整された受取座部を有する接触部との組合せの簡略化した側面略図を示す。
【図６】眼鏡レンズ半製品のセットとキャリア又は接触部セットの考えうる構成とペアを示すための、ごく簡略化した概略図表を示す。
【図７】平均屈折率１．６のそれぞれの眼鏡レンズ半製品の類型の母材からなる眼鏡レンズ半製品の前面の曲率半径の形態での標準化された物理的形状を各々が有する眼鏡レンズ半製品の類型を、眼鏡レンズ半製品の類型に基づいて生成可能な光学的補正の所定の領域に割り当てることを説明する例示的略図を示す。
【図８】平均屈折率１．６７のそれぞれの眼鏡レンズ半製品の類型の母材からなる眼鏡レンズ半製品の前面の曲率半径の形態での標準化された物理的形状を各々が有する眼鏡レンズ半製品の類型を、眼鏡レンズ半製品の類型に基づいて生成可能な光学的補正の所定の領域に割り当てることを説明する例示的略図を示す。
【図９】曲率半径が標準屈折率１．５３に関する実際の面屈折力に変換されている、図７による割り当てを示す。
【図１０】曲率半径が標準屈折率１．５３に関する実際の面屈折力に変換されている、図８による割り当てを示す。
【図１１】眼鏡レンズを製造するための設備又はシステムの、ごく簡略化した概略ブロック図を示す。
【図１２】眼鏡レンズの製造方法の構成の、ごく簡略化した概略ブロック図を示す。
【図１３】図１０に基づいて示される方法に基づく、眼鏡レンズの製造方法の代替的構成の、ごく簡略化した概略ブロック図を示す。
【図１４】図１０に基づいて示される眼鏡レンズの製造方法の方法ステップの考えうる部分的ステップを説明するための、ごく簡略化した概略ブロック図を示す。
【発明を実施するための形態】
【００８６】
図１は、本発明の範囲内で使用される、眼鏡レンズを製造するための眼鏡レンズ半製品の考えうる設計を、２つの側面図に基づいて、ごく簡略的に示す。１０で示される眼鏡レンズ半製品は、いわゆるプラスレンズを製造するための例示的な方法で使用されてもよい。１２で示される眼鏡レンズ半製品は、いわゆるマイナスレンズを製造するための例示的な方法において使用されてもよい。
【００８７】
この例示的な実施形態において、眼鏡レンズ半製品１０、１２は、回転軸１４の周囲での回転対称の実施形態を有する。さらに、眼鏡レンズ半製品１０、１２は、前面１６を有する。前面１６はすでに完成している。後の眼鏡装用者の要求事項に合わせて光学的効果又は光学特性を変化させるための曲率の変更は、眼鏡レンズ半製品１０、１２の前面１６の反対にある後面１８においてのみ行われる。通常、前面１６は球面である。回転対称非球面の前面もまた、本発明の範囲内で認められる。それぞれの前面１６は、特定の曲率を有し、この例示的実施形態において、曲率半径２０によって特定されている。
【００８８】
眼鏡レンズ半製品１０から製造可能なプラスレンズは一般に、凸型の前面１６を有し、その曲率は、後面１８の凹型曲率より大きい。眼鏡レンズ半製品１２から製造可能なマイナスレンズは一般に、その凸型の前面１６上で、凹型後面１８の曲率より小さい。眼鏡レンズ半製品１０、１２は、この例示的実施形態において、有機材料（プラスチック）から製作される。ミネラルガラス又はその他の無機材料で製作された眼鏡レンズ半製品もまた使用可能である。例えば有機眼鏡レンズの既知の材料には、商品名ＣＲ  ３９、ＭＲ  ８、ＭＲ  ７、ＣＲ  ３３０、及びＭＲ  １７４のものが含まれる。その他の有機及びミネラルレンズのためのその他の材料は、本明細書の導入部分に記載されている。しかしながら、本明細書の導入部分に示されている表１は、多数の材料の中の一部のみを含んでいる。
【００８９】
前面１６と後面１８に加えて、眼鏡レンズ半製品１０、１２は、縁面２２を有し、これは通常、円柱面として具現化される。したがって、これはしばしば、円柱縁面とも呼ばれる。当然のことながら、図１に基づいて示されている眼鏡レンズ半製品１０、１２の構成は、単に例示的な性格のものである。一般に、縁面２２はあらゆる形態の円柱面として設計できる。
【００９０】
上で詳細に説明したように、いわゆる半製品、すなわちブランク１０、１２は、前面１６、１８が機械加工に関して完成しており、後面１６、１８にはその後、後の眼鏡装用者の光学的要求事項にさらに合わせて調整するために賦形のための機械加工が行われ、適当な方法で機械加工装置の中に受け取られることができるように受容手段の中にブロックされ、又は固定される。
【００９１】
概略的な、ごく簡略化した側面図において、図２は、眼鏡レンズ半製品１０を受けるように具現化された受取装置３４を示している。この例において、受取装置３４は、吸引キャリア又は真空キャリアとして具現化される。受取装置３４は、眼鏡レンズ半製品１０を所定の接触面で受けるように具現化される。例えば、接触面は前面１６全体とすることができる。図２に示されるケースでは、接触面は前面の中央部分１７だけを含み、これは眼鏡レンズ半製品１０の回転軸又は対称軸１４が前面１６を通る貫通点１５に関して点対称である。
【００９２】
眼鏡レンズ半製品１０を受取装置３４の上に受け取る前に、多くの場合、保護膜が接触面に堆積される。これは、受け取られている時、及び後の機械加工中に固定されている時に、前面１６の損傷を回避できる。図２において、保護膜は参照符号１９で特定される。
【００９３】
眼鏡レンズ半製品１０を受取装置３４の上に受ける、又は固定する工程は、特に低融点の金属合金を接続媒体として使用する時、又は吸引又は真空キャリアを使用する時にブロッキングと呼ばれる。受取装置３４とその上に受け取られた眼鏡レンズ半製品１０の複合体が、眼鏡レンズ半製品１０のブロック状態としてできる。この複合体により、確実な取扱いと、特に、その後の機械加工ステップのための眼鏡レンズ半製品１０の正確な受取が可能となる。
【００９４】
この例示的実施形態において、受取装置３４はシャフト３６を含み、これは機械加工用機械、試験機械、又は、眼鏡レンズを製造するための設備の同様の装置の中に受取装置３４を受けるように具現化される。さらに、図の構成において、受取装置３４は接触部３８を含み、これは、眼鏡レンズ半製品１０の接触面１７又は前面１６を受けるように具現化される。
【００９５】
この例において、接触部３８は受取凹部を有し、これを以下、受取座部４０と呼ぶ。座部４２は、特に眼鏡レンズ半製品１０と対面する端において、接触部３８上で受けられる。受け取られた状態において、眼鏡レンズ半製品１０の前面１６が接触部３８の受取座部４０と当接することは絶対的に必須といすわけではない。しかしながら、前面１６上のシーリングリング４２の密着当接が望ましい。このようにすると、受取座部４０と前面１６との間に空洞４４が発生するかもれず、前記空洞内に負圧又は真空が生成される。
【００９６】
空洞４４がシーリングリング４２上の眼鏡レンズ半製品１０の当接によって十分に密閉されるかぎり、眼鏡レンズ半製品１０は、純粋に空洞４４内の負圧のみによって接触部３８に確実に保持できる。このようにして、接触部３８で眼鏡レンズ半製品１０が圧力嵌めにより確実に受け取られる。眼鏡レンズ半製品１０を接着によって接触部３８に接続するための既知の方法と比較して、これには様々な利点がある。特に、接触部３８と眼鏡レンズ半製品１０の間の接着手段の提供、取扱い、及び処分を回避できる。
【００９７】
チャンバとも呼ばれてもよい空洞４４は、空洞４４内に負圧又は真空を発生させることを目的とした、ライン４８によってポンプ５２に接続可能である。このポンプ５２は、真空ポンプと呼ぶことができる。眼鏡レンズ半製品１０がシーリングリング４２に十分に密接に当接したときに、空洞４４から空気をポンプ５２によって吸引できる。好ましくは、ライン４８は密閉式にブロックできる。このために、例えばバルブ５０を設けることができ、これは図２においては記号でのみ示されている。好ましくは、ライン４８は、キャリア３４をポンプ５２から取り外せるような方法でブロックできる。空洞４４が十分に密閉されるかぎり、眼鏡レンズ半製品１０は、接触部３８に独立して、永久的に保持できる。特に、締り嵌めを確実にするための永久的又は散発的なエネルギー供給が不要となる。反対に、眼鏡レンズ半製品１０は、例えばライン４８によってもたらされる圧力平衡化により、接触部３８から容易に取り外すことができる。
【００９８】
接触部３８の上に眼鏡レンズ半製品１０を再現可能かつ動作可能に確実に受け取るようにするために、前面１６と受取座部４０との間でできるだけ画然としたギャップを生成することが有利であり、前記ギャップは、ブロックされた状態で空洞４４を画定する。この理由より、少なくとも接触面１７の領域において、受取座部４０が前面１６の形状に合わせて調整された形状を有していれば有利である。特に、受取座部４０と前面１６が実質的に曲率又は曲率半径を有していれば有利であろう。ギャップ、すなわち空洞４４は、適当なオフセットにより得られる。特に、適当な受取座部４０又は適当な接触部３８が前面１６の考えうるすべての形状又は設計のためにいつでも利用可能であれば好ましい。
【００９９】
これに関連して、図３、４、及び５は、半製品１０−１、１０−２、１０−３と、その前面１６−１、１６−２、１６−３と適合するようにされた、図２に示される種類の受取装置３４−１、３４−２、３４−３の接触部３８−１、３８−２、３８−３との各種のペアを示している。接触部３８−１、３８−２、３８−３は、くぼみ又は受取座部４０−１、４０−２、４０−３を有し、これらは適当な方法で前面１６−１、１６−２、１６−３の設計に合わせて調整される。特に、受取座部４０−１、４０−２、４０−３と前面１６−１、１６−２、１６−３は、実施質的に対応する曲率半径を有していてもよい。これは、眼鏡レンズ半製品１０−１、１０−２、１０−３の確実な固定をもたらすことができる。
【０１００】
しかしながら、設計の異なる前面１６−１、１６−２、１６−３の数が増えるにつれ、適切に調整された接触部３８−１、３８−２、３８−３の必要性も相応に高まるであろう。それゆえ、眼鏡レンズ半製品１０、１２の不均一性又は多様性が、その前面設計に関して増大すると、適切な接触部３８又はそれと共に提供される受取装置３４を提供するための費用も増す。
【０１０１】
図のケースのように、図３、４、及び５の接触部３８−１、３８−２、３８−３の各々はまた、独立したキャリア３４−１、３４−２、３４−３の構成要素であってもよく、図２も参照されたい。しかしながら、反対に、接触部３８−１、３８−２、３８−３をアダプタとして具現化し、したがって、必要に応じてこれらを対応するキャリア３４に固定することも考えられる。
【０１０２】
眼鏡レンズ半製品を、その裏面が機械加工される時に確実に固定するために、受取装置を眼鏡レンズ半製品の前面に合わせる必要があるという事実は、眼鏡レンズ半製品１０を受けるための受取装置として真空ブロッカ３４を利用する、上で詳しく述べたケースにのみ当てはまるのでなく、一般に当てはまる。しかしながら、特定のレンズ、特に可変焦点レンズ及び同様に複雑なレンズを製造するための半製品の供給が非常に不均一であることを考えると、これらの眼鏡レンズ半製品を保持できる受取装置を保管できる眼鏡レンズ製造業者は僅かにすぎない。
【０１０３】
したがって、本発明は、前面設計、特に眼鏡レンズ半製品１０、１２の前面の接触面の曲率半径を汎用的に規定し、その結果、異なる接触面の幾何学形状の数を管理可能な程度にすることを提案する。このような概念は、図６において、チャート状の表示に基づいて示されている。図６は、眼鏡レンズ半製品の類型、したがって、対応する受取装置の類型を、物理的形状特徴の汎用的定義又は汎用的標準化、特に眼鏡レンズ半製品１０、１２の球面の前面の接触面についての曲率半径の汎用的定義に割り当てたものを示している。これは再び、前面全体又は前面の一部のみが接触面としての役割を果たしてよいことを再び明確に明示する。球面形状の代わりに、前面はまた、回転対称非球面の実施形態を有することもできる。さらに、これはある眼鏡レンズ半製品の類型がその形状特徴の形状寸法によって決定されることを明らかにしている。これは、この例示的実施形態において、ある眼鏡レンズ半製品の類型が、その球面の前面の半径の寸法により定義されることを意味する。
【０１０４】
例示的な割当表は全体が６０で示されている。６２で示されるコラムは、単に概略的に、曲率半径又はこれと同様の物理的形状特徴の規定値を示し、これらは行の番号に従ってＲ１〜Ｒ２０で示される。いわば、コラム６２で定義される半径Ｒ１〜Ｒ２０は、あるセットの眼鏡レンズ半製品の類型を定義する時に適当な代表例を選択できる最大数を表す。簡略化のために、それぞれの半径Ｒ１〜Ｒ２０の対応する値が、表６２において上から下に、すなわち行の番号と共に増えると仮定している。
【０１０５】
コラム６２に従って各半径Ｒ１〜Ｒ２０について、対応する接触部３８又は接触部３８と共に提供される受取装置３４が提供されることが好ましく、その接触部の受取座部４０は曲率半径Ｒ１〜Ｒ２０の接触面を受け取るように設計されており、図２〜図５も参照されたい。割当表６０において、６４で示されるコラムは、それに対応する受取装置３４を示す。
【０１０６】
半径Ｒ１〜Ｒ２０の汎用的定義６２が、眼鏡レンズ半製品の前面幾何学形状を設計する際に「入力可変値」として使用できるようになるかぎり、自動的に、得られる半製品１０、１２は確実にブロックされ、所望の通りに機械加工される。
【０１０７】
図６において、６６−１、６６−２、６６−３で示されるコラムは、半径Ｒ１〜Ｒ２０の汎用的規約又は定義に従って選択された眼鏡レンズ半製品１０、１２の異なるシリーズを示す。したがって、各シリーズは、個別の眼鏡レンズ半製品の前面の曲率半径によって設定される多数の眼鏡レンズ半製品の類型を含む。
【０１０８】
汎用的定義６２に従って事前に規定された異なる半径Ｒ１〜Ｒ２０の数は、単に説明のために例示的に選択されているにすぎない。一般に、汎用的定義６２は、例えば５〜２５種類の半径を含むと考えられる。特に汎用的定義６２は、１０〜２０種類の半径を含んでいてもよい。
【０１０９】
異なるシリーズ６６−１、６６−２、６６−３は、その材料に関して、したがってその平均屈折率に関して相互に異なる。各種のシリーズ６６−１、６６−２、６６−３はまた、他の光学特性に関して相互に異なっていてもよい。特に、シリーズ、又はあるシリーズ内の個々の半製品は、１つ又は複数のコーティングを有していてもよい。しかしながら、今回のケースで決定的であるのは、キャリアの、又は基板の材料であり、これを本明細書の範囲においては母材と呼ぶ。
【０１１０】
シリーズ６６−１、６６−２、６６−３の間には、患者又は顧客側の需要を鑑みた違いがあってもよい。例えば、第一のコラム＃１によるシリーズ６６−１は、非常に需要の多い半製品１０、１２のシリーズであってもよい。第二のコラム＃２によるシリーズ６６−２の半製品は、第一のコラムによる半製品６６−１より需要が少ない。第三のコラム＃３によるシリーズ６６−３の半製品は、第二のコラム＃２による半製品６６−２より更に需要が少ない。さらに、平均サイズの、すなわち番号Ｒ７〜Ｒ１４に対応する半径は、小さい、又は大きい半径Ｒ１〜Ｒ６及びＲ１５〜Ｒ２０より需要が多い。
【０１１１】
したがって、シリーズ６６−１内の半径Ｒ１〜Ｒ２０の間の最小の広がり又は階級付けを利用することが望ましいかもしれない。換言すれば、シリーズ６６−１は、例えば半径Ｒ１〜Ｒ２０により特徴付けられる半製品の類型セットを含んでいてもよく、これは、コラム６２による最も利用可能な汎用セットに対応する。これによって、確実に細かい階級付けを行うことができる。通常、後面の、それに匹敵する少ない数の賦形のための機械加工ステップだけで、所望の光学特性を生成できる。
【０１１２】
これと対照的に、図６の６６−３で示されるシリーズに含まれる眼鏡レンズ半製品の類型の数はずっと少なく（コラム６６−３の行３、７、１０、１３、１８のマーキングされたフィールド）、これはコラム６２の中の半径Ｒ１〜Ｒ２０又は眼鏡レンズ半製品の類型の最大利用可能数の一部として選択されている。このようにして、半製品１０、１２を生産するための費用を限定できる。これに対して、限定的な数のみの眼鏡レンズ半製品から進む場合には、所望の光学特性を生成するための機械加工費用の増大は受け入れられるかもしれない。
【０１１３】
図６の６６−２で示されるコラムは、例えば平均的な需要のある眼鏡レンズ半製品１０、１２に関する。したがって、特定の領域、特に曲率半径の特定の領域では、他の領域より、特にコラム６２の端領域より細かい階級付けがあることが有利かもしれない。通常、需要は眼鏡レンズ半製品の類型のシリーズ６６の中でも、その眼鏡レンズ半製品の類型に基づいて得られる光学補正に応じて異なる。したがって、シリーズ６６の、（そのシリーズに関して）より高い需要のある眼鏡レンズ半製品の類型を、より小さい増分で定義することが有利であるかもしれず、例えば、シリーズ６６−２の中央部分を参照されたい。
【０１１４】
セット６８は、複数のシリーズ６６−１、６６−２、６６−３で形成できる。したがって、眼鏡レンズ半製品のセット６８は、複数のシリーズ６６−１、６６−２、６６−３を含み、その各々が今度は複数の眼鏡レンズ半製品の類型Ｎｏ．１〜２０を含み、これらが今度は複数の個々の眼鏡レンズ半製品を含む。個々のシリーズは、眼鏡レンズ半製品の母材において異なる。この場合、個々の眼鏡レンズ半製品の類型Ｎｏ．１〜２０は、その曲率半径Ｒ１〜Ｒ２０の点で異なる。すなわち、１つの眼鏡レンズ半製品の類型Ｎｏ．１、Ｎｏ．２、．．．Ｎｏ．２０の中のすべての眼鏡レンズ半製品は、同じ曲率半径Ｒ１、Ｒ２、．．．Ｒ２０を有する。ある類型及び／又はあるシリーズ、又はその複数のうちの眼鏡レンズ半製品の個々の１つがコーティングされているか否かは関係ない。
【０１１５】
同様に、セット６８のシリーズ６６−１、６６−２、６６−３の中の各眼鏡レンズ半製品が確実に汎用的定義６２に当てはまり、したがって、受取装置３４のセット６４に従って、受取装置３４、特に接触部３８によって受け取られ、特にブロックされるようにすることができる。
【０１１６】
さらに、半製品１０、１２のシリーズ６６−１、６６−２、６６−３と受取装置３４又はこれに対応して関連する接触部３８のセット６４との少なくとも１つのペア７２を形成することが有利でありうる。ペア７２に組み合わせることによって、シリーズ６６−１、６６−２、６６−３の各眼鏡レンズ半製品の類型について、セット６４のうちの適当な受取装置３４又は適当な接触部３８が確実に利用できる。
【０１１７】
さらに、眼鏡レンズ半製品の類型Ｎｏ．１、Ｎｏ．２、．．．Ｎｏ．２０のシリーズ６６−１、６６−２、６６−３のセット６８とそれに割り当てられた受取装置３４のセット６４を含むペア７４を形成することが推奨されうる。ペア７４を作ることにより、各眼鏡レンズ半製品の類型Ｎｏ．１、Ｎｏ．２、．．．Ｎｏ．２０が確実に、適切な方法でブロックされ、取り扱われ、機械加工される。
【０１１８】
図７及び図８は、特定の曲率半径により特徴付けられる眼鏡レンズ半製品の類型を、対応する眼鏡レンズ半製品の類型に基づいて、（機能的及び／又は経済的に有利な方法で）生成可能な光学補正に割り当てたものを示している。
【０１１９】
図７及び８において、軸８０は、生成される光学レンズの球面屈折力をディオプトリＤで示している。さらに、軸７８は、乱視作用をディオプトリＤ（マイナスシリンダコンベンション）を示す。図７及び８の基本となる別のパラメータは、各種のレンズについて得られる加入屈折力である。図７及び８による図表は、２．２５〜２．５Ｄの範囲の加入屈折力に当てはまる。
【０１２０】
図７及び８の各々は、半製品の前面の曲率半径Ｒ４、Ｒ５、Ｒ６、．．．Ｒ１６により特徴付けられる半製品の類型のシリーズ６６−４、６６−５を示している。図７及び８によるシリーズ６６−４、６６−５は、その母材の平均屈折率ｎｄに関して相互に異なる。屈折率ｎｄ＝１．６の材料が図７の図の基礎となっている。屈折率ｎｄ＝１．６７の材料が図８の図の基礎となっている。
【０１２１】
各眼鏡レンズ半製品の類型、すなわち特定の曲率半径Ｒｉを有し、ｉ＝１．．．２０である半製品は、それに基づいて生成可能な面屈折力の特定の範囲及び乱視補正の具体的範囲に割り当てることができる。同じ曲率半径を有する眼鏡レンズ半製品の類型に基づいて図７及び８に示されている図による母材の、相互に異なる屈折率ｎｄを考えると、当然のことながら、異なる材料の場合に同じ範囲をカバーすることは不可能である。
【０１２２】
図７の図によれば、シリーズ６６−４は１２種類の曲率半径Ｒ５〜Ｒ１６を有する１２種類の眼鏡レンズ半製品の類型を含む。図８の図から、シリーズ６６−５が１３種類の曲率半径Ｒ４〜Ｒ１６を有する１３種類の眼鏡レンズ半製品の類型を含むことがわかる。図７及び図８において、曲率半径Ｒ４〜Ｒ１６は、それぞれにおいてミリメートルで示されている。
【０１２３】
図７及び８の眼鏡レンズ半製品の類型の曲率半径は、同じ曲率半径の汎用的定義６２に割り当てられる。原則として、より強い光学補正力を有する眼鏡レンズは、より高い屈折率の材料に基づいて生成されてもよく（図８参照）、それによって例えば、広い範囲の球面屈折力がカバーされる。
【０１２４】
内容に関して、図９及び１０によるグラフは、図７及び図８の図に完全に対応する。特に、図９は、半製品の類型のシリーズ６６−４について、特定の曲率半径によって特徴付けられる眼鏡レンズ半製品の類型を、（機能的及び／又は経済的に有利な方法で）生成可能な光学補正に、対応する眼鏡レンズ半製品の類型に基づいて割り当てたものを示しており、前記半製品の類型は、半製品の前面の曲率半径Ｒ５、Ｒ６、．．．Ｒ１６により特徴付けられ、屈折率ｎｄ＝１．６の母材から製作される半製品に基づく。特に、図１０は、半製品の類型のシリーズ６６−５について、特定の曲率半径によって特徴付けられる眼鏡レンズ半製品の類型を、（機能的及び／又は経済的に有利な方法で）生成可能な光学補正に、対応する眼鏡レンズ半製品の類型に基づいて割り当てたものを示しており、前記半製品の類型は、半製品の前面の曲率半径Ｒ４、Ｒ５、Ｒ６、．．．Ｒ１６により特徴付けられ、屈折率ｎｄ＝１．６７の母材から製作される半製品に基づく。
【０１２５】
曲率半径Ｒ４、Ｒ５、Ｒ６、．．．Ｒ１６のミリメートル単位の数値の代わりに、図９及び１０は、１．５３の標準屈折率ｎｓに関する、対応の実際の面屈折力値Ｄｎを示しており、前記実際の面屈折力値は、上記の半径Ｒから、次式、
Ｄｎ＝（１−ｎｓ）／Ｒ  （２）
によって変換することにより得られる。眼鏡レンズ半製品のシリーズ６６−４及び６６−５を含む半製品のセットに関する以下のような単純な設計ルールが、図９及び１０からわかる。
【０１２６】
第一のシリーズ６６−４及び第二のシーズ６６−５の各々は、その前面の標準屈折率１．５３に関する実際の面屈力値が同じ、すなわち、数値Ｄｎ＝０．５；１．４；２．３；３．２；４．０；４．７；５．４；６．０；６．７；７．４；８．０及び８．８である眼鏡レンズ半製品の類型を有する。
【０１２７】
標準屈折率１．５３に関する第一のシリーズ６６−４の異なる類型の前面の実際の面屈折力値と標準屈折率１．５３に関する第二のシリーズ６６−５の異なる類型の前面の実際の面屈折力値を同じにすることは、標準屈折率１．５３に関する同じ実際の面屈折力値のうちの１つと、標準屈折率１．５３に関する次に大きい同じ実際の面屈折力値との差、すなわち、Ｒ１６で示される類型とＲ１５で示される類型との間、又はＲ１５で示される類型とＲ１４で示される類型との間、等々の実際の面屈折力値が所定の閾値より小さくなるような方法で行われる。差の値はすべて、０．６Ｄ〜０．８Ｄの範囲に含まれ、したがって、すべて０．８５Ｄより小さい。
【０１２８】
標準屈折率１．５３に関する第一のシリーズ６６−４の異なる類型の前面の実際の面屈折力値と標準屈折率１．５３に関する第二のシリーズ６６−５の異なる類型の前面の実際の面屈折力値を同じにすることは、標準屈折率１．５３に関する同じ実際の面屈折力値のうちの１つと、標準屈折率１．５３に関する次に大きい同じ実際の面屈折力値との差、すなわち、Ｒ１６で示される類型とＲ１５で示される類型との間、又はＲ１５で示される類型とＲ１４で示される類型との間、等々の実際の面屈折力値が、固定値として予め決められた差の値にばらつき範囲１５％以内で同じとなるような方法で行われる。この例示的実施形態において、予め決められた差の値は０．７Ｄ、ばらつきは０．１Ｄである。
【０１２９】
図７〜１０は、半製品が異なる母材から製作される２つのシリーズ６６−４、６６−５を単に例示的に示しているが、当業者であれば、原則的に図６の基本となる半製品の３つのシリーズ６６−１、６６−２、６６−３のセット６８の例示的実施形態について、対応する図がどのようになるかは明白であろう。このセット６８が図７及び８からかわかるように半径Ｒ４〜Ｒ１３について同じ数値に基づく場合、図６において、半製品のシリーズ６６−１、６６−２、６６−３が３つの、ペア単位で異なる類型Ｎｏ．７、１０、及び１３を有することがわかり、これらは、標準屈折率１．５３に関して３．２Ｄ〜６．７Ｄのその前面の実際の面屈折力値の範囲内で、シリーズ６６−１、６６−２、６６−３にすべてに共通であるか、３つのシリーズ６６−１、６６−２、６６−３のすべてにおいて同じ半径Ｒ７、Ｒ１０、及びＲ１３に対応する。
【０１３０】
第一のシリーズ６６−１が１．５の平均屈折率ｎｄ１の母材で製作された半製品のみを含み、第二のシリーズ６６−２が１．６の平均屈折率ｎｄ２の母材で製作された半製品のみを含み、第三のシリーズ６６−３が１．７４の平均屈折率ｎｄ３の母材で製作された半製品のみを含むと仮定すると、３つのシリーズ６６−１、６６−２、６６−３の平均屈折率ｎｄ１、ｎｄ２、ｎｄ３の差は少なくとも０．０６であるという条件も満たされる。
【０１３１】
それぞれの場合の同じ面屈折力値の１つと、それぞれの場合の次に大きい同じ面屈折力値との間の差は、１．５Ｄ（Ｎｏ．１３〜Ｎｏ．１１）と１．３Ｄ（Ｎｏ．１１〜Ｎｏ．９）である。そのため、１．４Ｄの平均値と０．１Ｄのばらつきが得られる。したがって、ばらつきは７．５％未満となる。
【０１３２】
さらに、図６から、半製品のシリーズ６６−１、６６−２、６６−３の中で、その前面の、標準屈折率１．５３に関する０．５Ｄ（Ｎｏ．５に対応）〜９．６Ｄ（Ｎｏ．３に対応）の実際の面屈折力値の範囲内で、半径Ｒ３及びＲ５に対応する類型Ｎｏ．５及びＮｏ．３もまた、異なる類型Ｎｏ．７、１０及び１３が半径Ｒ７、Ｒ１０、及びＲ１３に対応する３つのシリーズのすべての中に存在することに加え、半製品の３つのシリーズ６６−１、６６−２、６６−３のすべての中に同様に存在することがわかる。
【０１３３】
図１１は、有機材料から眼鏡レンズを製造するための製造システム８８を、ブロック図に基づく、ごく簡略化した概略的方法で示す。この例示的実施形態において、製造システム８８は制御装置９０を含み、これは例えば、マスタコンピュータ又はプロセスコンピュータと呼ぶことができる。制御装置は、システム８８の各種の構成部品又は装置と通信できる。製造システム８８はさらに、ハンドリング装置９２を含み、これは眼鏡レンズを製造するもとになる半製品１０、１２を取り扱うための手段を提供する。特に、ハンドリング装置９２は、眼鏡レンズ半製品１０、１２のための受取装置３４（図２参照）を把持し、変位させ、及び／又は利用するように構成できる。ハンドリング装置９２は製造システム８８の別の構成要素に連結されてもよく、それによって、その中に眼鏡レンズ半製品１０、１２が受けられているこの受取装置３４を供給し、又はその中に眼鏡レンズ半製品１０、１２が受けられている受取装置３４を前記別の構成部品から遠ざけてもよい。
【０１３４】
好ましい例示的実施形態において、製造システム８８はストア９４を含み、その中に、前述のように、本発明による種類の眼鏡レンズ半製品１０、１２のシリーズ６６のセット６８が提供される。あるいは、製造システム８８は、ストア９４及び／又は１つ又は複数の別のストア（図示せず）に連結することもできる。ストア９４の中にあるすべてのシリーズ６６が、接触面の、特に曲率半径の汎用的規約又は設定に対応するかぎり、ストア９４からの各眼鏡レンズ半製品１０を確実にブロックし、機械加工できる。
【０１３５】
製造システム８８はさらに、受取装置３４又は、受取装置３４の接触部３８のためのストア９６に連結可能であり、受取装置３４は上述の種類の受取装置３４のセット６４に割り当てられる。ストア９６内のすべての接触部３８又は受取装置３４が、汎用的定義又は規約に従って設計されることが好ましい。このようにすれば、シリーズ６６−１、６６−２、６６−３の各眼鏡用レンズ半製品の類型について利用可能な、フィットする接触部３８が得られる。
【０１３６】
製造注文を受けた後、例えばハンドリング装置９２によってセット６８のシリーズ６６−１、６６−２、６６−３から眼鏡レンズ半製品１０、１２を選択し、これをブロッキングステーション９８に送給することができる。さらに、例えば選択された眼鏡レンズ半製品１０、１２の前面の曲率半径にフィットする接触部３８を有する受取装置３４を、ストア９６から取り、前記接触部をブロッキングステーション９８に送給できる。
【０１３７】
ブロッキングステーション９８において、選択されたブランク１０、１２は、受取装置３４にブロックすることができる。特に、ブロッキングは、負圧又は真空ブロッキングによってブロッキングするステップを含んでいてもよい。このようにして、受取装置３４と眼鏡レンズ半製品１０、１２からなる複合体を生成できる。複合体は、機械加工ステーション１００に搬送することができ、これは例えば、研削ステーション、フライス加工ステーション、旋盤ステーションとして、又は同様の方法で構成される。ブロックされた眼鏡レンズ半製品１０、１２の後面を、機械加工ステーション１００で機械加工できる。受取装置３８のおかげで、眼鏡レンズ半製品１０、１２を機械加工ステーション１００の中に非常に正確に受けることが可能であり、したがって、前記眼鏡レンズ半製品を非常に精密に機械加工することができる。
【０１３８】
例として、その後、研磨ステーション１０２に搬送される。研磨ステーション１０２は、眼鏡レンズ半製品１０、１２の機械加工された後面を研磨するように提供され、構成される。
【０１３９】
その後、さらにブロック除去ステーション１０４に搬送でき、ここでは、ブロックされた眼鏡レンズ半製品１０、１２が取り外されるか、ブロックが受取装置３４から上昇される。例えばこれは、真空ブロッキングの場合、圧力平衡化によって行われてもよい。ブロックを上昇させた後、眼鏡レンズ半製品１０、１２（その間にさらに機械加工されている）を受取装置３４から取り外し、それとは独立して引き続き取り扱い、機械加工することができる。
【０１４０】
したがって、眼鏡レンズ半製品１０、１２は、例えば表面機械加工ステーション１０６に搬送できる。例えば、表面機械加工ステーション１０６は、コーティングステーションとして、又は同様の方法で構成できる。例えば、表面機械加工ステーション１０６において、ハードコーティングをブランク１０、１２の前面及び／又は後面に堆積できる。このようにして、所望の眼鏡レンズを完成させることができる。
【０１４１】
その後、最終管理ステーション１０８を設けることができ、そこに眼鏡レンズが搬送される。最終管理ステーション１０８は、眼鏡レンズの最終制御、特にその光学的、及び／又は機械的特性に関する最終管理を実行するように提供され、構成される。
【０１４２】
眼鏡レンズ半製品１０、１２、又は眼鏡レンズ半製品を受けることのできる受取装置３４の取扱いは、ハンドリング装置９２によって実行できる。さらに、当然のことながら、適当な管理ステーション又は試験ステーションを上流に、又はステーション８９、１００、１０２、１０４、１０６のうちの少なくともいくつかの間に配置してもよい。特に、製造システム８８は、管理可能な数の受取装置３４又は受取装置３４のための接触部３８によって、眼鏡レンズ半製品１０、１２の多数の変化形を取り扱い、機械加工できるように構成される。
【０１４３】
ブロック図に基づき、図１２は、ごく簡略化した方法で、本発明の各種の態様を利用する眼鏡レンズの製造方法の例示的構成を示す。図１２に示される方法は、ステップＳ１０である、半製品のセットの提供を含む。このセットは、限定的な数の眼鏡レンズ半製品の類型を有し、各眼鏡レンズ半製品の類型は、少なくとも１つの標準化された物理的形状特徴を有する所定の接触面を有する。例えば、少なくとも１つの物理的形状特徴は、眼鏡レンズ半製品の前面の接触面設計、特に前面全体の設計とすることができる。好ましくは、物理的形状特徴は、前面曲率又は、一般に、接触表面曲率である。
【０１４４】
次のステップＳ１２は、製造するべき眼鏡レンズの少なくとも１つの所望の光学特性を設定するステップを含む。例えば、ステップＳ１２は、患者又は顧客の視覚障害を表すデータに基づいて実行できる。例えばこれは、眼鏡検査士、眼科医、又は好ましくは相応の方法で教育を受けたその他の人物によって作られた処方箋を含む。必要であれは、推定される使用条件を説明できるデータも同様に考慮されてよい。
【０１４５】
この例示的実施形態において、その後、ステップＳ１４が続き、これは、提供された眼鏡レンズ半製品のセットからある眼鏡レンズ半製品を選択するステップを含む。特に、これは、所望の光学特性が設定されるステップ１２を考慮して実行できる。選択するべき眼鏡レンズ半製品に対応する眼鏡レンズ半製品の類型の選択は、所望の光学特性が実際に、その眼鏡レンズ半製品の類型に基づいて生成可能であるとの想定の下で実行されるべきである。
【０１４６】
この例示的実施形態において、その後にステップＳ１６が続き、これは受取装置の選択又は受取装置のための接触部の選択を含み、これは選択された眼鏡レンズ半製品を確実に、しっかりと保持できるように具現化される。このようにして、受取装置の上への眼鏡レンズ半製品のいわゆるブロッキングを、ごく簡単に行うことができる。特に、ステップＳ１６は、眼鏡レンズ半製品の標準かされた物理的形状特徴に幾何学的な意味で合わせられた接触部の選択を含む。例えば、接触部は、眼鏡レンズ半製品の接触面又は前面の曲率半径に実質的に対応する曲率半径を有する受取座部を含んでいてもよい。
【０１４７】
この例において、その後に別のステップＳ１８が続き、これは眼鏡レンズ半製品を受取装置上、又はその接触部上にブロックするステップを含む。特に、ステップＳ１８は真空ブロッキングを含んでいてもよい。このようにして、眼鏡レンズ半製品を受取装置上に圧力嵌めで保持でき、接着剤により接続が不要となる。
【０１４８】
その後に別のステップＳ２０が続き、これは、ブロックされた眼鏡レンズ半製品を機器加工するステップを含む。受取装置の上にブロックされた眼鏡レンズ半製品は、機械加工のために正確かつ確実に受け取られることが可能で、それによって高精度の機械加工が可能となる。眼鏡レンズ半製品の後面の機械加工は特に、例えば上述の方法で実行され、後面がその形状の点で変更される。例えば、本明細書の導入部で示したように、１つ又は複数の機能層を堆積させるなどの別の機械加工ステップ。
【０１４９】
ごく簡略化した概略ブロック図に基づいて、図１３は眼鏡レンズの製造方法の代替的な構成を示す。図１３に基づいて示される方法は、図１２に基づいて示される方法と、少なくともその実質的な面に関して同様の設計を有していてもよい。図１３による方法は、ステップＳ４０を含み、これは、眼鏡レンズ半製品のシリーズのセットの提供を含む。このセットの中のシリーズの各々は、同じ材料から製作された眼鏡レンズ半製品を含む。複数の眼鏡レンズ半製品の類型がセットの中のシリーズの各々の中に提供され、セットの中の各シリーズの各部分は標準化された物理的形状特徴の汎用的定義に属する。
【０１５０】
その後、ステップＳ４２が続き、これは少なくとも１つの光学特性の設定を含む。適当なシリーズに関する予備的な選択は、ステップＳ４２に基づいて行うことができる。これは、ステップＳ４４で行われる。その後、ステップＳ４６が続き、これは、ステップＳ４４で選択されたシリーズからの１つの眼鏡レンズ半製品の選択を含む。この眼鏡レンズ半製品は特に、所望の光学特性又は所望の光学補正に基づいて選択できる。
【０１５１】
ステップＳ４４は、あるシリーズの事前選択に関し、所望の屈折率の材料又は母材の選択に加えて、その半製品の中ですでに生成されていた、特定のコーティングの選択及び／又は特定の色の選択を含む。
【０１５２】
ステップＳ４０〜Ｓ４６の後、別のハンドリングステップ及び機械加工ステップが続いてもよく、これは原則として、ステップＳ１６、Ｓ１８、及びＳ２０に対応してもよく、これらは図１２において示され、上で説明されている。
【０１５３】
ブロック図に基づいて、図１４は図１２によるステップＳ２０に略対応する機械加工ステップの例示的な構成を示す。ステップＳ２０の前に、眼鏡レンズ半製品がその球面又は回転対称非球面の前面で受取装置にブロックされると仮定される。
【０１５４】
機械加工ステップＳ２０は、部分ステップＳ５０を有し、そこで、眼鏡レンズ半製品の後面がフライス加工によって所望の可変焦点形状を得る。当然ことながら、部分ステップＳ５０では、眼鏡レンズ半製品の後面の光学的補正も可能である。
【０１５５】
部分ステップＳ５０の後に部分ステップＳ５２が続き、これはフライス加工によって賦形された眼鏡レンズ半製品をチェックするステップを含む。特に、部分ステップＳ５２は、生成された表面形状の輪郭のチェック、生成された表面形状の表面粗さのチェック及び／又は生成された後面の前面に関すアラインメントのチェックを含んでいてもよい。
【０１５６】
部分ステップＳ５４の中で、フライス加工されたブランクの後面の研磨が行われる。眼鏡レンズは、研磨工程の結果として、その所望の光学的透過性を得る。
【０１５７】
部分ステップＳ５４の後に部分ステップＳ５６が続き、これは、研磨結果の品質管理又はチェックを含む。
【０１５８】
別のその後の部分ステップＳ５８は、眼鏡レンズ半製品のブロッキングの除去を含む。眼鏡レンズ半製品は受取装置から分離される。真空ブロッカが使用される場合、部分ステップＳ５８は、真空ブロッカと受け取られた眼鏡レンズ半製品との間の空洞の圧力平衡化を含む。
【０１５９】
その後の部分ステップＳ６０において、ブロックされていない状態となった（ほとんど完成した）ブランクのチェック又は品質管理が行われる。
【０１６０】
さらにそれに続く部分ステップ６２において、ブランクの表面処理又は表面コーティングが行われる。例えば、ハードコーティング、反射防止コーティング、及び静電防止コーティングを堆積させてもよい。特に、ブランクの後面だけでなく、前面にコーティングを行うことも可能である。
【０１６１】
この例示的実施形態において、機械加工ステップＳ２０は、最終部分ステップＳ６４を含み、これは、機械加工の結果、特に表面処理の結果の（新たな）チェックを含む。
【０１６２】
当然のことながら、（部分）ステップの少なくともいくつか、特に部分ステップＳ５２、Ｓ５６、Ｓ６０、及びＳ６４は迂回してもよい。しかしながら、最高の品質を確保するために、眼鏡レンズの製造中、各部分ステップの中で適切な品質管理が行われる場合が多い。
【手続補正２】
【補正対象書類名】特許請求の範囲
【補正対象項目名】全文
【補正方法】変更
【補正の内容】
【特許請求の範囲】
【請求項１】
各々が、球面又は回転対称非球面の凸型であり、関連する形状寸法を有する少なくとも１つの物理的形状特徴（Ｒ１、Ｒ２、．．．Ｒ２０）を有する前面（１６）を有する眼鏡レンズ半製品（１０、１２）のセット（６８）であって、
−第一の平均屈折率（ｎｄ１）の母材から製作された眼鏡レンズ半製品（１０、１２）の第一のシリーズ（６６−１）であって、その前記前面（１６）の形状の前記少なくとも１つの物理的形状特徴（Ｒ１、Ｒ２、．．．Ｒ２０）の前記形状寸法において異なる、眼鏡レンズ半製品（１０、２０）のペア単位で異なる類型（Ｎｏ．１、Ｎｏ．２、．．．Ｎｏ．２０）を有し、前記ペア単位で異なる類型（Ｎｏ．１、Ｎｏ．２、．．．Ｎ．２０）の少なくとも３種類の類型（Ｎｏ．７、Ｎｏ．１０、Ｎｏ．１３）が、標準屈折率（ｎｓ）１．５３に関して、また前記前面が回転対称非球面形状である場合にはその対称中心（１５）で測定して、３．２Ｄ〜６．７Ｄの間であるその前記前面（１６）の実際の面屈折力値（Ｄｎ）を有する第一のシリーズ（６６−１）と、
−前記第一の平均屈折率（ｎｄ１）とは異なる第二の平均屈折率（ｎｄ２）の母材から製作された眼鏡レンズ半製品（１０、１２）の第二のシリーズ（６６−２）であって、その前記前面（１６）の形状の前記少なくとも１つの物理的形状特徴（Ｒ１、Ｒ２、．．．Ｒ２０）の前記形状寸法において異なる、眼鏡レンズ半製品（１０、１２）のペア単位で異なる類型（Ｎｏ．１、Ｎｏ．３、Ｎｏ．５、Ｎｏ．７、Ｎｏ．９、Ｎｏ．１０、Ｎｏ．１１、Ｎｏ．１３、Ｎｏ．１４、Ｎｏ．１６、Ｎｏ．１８、Ｎｏ．２０）を有する第二のシリーズ（６６−２）と、
−前記第一の平均屈折率（ｎｄ１）及び前記第二の平均屈折率（ｎｄ２）とは異なる第三の平均屈折率（ｎｄ３）の母材から製作された眼鏡レンズ半製品（１０、１２）の第三のシリーズ（６６−３）であって、その前記前面（１６）の形状の前記少なくとも１つの物理的形状特徴（Ｒ１、Ｒ２、．．．Ｒ２０）の前記形状寸法において異なる、眼鏡レンズ半製品（１０、１２）のペア単位で異なる類型（Ｎｏ．３、Ｎｏ．７、Ｎｏ．１０、Ｎｏ．１３、Ｎｏ．１６）を有する第三のシリーズ（６６−３）と、
を含む眼鏡レンズ半製品のセット（６８）において、
−前記第二のシリーズ（６６−２）の前記ペア単位で異なる類型の少なくとも３種類の類型（Ｎｏ．７、Ｎｏ．１０、Ｎｏ．１３）が、標準屈折率（ｎｓ）１．５３に関して３．２Ｄ〜６．７Ｄの間のその前記前面（１６）の実際の面屈折力値（Ｄｎ）を有し、
−前記第三のシリーズ（６６−３）の前記ペア単位で異なる類型（Ｎｏ．３、Ｎｏ．７、Ｎｏ．１０、Ｎｏ．１３、Ｎｏ．１６）の少なくとも３種類の類型（Ｎｏ．７、Ｎｏ．１０、Ｎｏ．１３）が、標準屈折率（ｎｓ）１．５３に関して３．２Ｄ〜６．７Ｄの間のその前記前面（１６）の実際の面屈折力値（Ｄｎ）を有し、
−前記第一のシリーズ（６６−１）の前記少なくとも３種類の類型（Ｎｏ．７、Ｎｏ．１０、Ｎｏ．１３）の前記前面（１６）の形状の前記少なくとも１つの物理的形状特徴（Ｒ７、Ｒ１０、Ｒ１３）の前記形状寸法と、前記第二のシリーズ（６６−２）の前記少なくとも３種類の類型（Ｎｏ．７、Ｎｏ．１０、Ｎｏ．１３）の前記前面（１６）の形状の前記少なくとも１つの物理的形状特徴（Ｒ７、Ｒ１０、Ｒ１３）の前記形状寸法と、前記第三のシリーズ（６６−３）の前記少なくとも３種類の類型（Ｎｏ．７、Ｎｏ．１０、Ｎｏ．１３）の前記前面（１６）の形状の前記少なくとも１つの物理的形状特徴（Ｒ７、Ｒ１０、Ｒ１３）の前記形状寸法が同じであり、前記少なくとも１つの形状特徴（Ｒ、Ｒ１、Ｒ２、．．．Ｒ２０、Ｄｎ）は、
ａ）前記実際の曲率、及び／又は
ｂ）前記実際の曲率半径、及び／又は
ｃ）円錐部分と補正多項式面との和からなるＤＩＮ  ＩＳＯ  １０１１０において定義される非球面部分の、次式、
【数１】
2017514180.tif 000026
（式中、ｚはサジタルデプス、ｒは入射高さ、ρは頂点曲率、及びｋは円錐部分の円錐定数、及びＡ４、Ａ６、．．．は補正多項式の係数である）
による前記補正多項式面の前記円錐部分の前記頂点曲率（ρ）である
ことを特徴とする眼鏡レンズ半製品（１０、１２）のセット（６８）。
【請求項２】
前記第一の平均屈折率（ｎｄ１）及び前記第二の平均屈折率（ｎｄ２）及び第三の平均屈折率（ｎｄ３）はペア単位で少なくとも０．０４だけ、好ましくは少なくとも０．０５だけ、より好ましくは少なくとも０．０６だけ異なることを特徴とする、請求項１に記載の眼鏡レンズ半製品（１０、１２）のセット（６８）。
【請求項３】
−その前記前面（１６）の形状の前記少なくとも１つの物理的形状特徴（Ｒ１、Ｒ２、．．．Ｒ２０）の前記形状寸法の点で異なる、前記第一のシリーズ（６６−１）の前記ペア単位で異なる類型（Ｎｏ．１、Ｎｏ．２．．．Ｎｏ．２０）のうちの少なくとも４種類、好ましくは少なくとも５種類の類型が、標準屈折率（ｎｓ）１．５３に関して３．２Ｄ〜６．７Ｄの間の、その前記前面（１６）の実際の面屈折力値（Ｄｎ）を有し、
−その前記前面（１６）の形状の前記少なくとも１つの物理的形状特徴（Ｒ１、Ｒ３、Ｒ５、Ｒ７、Ｒ９、Ｒ１０、Ｒ１１、Ｒ１３、Ｒ１４、Ｒ１６、Ｒ１８、Ｒ２０）の前記形状寸法の点で異なる、前記第二のシリーズ（６６−２）の前記ペア単位で異なる類型（Ｎｏ．１、Ｎｏ．３、Ｎｏ．５、Ｎｏ．７、Ｎｏ．９、Ｎｏ．１０、Ｎｏ．１１、Ｎｏ．１３、Ｎｏ．１４、Ｎｏ．１６、Ｎｏ．１８、Ｎｏ．２０）のうちの少なくとも４種類、好ましくは少なくとも５種類の類型が、標準屈折率（ｎｓ）１．５３に関して３．２Ｄ〜６．７Ｄの間の、その前記前面（１６）の実際の面屈折力値を有し、
−その前記前面の形状の前記少なくとも１つの物理的形状特徴の前記形状寸法の点で異なる、前記第三のシリーズの前記ペア単位で異なる類型のうちの少なくとも４種類、好ましくは少なくとも５種類の類型が、標準屈折率１．５３に関して３．２Ｄ〜６．７Ｄの間の、その前面の実際の面屈折力値を有し、
−前記第一のシリーズ（６６−１）の前記少なくとも４種類、好ましくは少なくとも５種類の類型の前記前面の形状の前記少なくとも１つの物理的形状特徴の前記形状寸法と、前記第二のシリーズ（６６−２）の前記少なくとも４種類、好ましくは少なくとも５種類の類型の前記前面（１６）の形状の前記少なくとも１つの物理的形状特徴の前記形状寸法と、前記第三のシリーズ（６６−３）の前記少なくとも４種類、好ましくは少なくとも５種類の類型の前記前面（１６）の形状の前記少なくとも１つの物理的形状特徴の前記形状寸法が同じである
ことを特徴とする、請求項１〜２の何れか１項に記載の眼鏡レンズ半製品（１０、１２）のセット（６８）。
【請求項４】
前記第一のシリーズ（６６−１）と前記第二のシリーズ（６６−２）と前記第三のシリーズ（６６−３）の各々が、眼鏡レンズ半製品（１０、１２）の類型（Ｎｏ．３、Ｎｏ．７、Ｎｏ．１０、Ｎｏ．１３、Ｎｏ．１６）を有し、その前記前面（１６）が同一の形状寸法の形状特徴（Ｒ３、Ｒ７、Ｒ１０、Ｒ１３、Ｒ１６）を有し、また、それぞれにおいて、前記同一の形状寸法のうちの１つ又はその逆数と、前記それぞれにおける次に大きい同一の形状寸法又はその逆数との差が、２０％、好ましくは１０％、最も好ましくは５％のばらつき以内で同じ大きさであることを特徴とする、請求項１〜３の何れか１項に記載の眼鏡レンズ半製品（１０、１２）のセット（６８）。
【請求項５】
前記少なくとも１つの形状特徴が実際の面屈折力（Ｄｎ）であり、前記関連する形状寸法が、標準屈折率（ｎｓ）１．５３に関する、前記関連する実際の面屈折力値であり、前記第一のシリーズ（６６−１）と前記第二のシリーズ（６６−２）と前記第三のシリーズ（６６−３）の各々が眼鏡レンズ半製品（１０、１２）の類型を有し、その前記前面（１６）が標準屈折率（ｎｓ）１．５３に関する同一の実際の面屈折力値の実際の面屈折力（Ｄｎ）を有し、また、標準屈折率（ｎｓ）１．５３に関する前記同一の実際の面屈折力値のうちの１つと、標準屈折率（ｎｓ）１．５３に関する次に大きい同一の実際の面屈折力との間の差が２．５Ｄ未満、好ましくは２．３Ｄ未満、より好ましくは１．５Ｄ未満、さらにより好ましくは１．０Ｄ未満、最も好ましくは０．８Ｄ未満であることを特徴とする、請求項１〜４の何れか１項に記載の眼鏡レンズ半製品（１０、１２）のセット（６８）。
【請求項６】
−その前記前面（１６）の形状の前記少なくとも１つの物理的形状特徴の前記形状寸法の点で異なる、前記第一のシリーズ（６６−１）の前記ペア単位で異なる類型のうちの少なくとも１０、好ましくは少なくとも１１、より好ましくは少なくとも１２、最も好ましくは少なくとも１３種類の類型が、標準屈折率（ｎｓ）１．５３に関して０．５Ｄ〜９．６０Ｄの間の、その前記前面（１６）の実際の面屈折力値を有し、
−その前記前面（１６）の形状の前記少なくとも１つの物理的形状特徴の前記形状寸法の点で異なる、前記第二のシリーズ（６６−２）の前記ペア単位で異なる類型のうちの少なくとも１０、好ましくは少なくとも１１、より好ましくは少なくとも１２、最も好ましくは少なくとも１３種類の類型が、標準屈折率（ｎｓ）１．５３に関して０．５Ｄ〜９．６０Ｄの間の、その前記前面（１６）の実際の面屈折力値を有し、
−その前記前面（１６）の形状の前記少なくとも１つの物理的形状特徴の前記形状寸法の点で異なる、前記第三のシリーズ（６６−３）の前記ペア単位で異なる類型のうちの少なくとも１０、好ましくは少なくとも１１、より好ましくは少なくとも１２、最も好ましくは少なくとも１３種類の類型が、標準屈折率（ｎｓ）１．５３に関して０．５Ｄ〜９．６０Ｄの間の、その前記前面の実際の面屈折力値を有し、
−前記第一のシリーズ（６６−１）の前記少なくとも１０、好ましくは少なくとも１１、より好ましくは少なくとも１２、最も好ましくは少なくとも１３種類の類型の前記前面（１６）の形状の前記少なくとも１つの物理的形状特徴の前記形状寸法と、前記第二のシリーズ（６６−２）の前記少なくとも１０、好ましくは少なくとも１１、より好ましくは少なくとも１２、最も好ましくは少なくとも１３種類の類型の前記前面（１６）の形状の前記少なくとも１つの物理的形状特徴の前記形状寸法と、前記第三のシリーズ（６６−３）の前記少なくとも１０、好ましくは少なくとも１１、より好ましくは少なくとも１２、最も好ましくは少なくとも１３種類の類型の前記前面（１６）の形状の前記少なくとも１つの物理的形状特徴の形状寸法が同じである
ことを特徴とする、請求項１〜５の何れか１項に記載の眼鏡レンズ半製品（１０、１２）のセット（６８）。
【請求項７】
ａ）各々が後面（１８）と、球面又は回転対称非球面の凸型で、関連する形状寸法を有する少なくとも１つの物理的形状特徴を有する前面（１６）と、を有する眼鏡レンズ半製品（１０、１２）のセット（６８）であって、
−第一の平均屈折率（ｎｄ１）の母材で製作された眼鏡レンズ半製品（１０、１２）の第一のシリーズ（６６−１）であって、その前記前面（１６）の形状の前記少なくとも１つの物理的形状特徴の前記形状寸法において異なる、眼鏡レンズ半製品（１０、１２）のペア単位で異なる類型を有し、前記ペア単位で異なる類型のうちの少なくとも３種類の類型は、標準屈折率（ｎｓ）１．５３に関する、また前記前面（１６）が回転対称非球面形状の場合にはその対称中心で測定して、３．２Ｄ〜６．７Ｄの間のその前記前面（１６）の実際の面屈折力値（Ｄｎ）を有する第一のシリーズ（６６−１）と、
−前記第一の平均屈折率とは異なる第二の平均屈折率（ｎｄ２）を有する母材から製作された眼鏡レンズ半製品（１０、１２）の第二のシリーズ（６６−２）であって、その前記前面（１６）の形状の前記少なくとも１つの物理的形状特徴の前記形状寸法において異なる、眼鏡レンズ半製品（１０、１２）のペア単位で異なる類型を有する第二のシリーズ（６６−２）と、
−前記第一の平均屈折率（ｎｄ１）及び前記第二の平均屈折率（ｎｄ２）とは異なる第三の平均屈折率（ｎｄ３）を有する母材から製作された眼鏡レンズ半製品（１０、１２）の第三のシリーズ（６６−３）であって、その前記前面（１６）の形状の前記少なくとも１つの物理的形状特徴の前記形状寸法において異なる、眼鏡レンズ半製品（１０、１２）のペア単位で異なる類型を有する第三のシリーズ（６６−３）と、
を含むセット（６８）を提供するステップと、
ｂ）眼鏡レンズ半製品（１０、１２）の前記提供されたセット（６８）から前記眼鏡レンズ半製品（１０、１２）の１つを受け取るステップと、
ｃ）前記受け取られた眼鏡レンズ半製品（１０、１２）の前記後面（１８）を機械加工するステップと、
を含む眼鏡レンズの製造方法において、
−前記第二のシリーズ（６６−２）の前記ペア単位で異なる類型のうちの少なくとも３種類の類型は、標準屈折率（ｎｓ）１．５３に関して３．２Ｄ〜６．７Ｄの間のその前記前面（１６）の実際の面屈折力値を有し、
−前記第三のシリーズ（６６−３）の前記ペア単位で異なる類型のうちの少なくとも３種類の類型は、標準屈折率（ｎｓ）１．５３に関して３．２Ｄ〜６．７Ｄの間のその前記前面（１６）の実際の面屈折力値を有し、
−前記第一のシリーズ（６６−１）の前記少なくとも３種類の類型の前記前面の形状の前記少なくとも１つの物理的形状特徴の前記形状寸法と、前記第二のシリーズ（６６−２）の前記少なくとも３種類の類型の前記前面（１６）の形状の前記少なくとも１つの物理的形状特徴の前記形状寸法と、前記第三のシリーズ（６６−３）の前記少なくとも３種類の類型の前記前面（１６）の形状の前記少なくとも１つの物理的形状特徴の前記形状寸法が同じであり、前記少なくとも１つの形状特徴（Ｒ、Ｒ１、Ｒ２、．．．Ｒ２０、Ｄｎ）は、
ａ）前記実際の曲率、及び／又は
ｂ）前記実際の曲率半径、及び／又は
ｃ）円錐部分と補正多項式面との和からなるＤＩＮ  ＩＳＯ  １０１１０において定義される非球面部分の、次式、
【数２】
2017514180.tif 000027
（式中、ｚはサジタルデプス、ｒは入射高さ、ρは頂点曲率、及びｋは円錐部分の円錐定数、及びＡ４、Ａ６、．．．は補正多項式の係数である）
による前記補正多項式面の前記円錐部分の前記頂点曲率（ρ）である
ことを特徴とする方法。
【請求項８】
眼鏡レンズ半製品（１０、１２）の前記提供されたセット（６８）が請求項２〜６の何れか１項に記載されているように具現化されることを特徴とする、請求項７に記載の眼鏡レンズの製造方法。
【請求項９】
ステップｂ）において、眼鏡レンズ半製品（１０、１２）の前記提供されたセット（６８）から前記眼鏡レンズ半製品（１０、１２）を受け取る前記ステップは、前記前面（１６）の形状の少なくとも一部（１７）と形状相補的な実施形態を有する受取装置（３４）によって実行されることを特徴とする、請求項７又は８の何れかに記載の眼鏡レンズの製造方法。
【請求項１０】
前記一部（１７）は、前記受け取られた眼鏡レンズ半製品（１０、１２）の前記前面の少なくとも４０％、好ましくは少なくとも５０％、より好ましくは少なくとも６０％、最も好ましくは少なくとも７０％を含むことを特徴とする、請求項９に記載の方法。
【請求項１１】
特に請求項７〜１０の何れか１項に記載の、眼鏡レンズの製造方法における、特に請求項１〜６の何れか１項に記載の眼鏡レンズ半製品（１０、１２）のセット（６８）の使用において、前記眼鏡レンズ半製品（１０、１２）は各々が、球面又は回転対称非球面の凸型で、関連する形状寸法を有する少なくとも１つの物理的形状特徴を有する前面（１６）を有し、
−第一の平均屈折率の母材で製作された眼鏡レンズ半製品（１０、１２）の第一のシリーズ（６６−１）であって、その前記前面（１６）の形状の前記少なくとも１つの物理的形状特徴の前記形状寸法において異なる、眼鏡レンズ半製品（１０、１２）のペア単位で異なる類型を有し、前記ペア単位で異なる類型のうちの少なくとも３種類の類型は、標準屈折率１．５３に関する、また前記前面（１６）が回転対称非球面形状の場合にはその対称中心で測定して、３．２Ｄ〜６．７Ｄの間のその前記前面（１６）の実際の面屈折力値（Ｄｎ）を有する第一のシリーズ（６６−１）と、
−前記第一の平均屈折率とは異なる第二の平均屈折率を有する母材から製作された眼鏡レンズ半製品（１０、１２）の第二のシリーズ（６６−２）であって、その前記前面の形状の前記少なくとも１つの物理的形状特徴の前記形状寸法において異なる、眼鏡レンズ半製品（１０、１２）のペア単位で異なる類型を有する第二のシリーズ（６６−２）と、
−前記第一の平均屈折率及び前記第二の平均屈折率とは異なる第三の平均屈折率を有する母材から製作された眼鏡レンズ半製品（１０、１２）の第三のシリーズ（６６−３）であって、その前記前面（１６）の形状の前記少なくとも１つの物理的形状特徴の前記形状寸法において異なる、眼鏡レンズ半製品（１０、１２）のペア単位で異なる類型を有する第三のシリーズ（６６−３）と、
を含み、
−前記第二のシリーズ（６６−２）の前記ペア単位で異なる類型のうちの少なくとも３種類の類型は、標準屈折率（ｎｓ）１．５３に関して３．２Ｄ〜６．７Ｄの間のその前記前面（１６）の実際の面屈折力値（Ｄｎ）を有し、
−前記第三のシリーズ（６６−３）の前記ペア単位で異なる類型のうちの少なくとも３種類の類型は、標準屈折率（ｎｓ）１．５３に関して３．２Ｄ〜６．７Ｄの間のその前記前面（１６）の実際の面屈折力値（Ｄｎ）を有し、
−前記第一のシリーズ（６６−１）の前記少なくとも３種類の類型の前記前面の形状の前記少なくとも１つの物理的形状特徴の前記形状寸法と、前記第二のシリーズ（６６−２）の前記少なくとも３種類の類型の前記前面（１６）の形状の前記少なくとも１つの物理的形状特徴の前記形状寸法と、前記第三のシリーズ（６６−３）の前記少なくとも３種類の類型の前記前面（１６）の形状の前記少なくとも１つの物理的形状特徴の前記形状寸法が同じであり、前記少なくとも１つの形状特徴（Ｒ、Ｒ１、Ｒ２、．．．Ｒ２０、Ｄｎ）は、
ａ）前記実際の曲率、及び／又は
ｂ）前記実際の曲率半径、及び／又は
ｃ）円錐部分と補正多項式面との和からなるＤＩＮ  ＩＳＯ  １０１１０において定義される非球面部分の、次式、
【数３】
2017514180.tif 000028
（式中、ｚはサジタルデプス、ｒは入射高さ、ρは頂点曲率、及びｋは円錐部分の円錐定数、及びＡ４、Ａ６、．．．は補正多項式の係数である）
による前記補正多項式面の前記円錐部分の前記頂点曲率（ρ）である
ことを特徴とする使用。
【請求項１２】
特に請求項７〜１０の何れか１項に記載の前記方法を実行するための、眼鏡レンズの製造装置（８８）において、
ａ）特に請求項１〜７の何れか１項に記載の眼鏡レンズ半製品（１０、１２）のセット（６８）を提供する提供装置（９６）であって、前記眼鏡レンズ半製品（１０、１２）の各々は、後面（１８）と、球面又は回転対称非球面の凸型で、関連する形状寸法の少なくとも１つの物理的形状特徴を有する前面（１６）と、を有し、
−第一の平均屈折率の母材で製作された眼鏡レンズ半製品（１０、１２）の第一のシリーズ（６６−１）であって、その前記前面の形状の前記少なくとも１つの物理的形状特徴の前記形状寸法において異なる、前記眼鏡レンズ半製品（１０、１２）のペア単位で異なる類型を有し、前記ペア単位で異なる少なくとも３種類の類型は、標準屈折率１．５３に関する、また前記前面が回転対称非球面形状の場合にはその対称中心で測定して、３．２Ｄ〜６．７Ｄの間のその前記前面の実際の面屈折力値を有する第一のシリーズ（６６−１）と、
−前記第一の平均屈折率とは異なる第二の平均屈折率を有する母材から製作された眼鏡レンズ半製品（１０、１２）の第二のシリーズであって、その前記前面の形状の前記少なくとも１つの物理的形状特徴の前記形状寸法において異なる、眼鏡レンズ半製品（１０、１２）のペア単位で異なる類型を有する第二のシリーズと、
−前記第一の平均屈折率及び前記第二の平均屈折率とは異なる第三の平均屈折率を有する母材から製作された眼鏡レンズ半製品（１０、１２）の第三のシリーズであって、その前記前面の形状の前記少なくとも１つの物理的形状特徴の前記形状寸法において異なる、眼鏡レンズ半製品（１０、１２）のペア単位で異なる類型を有する第三のシリーズと、
を含む、提供装置（９６）と、
ｂ）眼鏡レンズ半製品（１０、１２）の前記提供されたセット（６８）から前記眼鏡レンズ半製品（１０、１２）の１つを受け取る受取装置（３４）と、
ｃ）前記受け取った眼鏡レンズ半製品（１０、１２）の前記後面（１８）を機械加工する機械加工装置（１００）と、
を含み、
−前記第二のシリーズ（６６−２）の前記ペア単位で異なる類型のうちの少なくとも３種類の類型は、標準屈折率（ｎｓ）１．５３に関して３．２Ｄ〜６．７Ｄの間のその前記前面の実際の面屈折力値を有し、
−前記第三のシリーズ（６６−３）の前記ペア単位で異なる類型のうちの少なくとも３種類の類型は、標準屈折率（ｎｓ）１．５３に関して３．２Ｄ〜６．７Ｄの間のその前記前面（１６）の実際の面屈折力値を有し、
−前記第一のシリーズ（６６−１）の前記少なくとも３種類の類型の前記前面（１６）の形状の前記少なくとも１つの物理的形状特徴の前記形状寸法と、前記第二のシリーズ（６６−２）の前記少なくとも３種類の類型の前記前面（１６）の形状の前記少なくとも１つの物理的形状特徴の前記形状寸法と、前記第三のシリーズ（６６−３）の前記少なくとも３種類の類型の前記前面（１６）の形状の前記少なくとも１つの物理的形状特徴の形状寸法が同じであり、
前記少なくとも１つの形状特徴（Ｒ、Ｒ１、Ｒ２、．．．Ｒ２０、Ｄｎ）は、
ａ）前記実際の曲率、及び／又は
ｂ）前記実際の曲率半径、及び／又は
ｃ）円錐部分と補正多項式面との和からなるＤＩＮ  ＩＳＯ  １０１１０において定義される非球面部分の、次式、
【数４】
2017514180.tif 000029
（式中、ｚはサジタルデプス、ｒは入射高さ、ρは頂点曲率、及びｋは円錐部分の円錐定数、及びＡ４、Ａ６、．．．は補正多項式の係数である）
による前記補正多項式面の前記円錐部分の前記頂点曲率（ρ）である
ことを特徴とする装置（８８）。
【請求項１３】
眼鏡レンズ半製品（１０、１２）のセット（６８）、特に請求項１〜７の何れか１項に記載の眼鏡レンズ半製品（１０、１２）のセットを設計するためのコンピュータ実装方法において、前記眼鏡レンズ半製品（１０、１２）の各々は、球面又は回転対称非球面の凸形状であり、関連する形状寸法を有する少なくとも１つの物理的形状特徴（Ｒ５、Ｒ６、．．．Ｒ１６）を有する前面（１６）を有し、眼鏡レンズ半製品（１０、１２）の前記セット（６８）は、第一の平均屈折率（ｎｄ４）の母材で製作された眼鏡レンズ半製品（１０、１２）の第一のシリーズ（６６−４）と、第一の平均屈折率（ｎｄ４）とは異なる第二の平均屈折率（ｎｄ５）の母材から製作された眼鏡レンズ半製品（１０、１２）の第二のシリーズ（６６−５）と、前記第一の平均屈折率（ｎｄ４）及び前記第二の平均屈折率（ｎｄ５）とは異なる第三の平均屈折率の母材から製作された眼鏡レンズ半製品の第三のシリーズを含み、前記第一のシリーズ（６６−４）は、その前記前面（１６）の形状の前記少なくとも１つの物理的形状特徴（Ｒ５、Ｒ６、．．．Ｒ１６）の前記形状寸法の点で異なる、眼鏡レンズ半製品（１０、１２）のペア単位で異なる類型を有し、前記第二のシリーズ（６６−５）は、その前記前面（１６）の形状の前記少なくとも１つの物理的形状特徴（Ｒ５、Ｒ６、．．．Ｒ１６）の前記形状寸法において異なる、眼鏡レンズ半製品（１０、１２）のペア単位で異なる類型を有し、前記第三のシリーズは、その前記前面の形状の前記少なくとも１つの物理的形状特徴の前記形状寸法において異なる、眼鏡レンズ半製品のペア単位で異なる類型を有し、
ａ）前記第一のシリーズ（６６−４）の前記異なる類型の前記前面（１６）の形状の前記少なくとも１つの物理的形状特徴（Ｒ５、Ｒ６、．．．Ｒ１６）の前記形状寸法と前記第二のシリーズ（６６−５）の前記異なる類型の前記前面（１６）の形状の前記少なくとも１つの物理的形状特徴（Ｒ５、Ｒ６、．．．Ｒ１６）の前記形状寸法と前記第三のシリーズの前記異なる類型の前記前面の形状の前記少なくとも１つの物理的形状特徴の前記形状寸法とを、これらの異なる類型の前記前面の形状が、前記少なくとも３つのシリーズの全部について、一部又は前記前面の全体において等しくなるように均等化する、すなわち、対応させるステップであって、前記少なくとも１つの形状特徴（Ｒ、Ｒ１、Ｒ２、．．．Ｒ２０、Ｄｎ）は、
ｉ）前記実際の曲率、及び／又は
ｉｉ）前記実際の曲率半径、及び／又は
ｉｉｉ）円錐部分と補正多項式面との和からなるＤＩＮ  ＩＳＯ  １０１１０において定義される非球面部分の、次式、
【数５】
2017514180.tif 000030
（式中、ｚはサジタルデプス、ｒは入射高さ、ρは頂点曲率、及びｋは円錐部分の円錐定数、及びＡ４、Ａ６、．．．は補正多項式の係数である）
による前記補正多項式面の前記円錐部分の前記頂点曲率（ρ）であるステップ
を特徴とするコンピュータ実装方法。
【請求項１４】
前記少なくとも１つの形状特徴は実際の面屈折力（Ｄｎ）であり、前記関連する形状寸法が、標準屈折率（ｎｓ）１．５３に関する、前記関連する実際の面屈折力値（Ｄｎ）であり、前記第一のシリーズ（６６−４）と前記第二のシリーズ（６６−５）の各々が眼鏡レンズ半製品（１０、１２）の類型を有し、その前記前面（１６）は、標準屈折率（ｎｓ）１．５３に関して同一の実際の面屈折力値の実際の面屈折力値（Ｄｎ）を有し、標準屈折率（ｎｓ）１．５３に関する前記第一のシリーズ（６６−４）の前記異なる類型の前記眼鏡レンズ半製品の前記前面（１６）の前記実際の面屈折力値と標準屈折率（ｎｓ）１．５３に関する前記第二のシリーズ（６６−５）の前記異なる類型の前記前面の前記実際の面屈折力値との均等化が、標準屈折率（ｎｓ）１．５３に関する前記同一の実際の面屈折力値のうちの１つと標準屈折率（ｎｓ）１．５３に関する次に大きい同一の実際の面屈折力値との差が所定の閾値より小さく、及び／又は一定に事前に定められた差の値と、２０％、好ましくは１５％、より好ましくは１０％、最も好ましくは５％のばらつき範囲内で同じとなる方法で行われること
を特徴とする、請求項１３に記載のコンピュータ実装方法。
【請求項１５】
前記コンピュータプログラムがコンピュータにロードされ、及び／又はコンピュータ上で実行されたときに、請求項１３又は１４のうちの１項に記載の方法ステップの全部を実行するためのプログラムコードによるコンピュータプログラム。
【請求項１６】
前記コンピュータプログラムがコンピュータにロードされ、及び／又はコンピュータ上で実行されたときに、請求項１３又は１４のうちの１項に記載の方法ステップの全部を実行するためのプログラムコードによるコンピュータプログラムを含むコンピュータ読取可能記憶媒体。
【国際調査報告】
2017514180.tif 000031
2017514180.tif 000032
2017514180.tif 000033
2017514180.tif 000034